(57)【要約】      （修正有）【課題】画像が好適に表示されていないことを検出可能な表示装置及びタッチ検出機能付き表示装置を提供する。【解決手段】表示装置は、タッチ検出機能付き表示装置の構造と共通点を有し、画像を表示する複数の画素Ｐｉｘと、複数の画素Ｐｉｘに画素信号を供給する複数の信号線ＳＬと、複数の信号線ＳＬと夫々容量結合する複数の検出導体ＲＬと、画素信号を複数の信号線ＳＬに出力し、画素信号に起因して複数の検出導体ＲＬに生ずる検出信号を読み取る制御部とを備え、検出信号と画像信号とを比較して一致するかしないかによって、信号線ＳＬに至る経路にトラブルが有るか無いかを判定する。【選択図】図２
2018124535.tif 000002
【特許請求の範囲】
【請求項１】
画像を表示する複数の画素と、
前記複数の画素に画素信号を供給する複数の信号線と、
前記複数の信号線と夫々容量結合する複数の検出導体と、
前記画素信号を前記複数の信号線に出力し、前記画素信号に起因して前記複数の検出導体に生ずる検出信号を読み取る制御部と、
を備える、表示装置。
【請求項２】
１つのフレームを表示及び検出するフレーム期間は、表示期間と検出期間とを交互に有し、
前記制御部は、
検出期間において、直前の表示期間の前記画素信号と同じ前記画素信号を前記信号線に出力する、
請求項１に記載の表示装置。
【請求項３】
前記制御部は、
前記画素信号の極性を前記信号線ごとに反転させる反転駆動を行い、
１つのフレームの検出期間において、直前の表示期間の前記画素信号の内の一方の極性の前記画素信号と同じ前記画素信号を前記信号線に出力し、
次の１つのフレームの検出期間において、直前の表示期間の前記画素信号の内の他方の極性の前記画素信号と同じ前記画素信号を前記信号線に出力する、
請求項２に記載の表示装置。
【請求項４】
１つのフレームを表示及び検出するフレーム期間は、検出期間及び表示期間を各々が含む複数の水平期間を有し、
前記制御部は、
検出期間において、前記画素信号を前記信号線に出力して前記検出信号を読み取り、その後、表示期間において、前記画素信号を前記信号線に出力して前記画素に表示を行わせる、
請求項１に記載の表示装置。
【請求項５】
前記制御部は、
前記画素信号の極性を前記信号線ごとに反転させる反転駆動を行い、
１つのフレームの検出期間において、一方の極性の前記画素信号を前記信号線に出力して前記検出信号を読み取り、
次の１つのフレームの検出期間において、他方の極性の前記画素信号を前記信号線に出力して前記検出信号を読み取る、
請求項４に記載の表示装置。
【請求項６】
前記複数の検出導体は、前記複数の信号線と異なる層に配置されており、前記複数の信号線の延在方向に沿って延在している、
請求項１に記載の表示装置。
【請求項７】
第１基板と、前記第１基板に対向する第２基板と、を備え、
前記複数の信号線は、前記第１基板に配置されており、
前記複数の検出導体は、前記第２基板に配置されている、
請求項６に記載の表示装置。
【請求項８】
第１基板と、前記第１基板に対向する第２基板と、を備え、
前記複数の信号線及び前記複数の検出導体は、前記第１基板に配置されている、
請求項６に記載の表示装置。
【請求項９】
前記複数の検出導体は、
前記複数の画素に電界を発生させて画像を表示させる複数の駆動電極を兼ねている、
請求項１に記載の表示装置。
【請求項１０】
前記複数の検出導体は、
前記複数の信号線と異なる層に配置されており、前記複数の信号線の延在方向に沿って延在している、
請求項９に記載の表示装置。
【請求項１１】
前記複数の検出導体は、
前記複数の信号線と異なる層に配置されており、前記複数の画素が配置された表示領域にマトリクス状に配置されている、
請求項９に記載の表示装置。
【請求項１２】
前記複数の画素を照明する発光部を更に備え、
前記複数の検出導体は、
前記発光部の前記複数の画素の側、前記発光部の前記複数の画素と反対の側、又は、前記発光部の内に設けられている、
請求項１に記載の表示装置。
【請求項１３】
被検出物の接触又は近接を検出するタッチ検出部を更に備える、
請求項１に記載の表示装置。
【請求項１４】
前記複数の検出導体は、
前記複数の画素に電界を発生させて画像を表示させる複数の駆動電極を兼ねるとともに、前記被検出物の接触又は近接を検出するための複数のタッチ駆動電極を兼ねている、
請求項１３に記載の表示装置。
【請求項１５】
前記複数の検出導体は、
前記複数の信号線と異なる層に配置されており、前記複数の信号線の延在方向に沿って延在している、
請求項１４に記載の表示装置。
【請求項１６】
前記タッチ検出部は、
前記複数の検出導体と交差する方向に延在する複数のタッチ検出線を備え、
前記制御部は、
前記複数の検出導体と前記複数のタッチ検出線との間の相互静電容量に基づいて、前記被検出物の接触又は近接を検出する、
請求項１５に記載の表示装置。
【請求項１７】
前記複数の検出導体は、
前記複数の信号線と異なる層に配置されており、前記複数の画素が配置された表示領域にマトリクス状に配置されている、
請求項１４に記載の表示装置。
【請求項１８】
前記制御部は、
前記複数の検出導体の自己静電容量に基づいて、前記被検出物の接触又は近接を検出する、
請求項１７に記載の表示装置。
【請求項１９】
第１基板と、前記第１基板に対向する第２基板と、を備え、
前記複数の信号線は、前記第１基板に配置されており、
前記複数の検出導体は、前記第２基板に配置されている、
請求項１３に記載の表示装置。
【請求項２０】
第１基板と、前記第１基板に対向する第２基板と、を備え、
前記複数の信号線及び前記複数の検出導体は、前記第１基板に配置されている、
請求項１３に記載の表示装置。
【請求項２１】
前記複数の画素を照明する発光部を更に備え、
前記複数の検出導体は、
前記発光部の前記複数の画素の側、前記発光部の前記複数の画素と反対の側、又は、前記発光部の内に設けられている、
請求項１３に記載の表示装置。
【請求項２２】
１つのフレームを表示及び検出し並びにタッチを検出するフレーム期間は、検出期間及び表示期間を各々が含む複数の水平期間と、タッチ検出期間と、を有し、
前記制御部は、
検出期間において、前記画素信号を前記信号線に出力して前記検出信号を読み取り、その後、表示期間において、前記画素信号を前記信号線に出力して前記画素に表示を行わせ、
タッチ検出期間において、タッチ検出信号を前記複数の検出導体に出力して前記被検出物の接触又は近接を検出する、
請求項１３に記載の表示装置。
【発明の詳細な説明】
【技術分野】
【０００１】
本発明は、表示装置に関する。
【背景技術】
【０００２】
自動車の自動運転技術の進展に伴い、車内空間の快適性の向上が期待されており、ＨＵＤ（Head-Up  Display）、デジタルミラー、ＣＩＤ（Center  Information  Display）等の車載ディスプレイデバイスが増加傾向にある。自動車向け電子制御系の安全規格であるＩＳＯ（International  Organization  for  Standardization）２６２６２では、自動車向け電子制御系のリスク段階を表すＡＳＩＬ（Automotive  Safety  Integrity  Level）が定められている。よって、車載ディスプレイデバイスの安全性の確保は、今後重要な事項となる。
【０００３】
関連する技術として、下記の特許文献１には、異常を検出可能な液晶表示装置が記載されている。
【先行技術文献】
【特許文献】
【０００４】
【特許文献１】特開２００９−２７６６１２号公報
【発明の概要】
【発明が解決しようとする課題】
【０００５】
本発明は、画像が好適に表示されていないことを検出可能な表示装置及びタッチ検出機能付き表示装置を提供することを目的とする。
【課題を解決するための手段】
【０００６】
本発明の一態様の表示装置は、画像を表示する複数の画素と、複数の画素に画素信号を供給する複数の信号線と、複数の信号線と夫々容量結合する複数の検出導体と、画素信号を複数の信号線に出力し、画素信号に起因して複数の検出導体に生ずる検出信号を読み取る制御部と、を備える。
【図面の簡単な説明】
【０００７】
【図１】図１は、第１の実施形態に係る表示装置の構成を示すブロック図である。
【図２】図２は、第１の実施形態に係る表示装置のモジュール構成を示す図である。
【図３】図３は、第１の実施形態に係る表示装置の表示部の画素を示す回路図である。
【図４】図４は、第１の実施形態に係る表示装置のパネルの断面構造を示す模式図である。
【図５】図５は、第１の実施形態に係る表示装置の水平ドライバ及び駆動電極ドライバの構成を示す図である。
【図６】図６は、第１の実施形態に係る表示装置の表示領域を示す図である。
【図７】図７は、第１の実施形態に係る表示装置の第１の動作例の動作シーケンスを示す図である。
【図８】図８は、第１の実施形態に係る表示装置の第１の動作例の動作タイミングを示す図である。
【図９】図９は、第１の実施形態に係る表示装置の第１の動作例の動作タイミングを示す図である。
【図１０】図１０は、第１の実施形態に係る表示装置の第１の動作例の動作を示すフローチャートである。
【図１１】図１１は、検出信号と検出画像データとの関係の一例を示す図である。
【図１２】図１２は、第１の実施形態に係る表示装置の第２の動作例の動作タイミングを示す図である。
【図１３】図１３は、第１の実施形態に係る表示装置の第２の動作例の動作を示すフローチャートである。
【図１４】図１４は、第１の実施形態の変形例に係る表示装置のパネルの断面構造を示す模式図である。
【図１５】図１５は、第２の実施形態に係る表示装置のモジュール構成を示す図である。
【図１６】図１６は、第２の実施形態に係る表示装置のパネルの断面構造を示す模式図である。
【図１７】図１７は、第２の実施形態に係る表示装置の水平ドライバ及び駆動電極ドライバの構成を示す図である。
【図１８】図１８は、第２の実施形態に係る表示装置の動作例の動作タイミングを示す図である。
【図１９】図１９は、第３の実施形態に係る表示装置のモジュール構成を示す図である。
【図２０】図２０は、第３の実施形態に係る表示装置のパネルの断面構造を示す模式図である。
【図２１】図２１は、第３の実施形態に係る表示装置の水平ドライバ、駆動電極ドライバ及びＣＯＦの構成を示す図である。
【図２２】図２２は、第４の実施形態に係る表示装置のモジュール構成を示す図である。
【図２３】図２３は、第４の実施形態に係る表示装置のパネルの断面構造を示す模式図である。
【図２４】図２４は、第４の実施形態に係る表示装置の水平ドライバ、駆動電極ドライバ及びＣＯＦの構成を示す図である。
【図２５】図２５は、第４の実施形態に係る表示装置の動作例の動作タイミングを示す図である。
【図２６】図２６は、第４の実施形態の変形例に係る表示装置のパネルの断面構造を示す模式図である。
【図２７】図２７は、第５の実施形態に係る表示装置の構成を示すブロック図である。
【図２８】図２８は、第５の実施形態に係る表示装置のモジュール構成を示す図である。
【図２９】図２９は、第５の実施形態に係る表示装置の発光部の構成を示す図である。
【図３０】図３０は、第５の実施形態に係る表示装置の断面構造の第１の例を示す模式図である。
【図３１】図３１は、第５の実施形態に係る表示装置の断面構造の第２の例を示す模式図である。
【図３２】図３２は、第５の実施形態に係る表示装置の断面構造の第３の例を示す模式図である。
【図３３】図３３は、第５の実施形態に係る表示装置の発光部の断面構造の第１の例を示す模式図である。
【図３４】図３４は、第５の実施形態に係る表示装置の発光部の断面構造の第２の例を示す模式図である。
【図３５】図３５は、第５の実施形態に係る表示装置の発光部の断面構造の第３の例を示す模式図である。
【図３６】図３６は、第５の実施形態に係る表示装置の発光部の断面構造の第４の例を示す模式図である。
【図３７】図３７は、第６の実施形態に係るタッチ検出機能付き表示装置の構成を示すブロック図である。
【図３８】図３８は、第６の実施形態に係るタッチ検出機能付き表示装置のモジュール構成を示す図である。
【図３９】図３９は、相互静電容量方式のタッチ検出の基本原理を説明するための、被検出物が接触又は近接した状態を表す説明図である。
【図４０】図４０は、相互静電容量方式のタッチ検出の等価回路の例を示す説明図である。
【図４１】図４１は、相互静電容量方式のタッチ検出の駆動信号及び検出信号の波形の一例を表す図である。
【図４２】図４２は、第６の実施形態に係るタッチ検出機能付き表示装置の駆動電極及び検出線の構成例を表す斜視図である。
【図４３】図４３は、第６の実施形態に係るタッチ検出機能付き表示装置の水平ドライバ、駆動電極ドライバ及びＣＯＦの構成を示す図である。
【図４４】図４４は、第６の実施形態に係るタッチ検出機能付き表示装置の動作例の動作シーケンスを示す図である。
【図４５】図４５は、第６の実施形態に係るタッチ検出機能付き表示装置の動作例の動作タイミングを示す図である。
【図４６】図４６は、第６の実施形態に係るタッチ検出機能付き表示装置の動作例の動作タイミングを示す図である。
【図４７】図４７は、第６の実施形態に係る表示装置の動作例の動作を示すフローチャートである。
【図４８】図４８は、第７の実施形態に係るタッチ検出機能付き表示装置の水平ドライバ、駆動電極ドライバ及びＣＯＦの構成を示す図である。
【図４９】図４９は、自己静電容量方式のタッチ検出の基本原理を説明するための、被検出物が接触又は近接していない状態を表す説明図である。
【図５０】図５０は、自己静電容量方式のタッチ検出の基本原理を説明するための、被検出物が接触又は近接した状態を表す説明図である。
【図５１】図５１は、自己静電容量方式のタッチ検出の等価回路の例を示す説明図である。
【図５２】図５２は、自己静電容量方式のタッチ検出の駆動信号及び検出信号の波形の一例を表す図である。
【図５３】図５３は、第８の実施形態に係るタッチ検出機能付き表示装置のモジュール構成を示す図である。
【図５４】図５４は、第８の実施形態に係るタッチ検出機能付き表示装置の水平ドライバ、駆動電極ドライバ及びＣＯＦの構成を示す図である。
【図５５】図５５は、第９の実施形態に係るタッチ検出機能付き表示装置の構成を示すブロック図である。
【図５６】図５６は、第９の実施形態に係るタッチ検出機能付き表示装置のモジュール構成を示す図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）
図１は、本発明の第１の実施形態に係る表示装置の構成を示すブロック図である。
【００１０】
本実施形態に係る表示装置１は、パネルＰＮＬと、発光部ＢＬと、制御部ＣＴＬと、を含む。パネルＰＮＬは、画像を表示する表示部ＤＳＰと、画像を検出する検出部ＤＥＴと、を含む。
【００１１】
発光部ＢＬは、パネルＰＮＬのＺ方向と反対側に配置されており、光ＬをＺ方向に向けて出射し、パネルＰＮＬを照射する。
【００１２】
表示部ＤＳＰは、発光部ＢＬから光Ｌの照射を受けて、Ｚ方向に向けて画像ＩＭＧを表示する。表示部ＤＳＰは、透過型の液晶表示装置が例示されるが、これに限定されない。表示部ＤＳＰは、半透過型の液晶表示装置であっても良いし、反射型の液晶表示装置であっても良いし、有機ＥＬ（Electro-Luminescence）表示装置であっても良い。表示部ＤＳＰが反射型の液晶表示装置又は有機ＥＬ表示装置である場合には、発光部ＢＬは省略可能である。
【００１３】
検出部ＤＥＴは、表示部ＤＳＰで表示される画像ＩＭＧを電気的に検出する。詳細には、検出部ＤＥＴは、表示部ＤＳＰ内の画素に画素信号を供給する信号線と容量結合する検出線を有し、画素信号に起因して検出信号を検出線に生ずる。
【００１４】
本実施形態では、表示装置１は、画像を表示する画像表示期間と、画像を検出する画像検出期間と、を有する。また、本実施形態では、後述するように、表示装置１は、互いに隣接する１カラム（１画素列）毎に画像信号の極性を交互に反転させるカラム反転駆動方式を採用する。そこで、画像検出期間は、正極性の画像を検出する期間と、負極性の画像を検出する期間と、を有する。
【００１５】
表示部ＤＳＰ及び検出部ＤＥＴは、一体化された、インセル型であっても良い。また、表示部ＤＳＰ及び検出部ＤＥＴは、表示部ＤＳＰの上に検出部ＤＥＴが装着された、オンセル型であっても良い。
【００１６】
制御部ＣＴＬは、表示部ＤＳＰ及び発光部ＢＬを制御する表示制御部２と、検出信号を検出部ＤＥＴから読み取り、検出信号に基づいて検出画像データをホストＨＳＴに出力する検出制御部３と、を含む。
【００１７】
表示制御部２は、表示部ＤＳＰのガラス基板上に実装されたＩＣチップが例示される。検出制御部３は、表示部ＤＳＰのガラス基板に接続されたプリント基板（例えば、フレキシブルプリント基板）上に実装されたＩＣチップが例示される。表示制御部２及び検出制御部３は、協働して表示部ＤＳＰ及び検出部ＤＥＴを制御する。表示制御部２は、画像検出タイミングを表すタイミング信号を検出制御部３に出力する。
【００１８】
ホストＨＳＴは、画像ＩＭＧを表示するための画像データを制御部ＣＴＬに出力する。また、ホストＨＳＴは、画像データと、検出信号に基づく検出画像データと、を比較することにより、画像ＩＭＧが正常に表示されているか否かを判定する。ホストＨＳＴは、ＣＰＵ（Central  Processing  Unit）が例示される。ホストＨＳＴは、制御部ＣＴＬに含まれても良い。
【００１９】
ホストＨＳＴ、表示制御部２及び検出制御部３間の通信は、Ｉ２Ｃ（Inter-Integrated  Circuit）又はＳＰＩ（Serial  Peripheral  Interface）が例示される。
【００２０】
以下に、表示部ＤＳＰ及び検出部ＤＥＴの具体的な構成例について説明するが、これらの構成例は例示であり、これらの構成例に限定されない。
【００２１】
図２は、第１の実施形態に係る表示装置のモジュール構成を示す図である。
【００２２】
パネルＰＮＬは、基板４と、ドライバＩＣであるＣＯＧ（Chip  On  Glass）１１と、検出ＩＣであるＣＯＦ（Chip  On  Flexible）１２と、を含む。
【００２３】
基板４は、第１基板５と、第１基板５のＺ方向側に配置され、第１基板５と所定の間隙をもって対向する第２基板６と、を含む。
【００２４】
基板４は、液晶素子を含む画素Ｐｉｘがマトリクス状（行列状）に多数配置されている表示領域ＤＡと、表示領域ＤＡの外側の周辺領域ＧＤと、を含む。周辺領域ＧＤには、垂直ドライバ（垂直駆動回路）７と、水平ドライバ（水平駆動回路）８と、駆動電極ドライバ９と、が配置されている。
【００２５】
ＣＯＧ１１は、第１基板５上に実装され、垂直ドライバ７、水平ドライバ８及び駆動電極ドライバ９を制御する。
【００２６】
ＣＯＦ１２は、第１基板５に接続されたフレキシブルプリント基板（ＦＰＣ：Flexible  Printed  Circuits）Ｔ上に実装されている。
【００２７】
ＣＯＧ１１及びＣＯＦ１２は、フレキシブルプリント基板Ｔを介して、ホストＨＳＴ（図１参照）に接続されている。ＣＯＧ１１は、ホストＨＳＴから供給される画像データを一時記憶するバッファ１１ａを含む。
【００２８】
第１基板５には、能動素子（例えば、トランジスタ）を含む多数の画素回路がマトリクス状に配置形成されている。第２基板６は、第１基板５と所定の間隙をもって対向して配置されている。第１基板５と第２基板６との間隙は、第１基板５上の各所に配置形成されるフォトスペーサによって所定の間隙に保持される。そして、第１基板５と第２基板６との間に、液晶が封入される。なお、図２に示す各部の配置及び大きさは、模式的なものであり、実際の配置等を反映したものではない。
【００２９】
表示領域ＤＡは、画素ＰｉｘがＭ行×Ｎ列に配列されたマトリクス（行列状）構造を有している。なお、この明細書において、行とは、Ｘ方向に沿って配列されるＮ個の画素Ｐｉｘを有する画素行をいう。また、列とは、行が配列される方向と直交するＹ方向に沿って配列されるＭ個の画素Ｐｉｘを有する画素列をいう。そして、ＭとＮとの値は、垂直方向の表示解像度と水平方向の表示解像度に応じて定まる。画素Ｐｉｘの配列は、４８０行×６４０列、７２０行×１２８０列、１０８０行×１９２０列等が例示されるが、これらに限定されない。
【００３０】
表示領域ＤＡには、画素ＰｉｘのＭ行×Ｎ列の配列に対して行ごとに、Ｘ方向に沿って延在する走査線ＧＬが配置され、列ごとに、Ｙ方向に沿って延在する信号線ＳＬが配置されている。従って、走査線ＧＬの本数は、Ｍ本であり、信号線ＳＬの本数は、Ｎ本である。
【００３１】
また、表示領域ＤＡには、画素Ｐｉｘの２列ごとに、Ｙ方向に沿って延在する駆動電極ＣＯＭＬが配置されている。従って、駆動電極ＣＯＭＬの本数は、（Ｎ／２）本である。なお、駆動電極ＣＯＭＬが画素Ｐｉｘの２列ごとに配置されることは例示であり、これに限定されない。
【００３２】
また、表示領域ＤＡには、駆動電極ＣＯＭＬに対応して、画素Ｐｉｘの２列ごとに、Ｙ方向に沿って延在する検出線ＲＬが配置されている。従って、検出線ＲＬの本数は、（Ｎ／２）本である。なお、検出線ＲＬが画素Ｐｉｘの２列ごとに配置されることは例示であり、これに限定されない。
【００３３】
ＣＯＧ１１は、垂直ドライバ７、水平ドライバ８及び駆動電極ドライバ９に、水平同期信号及び垂直同期信号を出力する。
【００３４】
垂直ドライバ７は、垂直同期信号及び水平同期信号に同期して、ＣＯＧ１１から出力されるデジタルデータを１水平期間単位でラッチする。垂直ドライバ７は、ラッチされた１ライン分のデジタルデータを垂直走査パルスとして順に出力し、表示領域ＤＡの走査線ＧＬに順次与えることによって、画素Ｐｉｘを行単位で順次選択する。垂直ドライバ７は、例えば、表示領域ＤＡのＹ方向と反対側寄りの垂直走査上方向から、表示領域ＤＡのＹ方向側寄りの垂直走査下方向へ順にデジタルデータを出力する。また、垂直ドライバ７は、例えば、表示領域ＤＡのＹ方向側寄りの垂直走査下方向から、表示領域ＤＡのＹ方向と反対側寄りの垂直走査上方向へ順にデジタルデータを出力することもできる。
【００３５】
水平ドライバ８には、例えば６ビットのＲ（赤）、Ｇ（緑）、Ｂ（青）のデジタル画像データがＣＯＧ１１から供給される。水平ドライバ８は、垂直ドライバ７による垂直走査によって選択された行の画素Ｐｉｘに対して、副画素毎に、若しくは複数副画素毎に、或いは全副画素一斉に、信号線ＳＬを介して画素信号を書き込む。
【００３６】
駆動電極ＣＯＭＬは、透明材質で形成され、例えば、少なくとも１列の画素Ｐｉｘに対して共通に形成されている。駆動電極ＣＯＭＬは、駆動電極ドライバ９に接続されている。駆動電極ドライバ９は、画像表示期間では、駆動電極ＣＯＭＬに一定の駆動信号ＶＣＯＭを供給する。駆動電極ドライバ９は、画像検出期間では、駆動電極ＣＯＭＬをフローティングにする。駆動電極ＣＯＭＬは、画像表示期間では、後述する画素電極との間で液晶を駆動するための電界を発生させる。
【００３７】
ＣＯＦ１２は、検出線ＲＬに接続され、画素信号に起因して検出線ＲＬに生ずる検出信号に基づいて、検出画像データをホストＨＳＴに出力する。なお、本実施形態では、検出線ＲＬが、画素Ｐｉｘの２列ごとに配置されている。従って、検出画像データの１ライン内の検出画素データ数は、（Ｎ／２）個になる。なお、検出線ＲＬが、画素Ｐｉｘの２列ごとに配置されていることは例示であって、これに限定されない。検出線ＲＬが、画素Ｐｉｘの１列ごと又は３列以上ごとに配置されていても良い。
【００３８】
ＣＯＧ１１、垂直ドライバ７、水平ドライバ８及び駆動電極ドライバ９が、図１の表示制御部２に対応する。ＣＯＦ１２が、図１の検出制御部３に対応する。
【００３９】
表示装置１は、液晶に同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位を基準として画像信号の極性を所定の周期で反転させる駆動方式が採られる。
【００４０】
液晶表示装置の駆動方式として、カラム反転、ライン反転、ドット反転、フレーム反転などの駆動方式が知られている。カラム反転は、互いに隣接する１カラム（１画素列）毎に画像信号の極性を交互に反転させる駆動方式である。ライン反転は、１ライン（１画素行）に相当する１Ｈ（Ｈは水平期間）の時間周期で画像信号の極性を反転させる駆動方式である。ドット反転は、互いに隣接する上下左右の画素毎に画像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。本実施形態では、表示装置１は、カラム反転駆動方式を採用するものとする。
【００４１】
図３は、第１の実施形態に係る表示装置の表示部の画素を示す回路図である。
【００４２】
画素Ｐｉｘは、複数の副画素ＳＰｉｘを含む。表示領域ＤＡには、副画素ＳＰｉｘの薄膜トランジスタ（ＴＦＴ：Thin  Film  Transistor）素子Ｔｒに表示データとして画素信号を供給する信号線ＳＬｎ、ＳＬｎ＋１、ＳＬｎ＋２（ｎは、自然数）、ＴＦＴ素子Ｔｒを駆動する走査線ＧＬｍ、ＧＬｍ＋１、ＧＬｍ＋２（ｍは、自然数）等の配置が形成されている。このように、信号線ＳＬｎ、ＳＬｎ＋１、ＳＬｎ＋２は、上述した基板４の表面と平行な平面に延在し、副画素ＳＰｉｘに画像を表示するための画素信号を供給する。
【００４３】
副画素ＳＰｉｘは、ＴＦＴ素子Ｔｒ、画素電極ＰＥ及び液晶ＬＣを含む。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線ＳＬｎ、ＳＬｎ＋１、ＳＬｎ＋２に接続され、ゲートは走査線ＧＬｍ、ＧＬｍ＋１、ＧＬｍ＋２に接続され、ソース又はドレインの他方は画素電極ＰＥに接続されている。液晶ＬＣは、一端が画素電極ＰＥに接続され、他端が駆動電極ＣＯＭＬに接続されている。画素電極ＰＥと駆動電極ＣＯＭＬとの間の電圧を保持する保持容量が、液晶ＬＣと並列に設けられている。
【００４４】
副画素ＳＰｉｘは、走査線ＧＬｍ、ＧＬｍ＋１、ＧＬｍ＋２により、表示領域ＤＡの同じ行に属する他の副画素ＳＰｉｘと互いに接続されている。走査線ＧＬｍ、ＧＬｍ＋１、ＧＬｍ＋２は、垂直ドライバ７（図２参照）と接続され、垂直ドライバ７から走査信号の垂直走査パルスが供給される。また、副画素ＳＰｉｘは、信号線ＳＬｎ、ＳＬｎ＋１、ＳＬｎ＋２により、表示領域ＤＡの同じ列に属する他の副画素ＳＰｉｘと互いに接続されている。信号線ＳＬｎ、ＳＬｎ＋１、ＳＬｎ＋２は、水平ドライバ８（図２参照）と接続され、水平ドライバ８から画素信号が供給される。さらに、副画素ＳＰｉｘは、駆動電極ＣＯＭＬにより、表示領域ＤＡの同じ列に属する他の副画素ＳＰｉｘと互いに接続されている。駆動電極ＣＯＭＬには、画像表示期間では、駆動電極ドライバ９（図２参照）から駆動信号ＶＣＯＭが供給される。駆動電極ＣＯＭＬは、画像検出期間では、フローティングにされる。
【００４５】
図２に示す垂直ドライバ７は、垂直走査パルスを、図３に示す走査線ＧＬｍ、ＧＬｍ＋１、ＧＬｍ＋２を介して、副画素ＳＰｉｘのＴＦＴ素子Ｔｒのゲートに印加することにより、表示領域ＤＡにマトリクス状に形成されている副画素ＳＰｉｘのうちの１行（１水平ライン）を表示駆動の対象として順次選択する。図２に示す水平ドライバ８は、画素信号を、図３に示す信号線ＳＬｎ、ＳＬｎ＋１、ＳＬｎ＋２を介して、垂直ドライバ７により順次選択される１水平ラインを含む副画素ＳＰｉｘにそれぞれ供給する。そして、これらの副画素ＳＰｉｘでは、供給される画素信号に応じて、１水平ラインの表示が行われるようになっている。
【００４６】
上述したように、表示装置１は、垂直ドライバ７が走査線ＧＬｍ、ＧＬｍ＋１、ＧＬｍ＋２を順次走査するように駆動することにより、１水平ラインが順次選択される。また、表示装置１は、１水平ラインに属する画素Ｐｉｘに対して、水平ドライバ８が画素信号を供給することにより、１水平ラインずつ表示が行われる。この表示動作を行う際、駆動電極ドライバ９は、駆動電極ＣＯＭＬに対して駆動信号ＶＣＯＭを印加するようになっている。
【００４７】
また、表示領域ＤＡは、カラーフィルタを有する。カラーフィルタは、３色（例えばＲ（赤）、Ｇ（緑）、Ｂ（青））、又は、４色の副画素ＳＰｉｘに対応する色領域を含む。カラーフィルタは、例えば赤（Ｒ）に着色された色領域２２Ｒ、緑（Ｇ）に着色された色領域２２Ｇ、青（Ｂ）に着色された色領域２２Ｂを周期的に配列する。第４の色が白（Ｗ）である場合、この白（Ｗ）に対してカラーフィルタによる着色は施されない。第４の色が他の色である場合、第４の色として採用された色がカラーフィルタにより着色される。
【００４８】
Ｒ（赤）、Ｇ（緑）及びＢ（青）の３色の色領域２２Ｒ、２２Ｇ及び２２Ｂの計３色が１組として画素Ｐｉｘとして対応付けられても良いし、Ｒ（赤）、Ｇ（緑）及びＢ（青）の３色の色領域２２Ｒ、２２Ｇ及び２２Ｂと第４の色（例えばＷ）との計４色が１組として画素Ｐｉｘとして対応付けられても良いし、他の複数の色領域が１組として画素Ｐｉｘとして対応付けられても良い。本実施形態における１つの画素Ｐｉｘに対する画素信号は、赤（Ｒ）、緑（Ｇ）及び青（Ｂ）の副画素ＳＰｉｘを有する１つの画素Ｐｉｘの出力に対応する画素信号である。本実施形態の説明では、赤（Ｒ）、緑（Ｇ）及び青（Ｂ）を単にＲ、Ｇ及びＢと記載することがある。なお、画素Ｐｉｘが２色以下又は５色以上の副画素ＳＰｉｘを含む場合は、色数に応じたデジタルデータを画像の元データに基づいて供給すれば良い。
【００４９】
なお、カラーフィルタは、異なる色に着色されていれば、他の色の組み合わせであっても良い。一般に、カラーフィルタは、緑（Ｇ）の色領域２２Ｇの輝度が、赤（Ｒ）の色領域２２Ｒ及び青（Ｂ）の色領域２２Ｂの輝度よりも高い。また、第４の色が白（Ｗ）である場合に、カラーフィルタに光透過性の樹脂を用いて白色としても良い。
【００５０】
図４は、第１の実施形態に係る表示装置のパネルの断面構造を示す模式図である。図４は、１個の画素Ｐｉｘの断面構造を示す模式図である。
【００５１】
パネルＰＮＬは、表示部ＤＳＰに検出部ＤＥＴを内蔵して一体化した、いわゆるインセルタイプの装置である。なお、表示部ＤＳＰに検出部ＤＥＴを内蔵して一体化するとは、例えば、表示部ＤＳＰとして使用される基板や電極などの一部の部材と、検出部ＤＥＴとして使用される基板や電極などの一部の部材と、を兼用することを含む。
【００５２】
パネルＰＮＬは、第１基板５と、第１基板５に対向する第２基板６と、第１基板５と第２基板６との間に配置された液晶ＬＣと、を含む。
【００５３】
第１基板５は、透光性絶縁基板である基板３１を有する。基板３１は、ガラス基板が例示されるが、これに限定されない。基板３１のＺ方向と反対側の面には、発光部ＢＬ（図１参照）から照射される光Ｌの内の一定方向の偏光成分だけを通過させる偏光板３２が配置されている。
【００５４】
基板３１のＺ方向側の面には、第１メタル層の走査線ＧＬが形成されている。走査線ＧＬは、Ｘ方向（図４中の左右方向）に沿って延在している。走査線ＧＬのＺ方向側の上には、絶縁層３３が形成されている。なお、ＴＦＴ素子Ｔｒ（図３参照）は、図４では図示を省略しているが、走査線ＧＬと絶縁層３３との間に形成されても良い。
【００５５】
絶縁層３３のＺ方向側の上には、第２メタル層の信号線ＳＬ１、ＳＬ２及びＳＬ３が形成されている。信号線ＳＬ１、ＳＬ２及びＳＬ３は、Ｙ方向（図４の紙面に垂直な方向）に沿って延在している。信号線ＳＬ１、ＳＬ２及びＳＬ３上には、平坦化膜３４が形成されている。
【００５６】
平坦化膜３４のＺ方向側の面には、第１透明導電膜層の駆動電極ＣＯＭＬが形成されている。駆動電極ＣＯＭＬは、Ｙ方向（図４の紙面に垂直な方向）に沿って延在している。第１透明導電膜層は、酸化インジウムスズ（Indium  Tin  Oxide：ＩＴＯ）が例示されるが、これに限定されない。
【００５７】
駆動電極ＣＯＭＬのＺ方向側の上には、絶縁膜３５が形成されている。絶縁膜３５のＺ方向側の面には、第２透明導電膜層の画素電極ＰＥ１、ＰＥ２及びＰＥ３が形成されている。第２透明導電膜層は、ＩＴＯが例示されるが、これに限定されない。
【００５８】
画素電極ＰＥ１、ＰＥ２及びＰＥ３の各々は、Ｙ方向（図４の紙面に垂直な方向）に沿った複数のスリットを有している。画素電極ＰＥ１、ＰＥ２及びＰＥ３の各々と駆動電極ＣＯＭＬとの間には、複数のスリットを経由して電界が形成され、この電界によって液晶ＬＣの分子がＺ方向を軸として回転することにより、偏光板３２を通過した光の偏光方向が回転される。つまり、パネルＰＮＬは、いわゆる横電界型の液晶表示装置の内のＦＦＳ（Fringe  Field  Switching）型の液晶表示装置である。なお、パネルＰＮＬは、ＦＦＳ型の液晶表示装置に限定されず、ＩＰＳ（In  Plane  Switching）型の液晶表示装置であっても良い。
【００５９】
第２基板６は、透光性絶縁基板である基板４１を有する。基板４１は、ガラス基板が例示されるが、これに限定されない。基板４１のＺ方向と反対側の面には、赤（Ｒ）に着色された色領域２２Ｒ、緑（Ｇ）に着色された色領域２２Ｇ及び青（Ｂ）に着色された色領域２２Ｂが、形成されている。基板４１のＺ方向側の面には、検出線ＲＬが形成されている。検出線ＲＬは、Ｙ方向（図４の紙面に垂直な方向）に沿って延在している。検出線ＲＬが、図１の検出部ＤＥＴに対応する。検出線ＲＬのＺ方向側の上には、液晶ＬＣを通過した光の内の一定方向の偏光成分だけを通過させる偏光板４２が配置されている。偏光板４２のＺ方向側には、透光性のカバー部材４４が配置されている。カバー部材４４は、ガラス又は樹脂が例示される。
【００６０】
図５は、第１の実施形態に係る表示装置の水平ドライバ及び駆動電極ドライバの構成を示す図である。図５は、水平ドライバ８の内の、４列の画素Ｐｉｘを駆動する部分と、駆動電極ドライバ９の内の、４列の画素Ｐｉｘを駆動する部分と、を示す図である。
【００６１】
本実施形態では、１個の画素Ｐｉｘは、３個の副画素ＳＰｉｘを含む。従って、信号線ＳＬ１は、第１列目の画素Ｐｉｘの赤（Ｒ）の副画素ＳＰｉｘに画素信号を供給し、信号線ＳＬ２は、第１列目の画素Ｐｉｘの緑（Ｇ）の副画素ＳＰｉｘに画素信号を供給し、信号線ＳＬ３は、第１列目の画素Ｐｉｘの青（Ｂ）の副画素ＳＰｉｘに画素信号を供給する。
【００６２】
信号線ＳＬ４は、第２列目の画素Ｐｉｘの赤（Ｒ）の副画素ＳＰｉｘに画素信号を供給し、信号線ＳＬ５は、第２列目の画素Ｐｉｘの緑（Ｇ）の副画素ＳＰｉｘに画素信号を供給し、信号線ＳＬ６は、第２列目の画素Ｐｉｘの青（Ｂ）の副画素ＳＰｉｘに画素信号を供給する。
【００６３】
信号線ＳＬ７は、第３列目の画素Ｐｉｘの赤（Ｒ）の副画素ＳＰｉｘに画素信号を供給し、信号線ＳＬ８は、第３列目の画素Ｐｉｘの緑（Ｇ）の副画素ＳＰｉｘに画素信号を供給し、信号線ＳＬ９は、第３列目の画素Ｐｉｘの青（Ｂ）の副画素ＳＰｉｘに画素信号を供給する。
【００６４】
信号線ＳＬ１０は、第４列目の画素Ｐｉｘの赤（Ｒ）の副画素ＳＰｉｘに画素信号を供給し、信号線ＳＬ１１は、第４列目の画素Ｐｉｘの緑（Ｇ）の副画素ＳＰｉｘに画素信号を供給し、信号線ＳＬ１２は、第４列目の画素Ｐｉｘの青（Ｂ）の副画素ＳＰｉｘに画素信号を供給する。
【００６５】
本実施形態では、画素Ｐｉｘの２列ごとに、駆動電極ＣＯＭＬが配置されている。従って、駆動電極ＣＯＭＬ１は、第１列目及び第２列目の画素Ｐｉｘに駆動信号ＶＣＯＭを供給し、駆動電極ＣＯＭＬ２は、第３列目及び第４列目の画素Ｐｉｘに駆動信号ＶＣＯＭを供給する。
【００６６】
本実施形態では、駆動電極ＣＯＭＬに対応して、画素Ｐｉｘの２列ごとに、検出線ＲＬが配置されている。従って、検出線ＲＬ１は、信号線ＳＬ１からＳＬ６までと容量結合し、信号線ＳＬ１からＳＬ６までに供給される画素信号に起因して検出信号を生ずる。検出線ＲＬ２は、信号線ＳＬ７からＳＬ１２までと容量結合し、信号線ＳＬ７からＳＬ１２までに供給される画素信号に起因して検出信号を生ずる。
【００６７】
水平ドライバ８は、１２個のアンプＳＩＧＡＭＰ１からＳＩＧＡＭＰ１２までを含む。本実施形態では、１個の画素Ｐｉｘは、赤（Ｒ）の副画素ＳＰｉｘ、緑（Ｇ）の副画素ＳＰｉｘ及び青（Ｂ）の副画素ＳＰｉｘの３個の副画素ＳＰｉｘを含む。従って、１２個のアンプＳＩＧＡＭＰ１からＳＩＧＡＭＰ１２までは、１２÷３＝４列の画素Ｐｉｘに画素信号を出力する。本実施形態では、互いに隣接する１カラム（１副画素列）毎に画像信号の極性を交互に反転させるカラム反転駆動方式を採用している。従って、正極性の画素信号を出力するアンプＳＩＧＡＭＰ１と、負極性の画素信号を出力するアンプＳＩＧＡＭＰ２とは、対をなす。アンプＳＩＧＡＭＰ１の出力と、アンプＳＩＧＡＭＰ２の出力と、は、切換部Ｓ１に接続されている。切換部Ｓ１は、１つの表示タイミングでは、アンプＳＩＧＡＭＰ１と信号線ＳＬ１とを接続し、アンプＳＩＧＡＭＰ２と信号線ＳＬ２とを接続する。切換部Ｓ１は、次の１つの表示タイミングでは、アンプＳＩＧＡＭＰ１と信号線ＳＬ２とを接続し、アンプＳＩＧＡＭＰ２と信号線ＳＬ１とを接続する。
【００６８】
正極性の画素信号を出力するアンプＳＩＧＡＭＰ３と、負極性の画素信号を出力するアンプＳＩＧＡＭＰ４とは、対をなす。アンプＳＩＧＡＭＰ３の出力と、アンプＳＩＧＡＭＰ４の出力と、は、切換部Ｓ２に接続されている。切換部Ｓ２は、１つの表示タイミングでは、アンプＳＩＧＡＭＰ３と信号線ＳＬ３とを接続し、アンプＳＩＧＡＭＰ４と信号線ＳＬ４とを接続する。切換部Ｓ２は、次の１つの表示タイミングでは、アンプＳＩＧＡＭＰ３と信号線ＳＬ４とを接続し、アンプＳＩＧＡＭＰ４と信号線ＳＬ３とを接続する。
【００６９】
正極性の画素信号を出力するアンプＳＩＧＡＭＰ５と、負極性の画素信号を出力するアンプＳＩＧＡＭＰ６とは、対をなす。アンプＳＩＧＡＭＰ５の出力と、アンプＳＩＧＡＭＰ６の出力と、は、切換部Ｓ３に接続されている。切換部Ｓ３は、１つの表示タイミングでは、アンプＳＩＧＡＭＰ５と信号線ＳＬ５とを接続し、アンプＳＩＧＡＭＰ６と信号線ＳＬ６とを接続する。切換部Ｓ３は、次の１つの表示タイミングでは、アンプＳＩＧＡＭＰ５と信号線ＳＬ６とを接続し、アンプＳＩＧＡＭＰ６と信号線ＳＬ５とを接続する。
【００７０】
正極性の画素信号を出力するアンプＳＩＧＡＭＰ７と、負極性の画素信号を出力するアンプＳＩＧＡＭＰ８とは、対をなす。アンプＳＩＧＡＭＰ７の出力と、アンプＳＩＧＡＭＰ８の出力と、は、切換部Ｓ４に接続されている。切換部Ｓ４は、１つの表示タイミングでは、アンプＳＩＧＡＭＰ７と信号線ＳＬ７とを接続し、アンプＳＩＧＡＭＰ８と信号線ＳＬ８とを接続する。切換部Ｓ４は、次の１つの表示タイミングでは、アンプＳＩＧＡＭＰ７と信号線ＳＬ８とを接続し、アンプＳＩＧＡＭＰ８と信号線ＳＬ７とを接続する。
【００７１】
正極性の画素信号を出力するアンプＳＩＧＡＭＰ９と、負極性の画素信号を出力するアンプＳＩＧＡＭＰ１０とは、対をなす。アンプＳＩＧＡＭＰ９の出力と、アンプＳＩＧＡＭＰ１０の出力と、は、切換部Ｓ５に接続されている。切換部Ｓ５は、１つの表示タイミングでは、アンプＳＩＧＡＭＰ９と信号線ＳＬ９とを接続し、アンプＳＩＧＡＭＰ１０と信号線ＳＬ１０とを接続する。切換部Ｓ５は、次の１つの表示タイミングでは、アンプＳＩＧＡＭＰ９と信号線ＳＬ１０とを接続し、アンプＳＩＧＡＭＰ１０と信号線ＳＬ９とを接続する。
【００７２】
正極性の画素信号を出力するアンプＳＩＧＡＭＰ１１と、負極性の画素信号を出力するアンプＳＩＧＡＭＰ１２とは、対をなす。アンプＳＩＧＡＭＰ１１の出力と、アンプＳＩＧＡＭＰ１２の出力と、は、切換部Ｓ６に接続されている。切換部Ｓ６は、１つの表示タイミングでは、アンプＳＩＧＡＭＰ１１と信号線ＳＬ１１とを接続し、アンプＳＩＧＡＭＰ１２と信号線ＳＬ１２とを接続する。切換部Ｓ６は、次の１つの表示タイミングでは、アンプＳＩＧＡＭＰ１１と信号線ＳＬ１２とを接続し、アンプＳＩＧＡＭＰ１２と信号線ＳＬ１１とを接続する。
【００７３】
切換部Ｓ１と信号線ＳＬ１との間には、スイッチＳＷ１が配置されている。スイッチＳＷ１は、ＣＯＧ１１（図２参照）から供給される制御信号ＳＥＬ１がハイレベルの場合に、切換部Ｓ１と信号線ＳＬ１との間を導通し、制御信号ＳＥＬ１がローレベルの場合に、切換部Ｓ１と信号線ＳＬ１との間を遮断する。画像表示期間では、制御信号ＳＥＬ１は、ハイレベルになり、スイッチＳＷ１は、切換部Ｓ１と信号線ＳＬ１との間を導通し、画素信号が信号線ＳＬ１に供給される。１つの画像検出期間では、制御信号ＳＥＬ１は、ハイレベルになり、スイッチＳＷ１は、切換部Ｓ１と信号線ＳＬ１との間を導通し、画素信号が信号線ＳＬ１に供給される。他の１つの画像検出期間では、制御信号ＳＥＬ１は、ローレベルになり、スイッチＳＷ１は、切換部Ｓ１と信号線ＳＬ１との間を遮断し、画素信号が信号線ＳＬ１に供給されない。
【００７４】
切換部Ｓ１と信号線ＳＬ２との間には、スイッチＳＷ２が配置されている。スイッチＳＷ２は、ＣＯＧ１１（図２参照）から供給される制御信号ＳＥＬ２がハイレベルの場合に、切換部Ｓ１と信号線ＳＬ２との間を導通し、制御信号ＳＥＬ２がローレベルの場合に、切換部Ｓ１と信号線ＳＬ２との間を遮断する。画像表示期間では、制御信号ＳＥＬ２は、ハイレベルになり、スイッチＳＷ２は、切換部Ｓ１と信号線ＳＬ２との間を導通し、画素信号が信号線ＳＬ２に供給される。１つの画像検出期間では、制御信号ＳＥＬ２は、ローレベルになり、スイッチＳＷ２は、切換部Ｓ１と信号線ＳＬ２との間を遮断し、画素信号が信号線ＳＬ２に供給されない。他の１つの画像検出期間では、制御信号ＳＥＬ２は、ハイレベルになり、スイッチＳＷ２は、切換部Ｓ１と信号線ＳＬ２との間を導通し、画素信号が信号線ＳＬ２に供給される。
【００７５】
切換部Ｓ２と信号線ＳＬ３との間には、スイッチＳＷ３が配置されている。スイッチＳＷ３は、ＣＯＧ１１（図２参照）から供給される制御信号ＳＥＬ１がハイレベルの場合に、切換部Ｓ２と信号線ＳＬ３との間を導通し、制御信号ＳＥＬ１がローレベルの場合に、切換部Ｓ２と信号線ＳＬ３との間を遮断する。画像表示期間では、制御信号ＳＥＬ１は、ハイレベルになり、スイッチＳＷ３は、切換部Ｓ２と信号線ＳＬ３との間を導通し、画素信号が信号線ＳＬ３に供給される。１つの画像検出期間では、制御信号ＳＥＬ１は、ハイレベルになり、スイッチＳＷ３は、切換部Ｓ２と信号線ＳＬ３との間を導通し、画素信号が信号線ＳＬ３に供給される。他の１つの画像検出期間では、制御信号ＳＥＬ１は、ローレベルになり、スイッチＳＷ３は、切換部Ｓ２と信号線ＳＬ３との間を遮断し、画素信号が信号線ＳＬ３に供給されない。
【００７６】
切換部Ｓ２と信号線ＳＬ４との間には、スイッチＳＷ４が配置されている。スイッチＳＷ４は、ＣＯＧ１１（図２参照）から供給される制御信号ＳＥＬ２がハイレベルの場合に、切換部Ｓ２と信号線ＳＬ４との間を導通し、制御信号ＳＥＬ２がローレベルの場合に、切換部Ｓ２と信号線ＳＬ４との間を遮断する。画像表示期間では、制御信号ＳＥＬ２は、ハイレベルになり、スイッチＳＷ４は、切換部Ｓ２と信号線ＳＬ４との間を導通し、画素信号が信号線ＳＬ４に供給される。１つの画像検出期間では、制御信号ＳＥＬ２は、ローレベルになり、スイッチＳＷ４は、切換部Ｓ２と信号線ＳＬ４との間を遮断し、画素信号が信号線ＳＬ４に供給されない。他の１つの画像検出期間では、制御信号ＳＥＬ２は、ハイレベルになり、スイッチＳＷ４は、切換部Ｓ２と信号線ＳＬ４との間を導通し、画素信号が信号線ＳＬ４に供給される。
【００７７】
切換部Ｓ３と信号線ＳＬ５との間には、スイッチＳＷ５が配置されている。スイッチＳＷ５は、ＣＯＧ１１（図２参照）から供給される制御信号ＳＥＬ１がハイレベルの場合に、切換部Ｓ３と信号線ＳＬ５との間を導通し、制御信号ＳＥＬ１がローレベルの場合に、切換部Ｓ３と信号線ＳＬ５との間を遮断する。画像表示期間では、制御信号ＳＥＬ１は、ハイレベルになり、スイッチＳＷ５は、切換部Ｓ３と信号線ＳＬ５との間を導通し、画素信号が信号線ＳＬ５に供給される。１つの画像検出期間では、制御信号ＳＥＬ１は、ハイレベルになり、スイッチＳＷ５は、切換部Ｓ３と信号線ＳＬ５との間を導通し、画素信号が信号線ＳＬ５に供給される。他の１つの画像検出期間では、制御信号ＳＥＬ１は、ローレベルになり、スイッチＳＷ５は、切換部Ｓ３と信号線ＳＬ５との間を遮断し、画素信号が信号線ＳＬ５に供給されない。
【００７８】
切換部Ｓ３と信号線ＳＬ６との間には、スイッチＳＷ６が配置されている。スイッチＳＷ６は、ＣＯＧ１１（図２参照）から供給される制御信号ＳＥＬ２がハイレベルの場合に、切換部Ｓ３と信号線ＳＬ６との間を導通し、制御信号ＳＥＬ２がローレベルの場合に、切換部Ｓ３と信号線ＳＬ６との間を遮断する。画像表示期間では、制御信号ＳＥＬ２は、ハイレベルになり、スイッチＳＷ６は、切換部Ｓ３と信号線ＳＬ６との間を導通し、画素信号が信号線ＳＬ６に供給される。１つの画像検出期間では、制御信号ＳＥＬ２は、ローレベルになり、スイッチＳＷ６は、切換部Ｓ３と信号線ＳＬ６との間を遮断し、画素信号が信号線ＳＬ６に供給されない。他の１つの画像検出期間では、制御信号ＳＥＬ２は、ハイレベルになり、スイッチＳＷ６は、切換部Ｓ３と信号線ＳＬ６との間を導通し、画素信号が信号線ＳＬ６に供給される。
【００７９】
切換部Ｓ４と信号線ＳＬ７との間には、スイッチＳＷ７が配置されている。スイッチＳＷ７は、ＣＯＧ１１（図２参照）から供給される制御信号ＳＥＬ１がハイレベルの場合に、切換部Ｓ４と信号線ＳＬ７との間を導通し、制御信号ＳＥＬ１がローレベルの場合に、切換部Ｓ４と信号線ＳＬ７との間を遮断する。画像表示期間では、制御信号ＳＥＬ１は、ハイレベルになり、スイッチＳＷ７は、切換部Ｓ４と信号線ＳＬ７との間を導通し、画素信号が信号線ＳＬ７に供給される。１つの画像検出期間では、制御信号ＳＥＬ１は、ハイレベルになり、スイッチＳＷ７は、切換部Ｓ４と信号線ＳＬ７との間を導通し、画素信号が信号線ＳＬ７に供給される。他の１つの画像検出期間では、制御信号ＳＥＬ１は、ローレベルになり、スイッチＳＷ７は、切換部Ｓ４と信号線ＳＬ７との間を遮断し、画素信号が信号線ＳＬ７に供給されない。
【００８０】
切換部Ｓ４と信号線ＳＬ８との間には、スイッチＳＷ８が配置されている。スイッチＳＷ８は、ＣＯＧ１１（図２参照）から供給される制御信号ＳＥＬ２がハイレベルの場合に、切換部Ｓ４と信号線ＳＬ８との間を導通し、制御信号ＳＥＬ２がローレベルの場合に、切換部Ｓ４と信号線ＳＬ８との間を遮断する。画像表示期間では、制御信号ＳＥＬ２は、ハイレベルになり、スイッチＳＷ８は、切換部Ｓ４と信号線ＳＬ８との間を導通し、画素信号が信号線ＳＬ８に供給される。１つの画像検出期間では、制御信号ＳＥＬ２は、ローレベルになり、スイッチＳＷ８は、切換部Ｓ４と信号線ＳＬ８との間を遮断し、画素信号が信号線ＳＬ８に供給されない。他の１つの画像検出期間では、制御信号ＳＥＬ２は、ハイレベルになり、スイッチＳＷ８は、切換部Ｓ４と信号線ＳＬ８との間を導通し、画素信号が信号線ＳＬ８に供給される。
【００８１】
切換部Ｓ５と信号線ＳＬ９との間には、スイッチＳＷ９が配置されている。スイッチＳＷ９は、ＣＯＧ１１（図２参照）から供給される制御信号ＳＥＬ１がハイレベルの場合に、切換部Ｓ５と信号線ＳＬ９との間を導通し、制御信号ＳＥＬ１がローレベルの場合に、切換部Ｓ５と信号線ＳＬ９との間を遮断する。画像表示期間では、制御信号ＳＥＬ１は、ハイレベルになり、スイッチＳＷ９は、切換部Ｓ５と信号線ＳＬ９との間を導通し、画素信号が信号線ＳＬ９に供給される。１つの画像検出期間では、制御信号ＳＥＬ１は、ハイレベルになり、スイッチＳＷ９は、切換部Ｓ５と信号線ＳＬ９との間を導通し、画素信号が信号線ＳＬ９に供給される。他の１つの画像検出期間では、制御信号ＳＥＬ１は、ローレベルになり、スイッチＳＷ９は、切換部Ｓ５と信号線ＳＬ９との間を遮断し、画素信号が信号線ＳＬ９に供給されない。
【００８２】
切換部Ｓ５と信号線ＳＬ１０との間には、スイッチＳＷ１０が配置されている。スイッチＳＷ１０は、ＣＯＧ１１（図２参照）から供給される制御信号ＳＥＬ２がハイレベルの場合に、切換部Ｓ５と信号線ＳＬ１０との間を導通し、制御信号ＳＥＬ２がローレベルの場合に、切換部Ｓ５と信号線ＳＬ１０との間を遮断する。画像表示期間では、制御信号ＳＥＬ２は、ハイレベルになり、スイッチＳＷ１０は、切換部Ｓ５と信号線ＳＬ１０との間を導通し、画素信号が信号線ＳＬ１０に供給される。１つの画像検出期間では、制御信号ＳＥＬ２は、ローレベルになり、スイッチＳＷ１０は、切換部Ｓ５と信号線ＳＬ１０との間を遮断し、画素信号が信号線ＳＬ１０に供給されない。他の１つの画像検出期間では、制御信号ＳＥＬ２は、ハイレベルになり、スイッチＳＷ１０は、切換部Ｓ５と信号線ＳＬ１０との間を導通し、画素信号が信号線ＳＬ１０に供給される。
【００８３】
切換部Ｓ６と信号線ＳＬ１１との間には、スイッチＳＷ１１が配置されている。スイッチＳＷ１１は、ＣＯＧ１１（図２参照）から供給される制御信号ＳＥＬ１がハイレベルの場合に、切換部Ｓ６と信号線ＳＬ１１との間を導通し、制御信号ＳＥＬ１がローレベルの場合に、切換部Ｓ６と信号線ＳＬ１１との間を遮断する。画像表示期間では、制御信号ＳＥＬ１は、ハイレベルになり、スイッチＳＷ１１は、切換部Ｓ６と信号線ＳＬ１１との間を導通し、画素信号が信号線ＳＬ１１に供給される。１つの画像検出期間では、制御信号ＳＥＬ１は、ハイレベルになり、スイッチＳＷ１１は、切換部Ｓ６と信号線ＳＬ１１との間を導通し、画素信号が信号線ＳＬ１１に供給される。他の１つの画像検出期間では、制御信号ＳＥＬ１は、ローレベルになり、スイッチＳＷ１１は、切換部Ｓ６と信号線ＳＬ１１との間を遮断し、画素信号が信号線ＳＬ１１に供給されない。
【００８４】
切換部Ｓ６と信号線ＳＬ１２との間には、スイッチＳＷ１２が配置されている。スイッチＳＷ１２は、ＣＯＧ１１（図２参照）から供給される制御信号ＳＥＬ２がハイレベルの場合に、切換部Ｓ６と信号線ＳＬ１２との間を導通し、制御信号ＳＥＬ２がローレベルの場合に、切換部Ｓ６と信号線ＳＬ１２との間を遮断する。画像表示期間では、制御信号ＳＥＬ２は、ハイレベルになり、スイッチＳＷ１２は、切換部Ｓ６と信号線ＳＬ１２との間を導通し、画素信号が信号線ＳＬ１２に供給される。１つの画像検出期間では、制御信号ＳＥＬ２は、ローレベルになり、スイッチＳＷ１２は、切換部Ｓ６と信号線ＳＬ１２との間を遮断し、画素信号が信号線ＳＬ１２に供給されない。他の１つの画像検出期間では、制御信号ＳＥＬ２は、ハイレベルになり、スイッチＳＷ１２は、切換部Ｓ６と信号線ＳＬ１２との間を導通し、画素信号が信号線ＳＬ１２に供給される。
【００８５】
駆動電極ドライバ９は、駆動電極ＣＯＭＬ１及びＣＯＭＬ２に駆動信号ＶＣＯＭを出力するアンプＣＯＭＡＭＰを含む。駆動信号ＶＣＯＭは、接地電位ＧＮＤが例示されるが、これに限定されない。駆動信号ＶＣＯＭは、正の一定電位又は負の一定電位であっても良い。
【００８６】
アンプＣＯＭＡＭＰと駆動電極ＣＯＭＬ１との間には、スイッチＳＷ２１が配置されている。スイッチＳＷ２１は、ＣＯＧ１１（図２参照）から供給される制御信号ＳＥＬ３がハイレベルの場合に、アンプＣＯＭＡＭＰと駆動電極ＣＯＭＬ１との間を導通し、制御信号ＳＥＬ３がローレベルの場合に、アンプＣＯＭＡＭＰと駆動電極ＣＯＭＬ１との間を遮断する。画像表示期間では、制御信号ＳＥＬ３は、ハイレベルになり、スイッチＳＷ２１は、アンプＣＯＭＡＭＰと駆動電極ＣＯＭＬ１との間を導通し、駆動信号ＶＣＯＭが駆動電極ＣＯＭＬ１に供給される。画像検出期間では、制御信号ＳＥＬ３は、ローレベルになり、スイッチＳＷ２１は、アンプＣＯＭＡＭＰと駆動電極ＣＯＭＬ１との間を遮断し、駆動信号ＶＣＯＭが駆動電極ＣＯＭＬ１に供給されない。
【００８７】
アンプＣＯＭＡＭＰと駆動電極ＣＯＭＬ２との間には、スイッチＳＷ２２が配置されている。スイッチＳＷ２２は、ＣＯＧ１１（図２参照）から供給される制御信号ＳＥＬ３がハイレベルの場合に、アンプＣＯＭＡＭＰと駆動電極ＣＯＭＬ２との間を導通し、制御信号ＳＥＬ３がローレベルの場合に、アンプＣＯＭＡＭＰと駆動電極ＣＯＭＬ２との間を遮断する。画像表示期間では、制御信号ＳＥＬ３は、ハイレベルになり、スイッチＳＷ２２は、アンプＣＯＭＡＭＰと駆動電極ＣＯＭＬ２との間を導通し、駆動信号ＶＣＯＭが駆動電極ＣＯＭＬ２に供給される。画像検出期間では、制御信号ＳＥＬ３は、ローレベルになり、スイッチＳＷ２２は、アンプＣＯＭＡＭＰと駆動電極ＣＯＭＬ２との間を遮断し、駆動信号ＶＣＯＭが駆動電極ＣＯＭＬ２に供給されない。
【００８８】
なお、本実施形態では、画素Ｐｉｘの２列ごとに、駆動電極ＣＯＭＬ及び検出線ＲＬが配置されていることとしたが、これに限定されない。本実施形態では、表示装置１は、カラム反転駆動方式を採用し、２個のＳＩＧＡＭＰが対をなしている。また、１個の画素Ｐｉｘが３個（３色）の副画素ＳＰｉｘを含み、１個の画素Ｐｉｘに３本の信号線ＳＬが接続されている。従って、２と３との最小公倍数である６の倍数本の信号線ＳＬごとに、駆動電極ＣＯＭＬ及び検出線ＲＬが配置されると良い。つまり、画素Ｐｉｘの２列ごと、４列ごと、６列ごと、・・・に、駆動電極ＣＯＭＬ及び検出線ＲＬが配置されると良い。画素Ｐｉｘの４列ごとに駆動電極ＣＯＭＬ及び検出線ＲＬが配置される場合には、検出画像データの１ライン内の検出画素データ数は、（Ｎ／４）個になる。画素Ｐｉｘの６列ごとに駆動電極ＣＯＭＬ及び検出線ＲＬが配置される場合には、検出画像データの１ライン内の検出画素データ数は、（Ｎ／６）個になる。
【００８９】
＜第１の実施形態に係る表示装置の第１の動作例＞
第１の実施形態に係る表示装置１の第１の動作例について、説明する。第１の動作例では、表示装置１は、Ｍ行の画素をＬ個のユニットに分割し、ユニットごとに画像表示及び画像検出を行う。なお、信号線ＳＬ及び検出線ＲＬは、画素の行と交差する列方向に延在している。表示装置１は、画像検出の際に、ユニットごとに信号線ＳＬにデータを印加し、信号線ＳＬと平行に延在している検出電極ＲＬによってユニットごとの表示データを検出する。
【００９０】
図６は、第１の実施形態に係る表示装置の表示領域を示す図である。
【００９１】
表示領域ＤＡのＭ本の水平ラインは、第１のユニットＵ１から第Ｌ（Ｌは、２以上の整数）のユニットＵＬまでのＬ個のユニットに分けられている。第１のユニットＵ１から第ＬのユニットＵＬまでの各々は、（Ｍ／Ｌ）本の水平ラインを有する。例えば、表示領域ＤＡが４８０本の水平ラインを有し、表示領域ＤＡが１０個のユニットに分けられる場合は、１０個のユニットの各々は、４８本の水平ラインを有する。
【００９２】
図７は、第１の実施形態に係る表示装置の第１の動作例の動作シーケンスを示す図である。図７は、表示装置１の２つのフレームに対する動作シーケンスを示している。図７に示すように、表示装置１は、第１のユニットＵ１から第ＬのユニットＵＬまでのＬ個のユニットに対して、順次制御を実行する。尚、図７においてはタイミングｔ０からタイミングｔ７までは１つ目のフレームとされ、タイミングｔ７からタイミングｔ１４までは２つ目のフレームとされる。 
【００９３】
表示装置１は、タイミングｔ０からタイミングｔ１までの間において、第１のユニットＵ１に含まれる（Ｍ／Ｌ）水平ラインでの１つ目のフレームにおける画像表示を実行する。表示装置１は、タイミングｔ０からタイミングｔ１までの画像表示の際は、正極性及び負極性の両方の画素信号を印加して、画像表示を実行する。表示装置１は、タイミングｔ１からタイミングｔ２までの間において、第１のユニットＵ１に含まれる（Ｍ／Ｌ）水平ラインでの１つ目のフレームにおける正極性の画像検出（正極性の画素信号の検出）を実行する。表示装置１は、タイミングｔ１からタイミングｔ２までの画像検出の際は、正極性だけの画素信号を印加して、画像検出（正極性の画素信号の検出）を実行する。
【００９４】
表示装置１は、タイミングｔ２からタイミングｔ３までの間において、第２のユニットＵ２に含まれる（Ｍ／Ｌ）水平ラインでの１つ目のフレームにおける画像表示を実行する。表示装置１は、タイミングｔ３からタイミングｔ４までの間において、第２のユニットＵ２に含まれる（Ｍ／Ｌ）水平ラインでの１つ目のフレームの正極性の画像検出（正極性の画素信号の検出）を実行する。
【００９５】
表示装置１は、タイミングｔ４からタイミングｔ５までの間において、タイミングｔ２からタイミングｔ４までの間と同様に、画像表示及び画像検出（正極性の画素信号の検出）を実行する。表示装置１は、タイミングｔ５からタイミングｔ６までの間において、第ＬのユニットＵＬに含まれる（Ｍ／Ｌ）水平ラインでの１つ目のフレームにおける画像表示を実行する。表示装置１は、タイミングｔ６からタイミングｔ７までの間において、第ＬのユニットＵＬに含まれる（Ｍ／Ｌ）水平ラインでの１つ目のフレームにおける正極性の画像検出（正極性の画素信号の検出）を実行する。
【００９６】
表示装置１は、タイミングｔ７からタイミングｔ８までの間において、第１のユニットＵ１に含まれる（Ｍ／Ｌ）水平ラインでの２つ目のフレームにおける画像表示を実行する。表示装置１は、タイミングｔ７からタイミングｔ８までの画像表示の際は、正極性及び負極性の両方の画素信号を印加して、画像表示を実行する。表示装置１は、タイミングｔ８からタイミングｔ９までの間において、第１のユニットＵ１に含まれる（Ｍ／Ｌ）水平ラインでの２つ目のフレームにおける負極性の画像検出（負極性の画素信号の検出）を実行する。表示装置１は、タイミングｔ８からタイミングｔ９までの画像検出の際は、負極性だけの画素信号を印加して、画像検出（負極性の画素信号の検出）を実行する。
【００９７】
表示装置１は、タイミングｔ９からタイミングｔ１０までの間において、第２のユニットＵ２に含まれる（Ｍ／Ｌ）水平ラインでの２つ目のフレームにおける画像表示を実行する。表示装置１は、タイミングｔ１０からタイミングｔ１１までの間において、第２のユニットＵ２に含まれる（Ｍ／Ｌ）水平ラインでの２つ目のフレームにおける負極性の画像検出（負極性の画素信号の検出）を実行する。
【００９８】
表示装置１は、タイミングｔ１１からタイミングｔ１２までの間において、タイミングｔ９からタイミングｔ１１までの間と同様に、画像表示及び画像検出（負極性の画素信号の検出）を実行する。表示装置１は、タイミングｔ１２からタイミングｔ１３までの間において、第ＬのユニットＵＬに含まれる（Ｍ／Ｌ）水平ラインでの２つ目のフレームにおける画像表示を実行する。表示装置１は、タイミングｔ１３からタイミングｔ１４までの間において、第ＬのユニットＵＬに含まれる（Ｍ／Ｌ）水平ラインでの２つ目のフレームにおける負極性の画像検出（負極性の画素信号の検出）を実行する。
【００９９】
図８は、第１の実施形態に係る表示装置の第１の動作例の動作タイミングを示す図である。
【０１００】
ＣＯＧ１１からＣＯＦ１２に出力される検出制御用のタイミング信号ＴＳＶＤは、ＣＯＧ１１が表示部ＤＳＰに画像を表示させる表示制御用の垂直同期信号と同じ信号が例示される。タイミング信号ＴＳＶＤの１つ目の立ち上がりエッジのタイミングｔ２０からタイミング信号ＴＳＶＤの２つ目の立ち上がりエッジのタイミングｔ２４までの期間は、１つ目のフレームの画像表示及び画像検出の期間である。タイミング信号ＴＳＶＤの２つ目の立ち上がりエッジのタイミングｔ２４以降の期間は、２つ目のフレームの画像表示及び画像検出の期間である。
【０１０１】
ＣＯＧ１１からＣＯＦ１２に出力される検出制御用のタイミング信号ＴＳＨＤは、画像表示期間及び画像検出期間を表す信号である。ＣＯＧ１１は、画像表示期間では、ローレベルのタイミング信号ＴＳＨＤをＣＯＦ１２に出力する。ＣＯＧ１１は、画像検出期間では、ハイレベルのタイミング信号ＴＳＨＤをＣＯＦ１２に出力する。
【０１０２】
ＣＯＧ１１からＣＯＦ１２に出力される検出制御用のタイミング信号ＨＳＹＮＣは、ＣＯＧ１１が表示部ＤＳＰに画像を表示させる表示制御用の水平同期信号と同じ周波数の信号が例示される。但し、ＣＯＦ１２は、検出制御を行う回路であって、表示制御を行う回路ではない。従って、ＣＯＧ１１は、画像表示期間、つまりタイミング信号ＴＳＨＤがローレベルの期間では、タイミング信号ＨＳＹＮＣを変化させる必要がない。一方、ＣＯＧ１１は、画像検出期間、つまりタイミング信号ＴＳＨＤがハイレベルの期間では、タイミング信号ＨＳＹＮＣを表示制御用の水平同期信号と同じ周波数で変化させる。
【０１０３】
ホストＨＳＴは、タイミングｔ２１において、１つ目のフレームの第１のユニットＵ１の（Ｍ／Ｌ）水平ライン分の画像データをＣＯＧ１１に出力する。ＣＯＧ１１は、ホストＨＳＴから供給される（Ｍ／Ｌ）水平ライン分の画像データをバッファ１１ａ（図２参照）に一時記憶する。従って、バッファ１１ａは、（Ｍ／Ｌ）水平ライン分の画像データを記憶可能な記憶容量を有すれば良い。
【０１０４】
タイミングｔ２１からタイミングｔ２２までは、１つ目のフレームの第１のユニットＵ１の画像表示期間である。ＣＯＧ１１は、タイミングｔ２１からタイミングｔ２２までの間は、ハイレベルの制御信号ＳＥＬ１及びＳＥＬ２（図５参照）を水平ドライバ８に出力する。従って、スイッチＳＷ１からＳＷ１２までは、導通状態になる。
【０１０５】
ＣＯＧ１１は、バッファ１１ａに記憶されている、１つ目のフレームの第１のユニットＵ１の（Ｍ／Ｌ）水平ライン分の画像データに基づいて、水平ドライバ８に画素信号の出力を行わせる。水平ドライバ８は、Ｎ本の信号線ＳＬの内の奇数番目及び偶数番目の内の一方の群に、正極性の画素信号ＳＩＧＰＬＵＳを出力し、Ｎ本の信号線ＳＬの内の奇数番目及び偶数番目の内の他方の群に、負極性の画素信号ＳＩＧＭＩＮＵＳを出力する。
【０１０６】
例えば、水平ドライバ８は、Ｎ本の信号線ＳＬの内の奇数番目の群（図５の信号線ＳＬ１、ＳＬ３、ＳＬ５、・・・参照）に、正極性の画素信号ＳＩＧＰＬＵＳを出力し、Ｎ本の信号線ＳＬの内の偶数番目の群（図５の信号線ＳＬ２、ＳＬ４、ＳＬ６、・・・参照）に、負極性の画素信号ＳＩＧＭＩＮＵＳを出力する。
【０１０７】
また、ＣＯＧ１１は、タイミングｔ２１からタイミングｔ２２までの間は、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０１０８】
タイミングｔ２２からタイミングｔ２３までは、１つ目のフレームの第１のユニットＵ１の正極性の画像検出期間である。ＣＯＧ１１は、タイミングｔ２２からタイミングｔ２３までの間は、ハイレベルの制御信号ＳＥＬ１及びローレベルの制御信号ＳＥＬ２（図５参照）を水平ドライバ８に出力する。従って、奇数番目のスイッチＳＷ１、ＳＷ３、ＳＷ５、・・・は、導通状態になり、偶数番目のスイッチＳＷ２、ＳＷ４、ＳＷ６、・・・は、遮断状態になる。
【０１０９】
ＣＯＧ１１は、バッファ１１ａに記憶されている、１つ目のフレームの第１のユニットＵ１の（Ｍ／Ｌ）水平ライン分の画像データに基づいて、水平ドライバ８に画素信号の出力を行わせる。つまり、水平ドライバ８は、タイミングｔ２１からタイミングｔ２２までの間に出力した正極性の画素信号ＳＩＧＰＬＵＳと同じ信号を、タイミングｔ２２からｔ２３までの間にもう１度出力する。水平ドライバ８は、Ｎ本の信号線ＳＬの内の奇数番目の群（図５の信号線ＳＬ１、ＳＬ３、ＳＬ５、・・・参照）に、正極性の画素信号ＳＩＧＰＬＵＳを出力する。
【０１１０】
また、ＣＯＧ１１は、タイミングｔ２２からタイミングｔ２３までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。なお、ＣＯＧ１１は、少なくとも、検出を現に行っている検出線ＲＬに対応する場所の駆動電極ＣＯＭＬだけをフローティング状態にしても良い。
【０１１１】
再び図５を参照すると、駆動電極ＣＯＭＬ１がフローティング状態であると、駆動電極ＣＯＭＬ１の電位は、信号線ＳＬ１、ＳＬ３及びＳＬ５に供給される画素信号ＳＩＧＰＬＵＳに起因して、変化する。また、信号線ＳＬ１、ＳＬ３及びＳＬ５と検出線ＲＬ１とが容量結合するので、信号線ＳＬ１、ＳＬ３及びＳＬ５に供給される画素信号ＳＩＧＰＬＵＳに起因して、検出線ＲＬ１に検出信号が生ずる。ＣＯＦ１２は、タイミング信号ＨＳＹＮＣに基づくタイミングで、検出線ＲＬ１に生ずる検出信号を読み取り、検出信号をサンプリング及びＡＤ（Analog  Digital）変換することにより、正極性の検出画素データを取得できる。
【０１１２】
ＣＯＧ１１及びＣＯＦ１２は、以降同様にして、１つ目のフレームの第２のユニットＵ２から第ＬのユニットＵＬまでの画像表示及び正極性の画像検出を行う。
【０１１３】
再び図８を参照すると、ホストＨＳＴは、タイミングｔ２５において、２つ目のフレームの第１のユニットＵ１の（Ｍ／Ｌ）水平ライン分の画像データをＣＯＧ１１に出力する。ＣＯＧ１１は、ホストＨＳＴから供給される（Ｍ／Ｌ）水平ライン分の画像データをバッファ１１ａ（図２参照）に一時記憶する。
【０１１４】
タイミングｔ２５からタイミングｔ２６までは、２つ目のフレームの第１のユニットＵ１の画像表示期間である。ＣＯＧ１１は、タイミングｔ２５からタイミングｔ２６までの間は、ハイレベルの制御信号ＳＥＬ１及びＳＥＬ２（図５参照）を水平ドライバ８に出力する。タイミングｔ２５からタイミングｔ２６までは画像表示期間であるので、スイッチＳＷ１からＳＷ１２までは、導通状態になる。タイミングｔ２５からタイミングｔ２６までは画像表示期間であるので、検出線ＲＬは、動作に関係しない。
【０１１５】
ＣＯＧ１１は、バッファ１１ａに記憶されている、２つ目のフレームの第１のユニットＵ１の（Ｍ／Ｌ）水平ライン分の画像データに基づいて、水平ドライバ８に画素信号の出力を行わせる。水平ドライバ８は、Ｎ本の信号線ＳＬの内の奇数番目及び偶数番目の内の一方の群に、正極性の画素信号ＳＩＧＰＬＵＳを出力し、Ｎ本の信号線ＳＬの内の奇数番目及び偶数番目の内の他方の群に、負極性の画素信号ＳＩＧＭＩＮＵＳを出力する。
【０１１６】
例えば、水平ドライバ８は、Ｎ本の信号線ＳＬの内の奇数番目の群（図５の信号線ＳＬ１、ＳＬ３、ＳＬ５、・・・参照）に、正極性の画素信号ＳＩＧＰＬＵＳを出力し、Ｎ本の信号線ＳＬの内の偶数番目の群（図５の信号線ＳＬ２、ＳＬ４、ＳＬ６、・・・参照）に、負極性の画素信号ＳＩＧＭＩＮＵＳを出力する。
【０１１７】
また、ＣＯＧ１１は、タイミングｔ２５からタイミングｔ２６までの間は、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０１１８】
タイミングｔ２６からタイミングｔ２７までは、２つ目のフレームの第１のユニットＵ１の負極性の画像検出期間である。ＣＯＧ１１は、タイミングｔ２６からタイミングｔ２７までの間は、ローレベルの制御信号ＳＥＬ１及びハイレベルの制御信号ＳＥＬ２（図５参照）を水平ドライバ８に出力する。従って、奇数番目のスイッチＳＷ１、ＳＷ３、ＳＷ５、・・・は、遮断状態になり、偶数番目のスイッチＳＷ２、ＳＷ４、ＳＷ６、・・・は、導通状態になる。
【０１１９】
ＣＯＧ１１は、バッファ１１ａに記憶されている、２つ目のフレームの第１のユニットＵ１の（Ｍ／Ｌ）水平ライン分の画像データに基づいて、水平ドライバ８に画素信号の出力を行わせる。つまり、水平ドライバ８は、タイミングｔ２５からタイミングｔ２６までの間に出力した負極性の画素信号ＳＩＧＭＩＮＵＳと同じ信号を、タイミングｔ２６からｔ２７までの間にもう１度出力する。水平ドライバ８は、Ｎ本の信号線ＳＬの内の偶数番目の群（図５の信号線ＳＬ２、ＳＬ４、ＳＬ６、・・・参照）に、負極性の画素信号ＳＩＧＭＩＮＵＳを出力する。
【０１２０】
また、ＣＯＧ１１は、タイミングｔ２６からタイミングｔ２７までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。
【０１２１】
再び図５を参照すると、駆動電極ＣＯＭＬ１がフローティング状態であると、駆動電極ＣＯＭＬ１の電位は、信号線ＳＬ２、ＳＬ４及びＳＬ６に供給される画素信号ＳＩＧＭＩＮＵＳに起因して、変化する。また、信号線ＳＬ２、ＳＬ４及びＳＬ６と検出線ＲＬ１とが容量結合するので、信号線ＳＬ２、ＳＬ４及びＳＬ６に供給される画素信号ＳＩＧＭＩＮＵＳに起因して、検出線ＲＬ１に検出信号が生ずる。ＣＯＦ１２は、タイミング信号ＨＳＹＮＣに基づくタイミングで、検出線ＲＬ１に生ずる検出信号を読み取り、検出信号をサンプリング及びＡＤ変換することにより 、負極性の検出画素データを取得できる。なお、ＣＯＦ１２は、検出信号のピークの電圧を読み取ることにより、負極性の検出画素データを取得しても良い。
【０１２２】
ＣＯＧ１１及びＣＯＦ１２は、以降同様にして、２つ目のフレームの第２のユニットＵ２から第ＬのユニットＵＬまでの画像表示及び負極性の画像検出を行う。
【０１２３】
図９は、第１の実施形態に係る表示装置の第１の動作例の動作タイミングを示す図である。図９は、図８のタイミングｔ２２からｔ２３までの期間、つまり１つ目のフレームの第１のユニットＵ１の正極性の画像検出期間を詳しく示す図である。
【０１２４】
タイミング信号ＴＳＨＤの立ち上がりエッジであるタイミングｔ３０から、１つ目のフレームの第１のユニットＵ１の正極性の画像検出期間が開始する。タイミング信号ＨＳＹＮＣの１つ目の立ち上がりエッジであるタイミングｔ３０からタイミング信号ＨＳＹＮＣの２つ目の立ち上がりエッジであるタイミングｔ３２までが、１つ目の１水平期間（１Ｈ）となる。
【０１２５】
タイミングｔ３０から一定時間後のタイミングｔ３１までの期間は、信号線ＳＬのプリチャージ期間である。
【０１２６】
水平ドライバ８のＳＩＧＡＭＰ１（図５参照）は、タイミングｔ３０からタイミングｔ３１までの期間に、接地電位ＧＮＤを信号線ＳＬ１に出力し、信号線ＳＬ１を接地電位ＧＮＤにプリチャージする。また、水平ドライバ８のＳＩＧＡＭＰ３（図５参照）は、タイミングｔ３０からタイミングｔ３１までの期間に、接地電位ＧＮＤを信号線ＳＬ３に出力し、信号線ＳＬ３を接地電位ＧＮＤにプリチャージする。また、水平ドライバ８のＳＩＧＡＭＰ５（図５参照）は、タイミングｔ３０からタイミングｔ３１までの期間に、接地電位ＧＮＤを信号線ＳＬ５に出力し、信号線ＳＬ５を接地電位ＧＮＤにプリチャージする。
【０１２７】
水平ドライバ８のＳＩＧＡＭＰ１は、タイミングｔ３１において、正極性の赤（Ｒ）の画素信号ＳＩＧＰＬＵＳ＿１を信号線ＳＬ１に出力する。また、水平ドライバ８のＳＩＧＡＭＰ３は、タイミングｔ３１において、正極性の青（Ｂ）の画素信号ＳＩＧＰＬＵＳ＿２を信号線ＳＬ３に出力する。また、水平ドライバ８のＳＩＧＡＭＰ５は、タイミングｔ３１において、正極性の緑（Ｇ）の画素信号ＳＩＧＰＬＵＳ＿３を信号線ＳＬ５に出力する。
【０１２８】
画素信号ＳＩＧＰＬＵＳ＿１、ＳＩＧＰＬＵＳ＿２及びＳＩＧＰＬＵＳ＿３が信号線ＳＬ１、ＳＬ３及びＳＬ５に夫々出力されると、検出線ＲＬ１には、画素信号ＳＩＧＰＬＵＳ＿１、ＳＩＧＰＬＵＳ＿２及びＳＩＧＰＬＵＳ＿３に起因して、検出信号ＳＩＧＲＬが生ずる。検出信号ＳＩＧＲＬは、電圧Ｖ４の微分である。この微分波形を検出し、電圧Ｖ４を算出する。電圧Ｖ４は、画素信号ＳＩＧＰＬＵＳ＿１の電圧をＶ１、画素信号ＳＩＧＰＬＵＳ＿２の電圧をＶ２、画素信号ＳＩＧＰＬＵＳ＿３の電圧をＶ３とすると、（Ｖ１＋Ｖ２＋Ｖ３）／３となる。
【０１２９】
ＣＯＦ１２は、タイミング信号ＨＳＹＮＣの立ち上がりエッジであるタイミングｔ３０から一定時間経過後の、検出信号ＳＩＧＲＬが安定するタイミングで、検出信号ＳＩＧＲＬを読み取り、検出信号をサンプリング及びＡＤ変換することにより、正極性の検出画素データを取得できる。なお、ＣＯＦ１２は、検出信号ＳＩＧＲＬのピークの電圧を読み取ることにより、正極性の検出画素データを取得しても良い。
【０１３０】
水平ドライバ８のＳＩＧＡＭＰ１は、タイミングｔ３２から一定時間後のタイミングｔ３３までの期間、接地電位ＧＮＤを信号線ＳＬ１に出力し、信号線ＳＬ１を接地電位ＧＮＤにプリチャージする。また、水平ドライバ８のＳＩＧＡＭＰ３は、タイミングｔ３２から一定時間後のタイミングｔ３３までの期間、接地電位ＧＮＤを信号線ＳＬ３に出力し、信号線ＳＬ３を接地電位ＧＮＤにプリチャージする。また、水平ドライバ８のＳＩＧＡＭＰ５は、タイミングｔ３２から一定時間後のタイミングｔ３３までの期間、接地電位ＧＮＤを信号線ＳＬ５に出力し、信号線ＳＬ５を接地電位ＧＮＤにプリチャージする。
【０１３１】
ＣＯＦ１２は、以降同様にして、２つ目以降のラインの正極性の画像検出を行う。
【０１３２】
なお、先に説明したように、検出画像データの１ライン内の検出画素データ数は、（Ｎ／２）個になる。また、図８及び図９で説明したように、表示装置１は、１ラインずつ画像検出を行う。従って、検出画像データは、Ｍ行×（Ｎ／２）列の画素データを含む。なお、表示装置１は、１つのユニットＵ内の１つの列に含まれる（Ｍ／Ｌ）個の検出画素データを１つに纏めても良い。例えば、表示装置１は、１つのユニットＵ内の１つの列に含まれる（Ｍ／Ｌ）個の検出画素データに相加平均又は相乗平均を実施して、１個の検出画素データを求めても良い。この場合には、検出画像データは、Ｌ行×（Ｎ／２）列の画素データを含む。
【０１３３】
図１０は、第１の実施形態に係る表示装置の第１の動作例の動作を示すフローチャートである。表示装置１は、フレームごとに、図１０に示す動作を実行する。
【０１３４】
ホストＨＳＴは、ステップＳ１００において、変数ｉを１に初期化する。変数ｉは、画像表示及び画像検出対象のユニット番号を表す変数である。
【０１３５】
ホストＨＳＴは、ステップＳ１０２において、第ｉのユニットＵｉの（Ｍ／Ｌ）水平ライン分の画像データをＣＯＧ１１に送信する。
【０１３６】
ＣＯＧ１１は、ステップＳ１０４において、第ｉのユニットＵｉの画像を表示する。
【０１３７】
ＣＯＦ１２は、ステップＳ１０６において、第ｉのユニットＵｉの正極性又は負極性の画像を検出する。
【０１３８】
ホストＨＳＴは、ステップＳ１０８において、第ｉのユニットＵｉの正極性又は負極性の検出画像データをＣＯＦ１２から読み出す。
【０１３９】
ホストＨＳＴは、ステップＳ１１０において、変数ｉの値がＬに等しいか否か、つまり第ＬのユニットＵＬの画像表示及び画像検出が終了したか否かを判定する。ホストＨＳＴは、変数ｉの値がＬに等しくないと判定したら（ステップＳ１１０でＮｏ）、処理をステップＳ１１２に進め、変数ｉの値がＬに等しいと判定したら（ステップＳ１１０でＹｅｓ）、処理をステップＳ１１４に進める。
【０１４０】
ホストＨＳＴは、変数ｉの値がＬに等しくないと判定したら（ステップＳ１１０でＮｏ）、ステップＳ１１２において、変数ｉの値をインクリメントし、処理をステップＳ１０２に進める。
【０１４１】
ホストＨＳＴは、変数ｉの値がＬに等しいと判定したら（ステップＳ１１０でＹｅｓ）、ステップＳ１１４において、画像表示に使用した画像データに基づいて、基準画像データを算出する。ホストＨＳＴは、ステップＳ１０２からステップＳ１０８までにおいて第ｉのユニットＵｉの正極性の画像が検出された場合には、画像データの内の負極性で出力された画素データを取り除き、画像データの内の正極性で出力された画素データだけを含む基準画像データを算出する。ホストＨＳＴは、ステップＳ１０２からステップＳ１０８までにおいて第ｉのユニットＵｉの負極性の画像が検出された場合には、画像データの内の正極性で出力された画素データを取り除き、画像データの内の負極性で出力された画素データを含む基準画像データを算出する。
【０１４２】
また、表示領域ＤＡがＭ行×Ｎ列の画素Ｐｉｘを有するので、画像データは、Ｍ行×Ｎ列の画素データを含む。一方、検出画像データは、先に説明したように、例えば、Ｍ行×（Ｎ／２）列又はＬ行×（Ｎ／２）列の検出画素データを含む。そこで、ホストＨＳＴは、例えば、画素数を減らすリサイズ処理を画像データに実施して、基準画像データを算出する。
【０１４３】
ホストＨＳＴは、ステップＳ１１６において、基準画像データと検出画像データとを比較する。ホストＨＳＴは、基準画像データと検出画像データとを画素ごとに比較する。つまり、ホストＨＳＴは、基準画像データ内の第ｍ行（ｍは、１≦ｍ≦Ｍの整数又は１≦ｍ≦Ｌの整数）第ｎ列（ｎは、１≦ｎ≦（Ｎ／２）の整数）の画素データと、検出画像データ内の第ｍ行第ｎ列の検出画素データと、を比較する。なお、ホストＨＳＴは、検出画像データの検出誤差を考慮して、基準画像データ内の各画素データ又は検出画像データ内の各画素データに予め定められた幅を持たせて、基準画像データと検出画像データとを比較しても良い。
【０１４４】
ホストＨＳＴは、基準画像データと検出画像データとを比較する際に、基準画像データ又は検出画像データに補正処理を実施しても良い。
【０１４５】
図１１は、検出信号と検出画像データとの関係の一例を示す図である。例えば、画像データの階調と、表示部ＤＳＰで実際に表示される画像の階調と、の関係が、線５１のような線形ではなく、線５２のような非線形であるので、画素信号には、線５３のようなガンマ補正が実施される。検出線ＲＬは、画素信号に起因する検出信号を生ずる。従って、検出信号は、ガンマ補正の影響を受けている。そこで、ホストＨＳＴは、ガンマ補正の逆補正を検出画像データに施して、基準画像データと検出画像データとを比較しても良い。つまり、ホストＨＳＴは、検出信号Ａと線５１との交点Ｂを検出画像データとしないで、検出信号Ａと線５３との交点Ｃを検出画像データとしても良い。あるいは、ホストＨＳＴは、ガンマ補正を基準画像データに施してから、基準画像データと検出画像データとを比較しても良い。
【０１４６】
ホストＨＳＴは、ステップＳ１１８において、基準画像データと検出画像データとの一致率が予め定められた閾値以上であるか否かを判定する。ホストＨＳＴは、基準画素データに一致した検出画素データの数を、検出画像データ内の全検出画素データの数で除して、一致率を算出する。
【０１４７】
ホストＨＳＴは、一致率が閾値以上であると判定したら（ステップＳ１１８でＹｅｓ）、処理をステップＳ１２０に進め、一致率が閾値以上ではないと判定したら（ステップＳ１１８でＮｏ）、処理をステップＳ１２２に進める。
【０１４８】
ホストＨＳＴは、一致率が閾値以上であると判定したら（ステップＳ１１８でＹｅｓ）、ステップＳ１２０において、画像が正常に表示されていると判定し、処理を終了する。
【０１４９】
ホストＨＳＴは、一致率が閾値以上ではないと判定したら（ステップＳ１１８でＮｏ）、ステップＳ１２２において、画像が正常に表示されていないと判定する。ホストＨＳＴは、ステップＳ１２４において、車載の警告ランプを表示、又は、表示装置１の再起動若しくは動作を停止し、処理を終了する。
【０１５０】
＜第１の実施形態に係る表示装置の第２の動作例＞
第１の実施形態に係る表示装置１の第２の動作例について、説明する。第２の動作例では、表示装置１は、１行ごとに画像表示及び画像検出を行う。
【０１５１】
図１２は、第１の実施形態に係る表示装置の第２の動作例の動作タイミングを示す図である。
【０１５２】
タイミング信号ＴＳＶＤの１つ目の立ち上がりエッジのタイミングｔ４０からタイミング信号ＴＳＶＤの２つ目の立ち上がりエッジのタイミングｔ４８までの期間は、１つ目のフレームの画像表示及び画像検出の期間である。タイミング信号ＴＳＶＤの２つ目の立ち上がりエッジのタイミングｔ４８以降の期間は、２つ目のフレームの画像表示及び画像検出の期間である。
【０１５３】
ＣＯＧ１１からＣＯＦ１２に出力される検出制御用のタイミング信号ＨＳＹＮＣは、ＣＯＧ１１が表示部ＤＳＰに画像を表示させる表示制御用の水平同期信号と同じ周波数の信号が例示される。
【０１５４】
ＣＯＧ１１は、全期間において、ハイレベルの制御信号ＳＥＬ１及びＳＥＬ２（図５参照）を水平ドライバ８に出力する。従って、スイッチＳＷ１からＳＷ１２までは、導通状態になる。
【０１５５】
タイミングｔ４１からタイミングｔ４４までは、１つ目のフレームの第１の水平ラインの正極性の画像検出、及び、表示書込み（画像表示）期間である。
【０１５６】
ホストＨＳＴは、タイミングｔ４１において、１つ目のフレームの第１の水平ラインの画像データをＣＯＧ１１に出力する。ＣＯＧ１１は、ホストＨＳＴから供給される１つ目のフレームの第１の水平ラインの画像データをバッファ１１ａ（図２参照）に一時記憶する。従って、バッファ１１ａは、１水平ラインの画像データを記憶可能な記憶容量を有すれば良い。
【０１５７】
タイミングｔ４１から一定時間後のタイミングｔ４２までの期間は、信号線ＳＬのプリチャージ期間である。
【０１５８】
水平ドライバ８は、タイミングｔ４１からタイミングｔ４２までの期間に、接地電位ＧＮＤを全部の信号線ＳＬに出力し、全部の信号線ＳＬを接地電位ＧＮＤにプリチャージする。
【０１５９】
タイミングｔ４２からタイミングｔ４３までは、１つ目のフレームの第１の水平ラインの正極性の画像検出期間である。
【０１６０】
ＣＯＧ１１は、タイミングｔ４２において、バッファ１１ａに記憶されている、１つ目のフレームの第１の水平ラインの画像データに基づいて、水平ドライバ８に１つ目のフレームの第１の水平ラインの正極性の画素信号の出力を行わせる。水平ドライバ８は、Ｎ本の信号線ＳＬの内の奇数番目及び偶数番目の内の一方の群に、１つ目のフレームの第１の水平ラインの正極性の画素信号ＳＩＧＰＬＵＳを出力し、Ｎ本の信号線ＳＬの内の奇数番目及び偶数番目の内の他方の群の電位（接地電位ＧＮＤ）を維持する。  
【０１６１】
例えば、水平ドライバ８は、Ｎ本の信号線ＳＬの内の奇数番目の群（図５の信号線ＳＬ１、ＳＬ３、ＳＬ５、・・・参照）に、１つ目のフレームの第１の水平ラインの正極性の画素信号ＳＩＧＰＬＵＳを出力する。また、水平ドライバ８は、Ｎ本の信号線ＳＬの内の偶数番目の群（図５の信号線ＳＬ２、ＳＬ４、ＳＬ６、・・・参照）の電位（接地電位ＧＮＤ）を維持する。
【０１６２】
また、ＣＯＧ１１は、タイミングｔ４１からタイミングｔ４３までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。
【０１６３】
再び図５を参照すると、駆動電極ＣＯＭＬ１がフローティング状態であると、駆動電極ＣＯＭＬ１の電位は、信号線ＳＬ１、ＳＬ３及びＳＬ５に供給される画素信号ＳＩＧＰＬＵＳに起因して、変化する。また、信号線ＳＬ１、ＳＬ３及びＳＬ５と検出線ＲＬ１とが容量結合するので、信号線ＳＬ１、ＳＬ３及びＳＬ５に供給される画素信号ＳＩＧＰＬＵＳに起因して、検出線ＲＬ１に検出信号ＳＩＧＲＬが生ずる。ＣＯＦ１２は、タイミング信号ＨＳＹＮＣに基づくタイミング、例えばタイミングｔ４２で、検出信号ＳＩＧＲＬを読み取り、検出信号をサンプリング及びＡＤ変換することにより、正極性の検出画素データを取得できる。検出信号は、スパイク状の信号である。なお、ＣＯＦ１２は、検出信号ＳＩＧＲＬのピークの電圧を読み取ることにより、正極性の検出画素データを取得しても良い。
【０１６４】
タイミングｔ４３からタイミングｔ４４までは、１つ目のフレームの第１の水平ラインの表示書込み（画像表示）期間である。
【０１６５】
ＣＯＧ１１は、タイミングｔ４３において、バッファ１１ａに記憶されている、１つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第１の水平ラインの正極性の画素信号ＳＩＧＰＬＵＳ）を維持し、Ｎ本の信号線ＳＬの内の奇数番目及び偶数番目の内の他方の群に、１つ目のフレームの第１の水平ラインの負極性の画素信号ＳＩＧＭＩＮＵＳを出力する。
【０１６６】
例えば、水平ドライバ８は、Ｎ本の信号線ＳＬの内の奇数番目の群（図５の信号線ＳＬ１、ＳＬ３、ＳＬ５、・・・参照）の電位（１つ目のフレームの第１の水平ラインの正極性の画素信号ＳＩＧＰＬＵＳ）を維持し、Ｎ本の信号線ＳＬの内の偶数番目の群（図５の信号線ＳＬ２、ＳＬ４、ＳＬ６、・・・参照）に、１つ目のフレームの第１の水平ラインの負極性の画素信号ＳＩＧＭＩＮＵＳを出力する。
【０１６７】
また、ＣＯＧ１１は、タイミングｔ４３からタイミングｔ４４までの間は、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０１６８】
タイミングｔ４４からタイミングｔ４７までは、１つ目のフレームの第２の水平ラインの正極性の画像検出、及び、表示書込み（画像表示）期間である。
【０１６９】
ホストＨＳＴは、タイミングｔ４４において、１つ目のフレームの第２の水平ラインの画像データをＣＯＧ１１に出力する。ＣＯＧ１１は、ホストＨＳＴから供給される１つ目のフレームの第２の水平ラインの画像データをバッファ１１ａ（図２参照）に一時記憶する。
【０１７０】
タイミングｔ４４から一定時間後のタイミングｔ４５までの期間は、信号線ＳＬのプリチャージ期間である。
【０１７１】
水平ドライバ８は、タイミングｔ４４からタイミングｔ４５までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ４４からタイミングｔ４５までの期間に、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０１７２】
例えば、水平ドライバ８は、Ｎ本の信号線ＳＬの内の奇数番目の群（図５の信号線ＳＬ１、ＳＬ３、ＳＬ５、・・・参照）に、接地電位ＧＮＤを出力する。また、水平ドライバ８は、Ｎ本の信号線ＳＬの内の偶数番目の群（図５の信号線ＳＬ２、ＳＬ４、ＳＬ６、・・・参照）の電位（１つ目のフレームの第１の水平ラインの負極性の画素信号ＳＩＧＭＩＮＵＳ）を維持する。
【０１７３】
タイミングｔ４５からタイミングｔ４６までは、１つ目のフレームの第２の水平ラインの正極性の画像検出期間である。
【０１７４】
ＣＯＧ１１は、タイミングｔ４５において、バッファ１１ａに記憶されている、１つ目のフレームの第２の水平ラインの画像データに基づいて、水平ドライバ８に正極性の画素信号の出力を行わせる。水平ドライバ８は、Ｎ本の信号線ＳＬの内の奇数番目及び偶数番目の内の一方の群に、１つ目のフレームの第２の水平ラインの正極性の画素信号ＳＩＧＰＬＵＳを出力し、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０１７５】
例えば、水平ドライバ８は、Ｎ本の信号線ＳＬの内の奇数番目の群（図５の信号線ＳＬ１、ＳＬ３、ＳＬ５、・・・参照）に、１つ目のフレームの第２の水平ラインの正極性の画素信号ＳＩＧＰＬＵＳを出力する。また、水平ドライバ８は、Ｎ本の信号線ＳＬの内の偶数番目の群（図５の信号線ＳＬ２、ＳＬ４、ＳＬ６、・・・参照）の電位（１つ目のフレームの第１の水平ラインの画素信号ＳＩＧＭＩＮＵＳ）を維持する。
【０１７６】
また、ＣＯＧ１１は、タイミングｔ４４からタイミングｔ４６までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。
【０１７７】
再び図５を参照すると、駆動電極ＣＯＭＬ１がフローティング状態であると、駆動電極ＣＯＭＬ１の電位は、信号線ＳＬ１、ＳＬ３及びＳＬ５に供給される画素信号ＳＩＧＰＬＵＳに起因して、変化する。また、信号線ＳＬ１、ＳＬ３及びＳＬ５と検出線ＲＬ１とが容量結合するので、信号線ＳＬ１、ＳＬ３及びＳＬ５に供給される画素信号ＳＩＧＰＬＵＳに起因して、検出線ＲＬ１に検出信号ＳＩＧＲＬが生ずる。ＣＯＦ１２は、タイミング信号ＨＳＹＮＣに基づくタイミング、例えばタイミングｔ４５で、検出信号ＳＩＧＲＬを読み取り、検出信号をサンプリング及びＡＤ変換することにより、正極性の検出画素データを取得できる。なお、ＣＯＦ１２は、検出信号ＳＩＧＲＬのピークの電圧を読み取ることにより、正極性の検出画素データを取得しても良い。
【０１７８】
タイミングｔ４６からタイミングｔ４７までは、１つ目のフレームの第２の水平ラインの表示書込み（画像表示）期間である。
【０１７９】
ＣＯＧ１１は、タイミングｔ４６において、バッファ１１ａに記憶されている、１つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第２の水平ラインの正極性の画素信号ＳＩＧＰＬＵＳ）を維持し、Ｎ本の信号線ＳＬの内の奇数番目及び偶数番目の内の他方の群に、１つ目のフレームの第２の水平ラインの負極性の画素信号ＳＩＧＭＩＮＵＳを出力する。
【０１８０】
例えば、水平ドライバ８は、Ｎ本の信号線ＳＬの内の奇数番目の群（図５の信号線ＳＬ１、ＳＬ３、ＳＬ５、・・・参照）の電位（１つ目のフレームの第２の水平ラインの正極性の画素信号ＳＩＧＰＬＵＳ）を維持し、Ｎ本の信号線ＳＬの内の偶数番目の群（図５の信号線ＳＬ２、ＳＬ４、ＳＬ６、・・・参照）に、１つ目のフレームの第２の水平ラインの負極性の画素信号ＳＩＧＭＩＮＵＳを出力する。
【０１８１】
また、ＣＯＧ１１は、タイミングｔ４６からタイミングｔ４７までの間は、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０１８２】
ＣＯＧ１１及びＣＯＦ１２は、以降同様にして、１つ目のフレームの第３の水平ラインから第Ｍの水平ラインまでの正極性の画像検出、及び、表示書込み（画像表示）を行う。
【０１８３】
タイミングｔ４９からタイミングｔ５２までは、２つ目のフレームの第１の水平ラインの負極性の画像検出、及び、表示書込み（画像表示）期間である。
【０１８４】
ホストＨＳＴは、タイミングｔ４９において、２つ目のフレームの第１の水平ラインの画像データをＣＯＧ１１に出力する。ＣＯＧ１１は、ホストＨＳＴから供給される２つ目のフレームの第１の水平ラインの画像データをバッファ１１ａ（図２参照）に一時記憶する。従って、バッファ１１ａは、１水平ラインの画像データを記憶可能な記憶容量を有すれば良い。
【０１８５】
タイミングｔ４９から一定時間後のタイミングｔ５０までの期間は、信号線ＳＬのプリチャージ期間である。
【０１８６】
水平ドライバ８は、タイミングｔ４９からタイミングｔ５０までの期間に、接地電位ＧＮＤを全部の信号線ＳＬに出力し、全部の信号線ＳＬを接地電位ＧＮＤにプリチャージする。
【０１８７】
タイミングｔ５０からタイミングｔ５１までは、２つ目のフレームの第１の水平ラインの負極性の画像検出期間である。
【０１８８】
ＣＯＧ１１は、タイミングｔ５０において、バッファ１１ａに記憶されている、２つ目のフレームの第１の水平ラインの画像データに基づいて、水平ドライバ８に２つ目のフレームの第１の水平ラインの負極性の画素信号の出力を行わせる。水平ドライバ８は、Ｎ本の信号線ＳＬの内の奇数番目及び偶数番目の内の一方の群に、２つ目のフレームの第１の水平ラインの負極性の画素信号ＳＩＧＭＩＮＵＳを出力し、Ｎ本の信号線ＳＬの内の奇数番目及び偶数番目の内の他方の群の電位（接地電位ＧＮＤ）を維持する。
【０１８９】
例えば、水平ドライバ８は、Ｎ本の信号線ＳＬの内の偶数番目の群（図５の信号線ＳＬ２、ＳＬ４、ＳＬ６、・・・参照）に、２つ目のフレームの第１の水平ラインの負極性の画素信号ＳＩＧＭＩＮＵＳを出力する。また、水平ドライバ８は、Ｎ本の信号線ＳＬの内の奇数番目の群（図５の信号線ＳＬ１、ＳＬ３、ＳＬ５、・・・参照）の電位（接地電位ＧＮＤ）を維持する。
【０１９０】
また、ＣＯＧ１１は、タイミングｔ５０からタイミングｔ５１までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。
【０１９１】
再び図５を参照すると、駆動電極ＣＯＭＬ１がフローティング状態であると、駆動電極ＣＯＭＬ１の電位は、信号線ＳＬ２、ＳＬ４及びＳＬ６に供給される画素信号ＳＩＧＭＩＮＵＳに起因して、変化する。また、信号線ＳＬ２、ＳＬ４及びＳＬ６と検出線ＲＬ１とが容量結合するので、信号線ＳＬ２、ＳＬ４及びＳＬ６に供給される画素信号ＳＩＧＭＩＮＵＳに起因して、検出線ＲＬ１に検出信号ＳＩＧＲＬが生ずる。ＣＯＦ１２は、タイミング信号ＨＳＹＮＣに基づくタイミング、例えばタイミングｔ５０で、検出信号ＳＩＧＲＬを読み取り、検出信号をサンプリング及びＡＤ変換することにより、負極性の検出画素データを取得できる。なお、ＣＯＦ１２は、検出信号ＳＩＧＲＬのピークの電圧を読み取ることにより、負極性の検出画素データを取得しても良い。
【０１９２】
タイミングｔ５１からタイミングｔ５２までは、２つ目のフレームの第１の水平ラインの表示書込み（画像表示）期間である。
【０１９３】
ＣＯＧ１１は、タイミングｔ５１において、バッファ１１ａに記憶されている、２つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第１の水平ラインの負極性の画素信号ＳＩＧＭＩＮＵＳ）を維持し、Ｎ本の信号線ＳＬの内の奇数番目及び偶数番目の内の他方の群に、２つ目のフレームの第１の水平ラインの正極性の画素信号ＳＩＧＰＬＵＳを出力する。
【０１９４】
例えば、水平ドライバ８は、Ｎ本の信号線ＳＬの内の偶数番目の群（図５の信号線ＳＬ２、ＳＬ４、ＳＬ６、・・・参照）の電位（２つ目のフレームの第１の水平ラインの負極性の画素信号ＳＩＧＭＩＮＵＳ）を維持し、Ｎ本の信号線ＳＬの内の奇数番目の群（図５の信号線ＳＬ１、ＳＬ３、ＳＬ５、・・・参照）に、２つ目のフレームの第１の水平ラインの正極性の画素信号ＳＩＧＰＬＵＳを出力する。
【０１９５】
また、ＣＯＧ１１は、タイミングｔ５１からタイミングｔ５２までの間は、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０１９６】
タイミングｔ５２以降は、２つ目のフレームの第２の水平ラインの負極性の画像検出、及び、表示書込み（画像表示）期間である。
【０１９７】
ホストＨＳＴは、タイミングｔ５２において、２つ目のフレームの第２の水平ラインの画像データをＣＯＧ１１に出力する。ＣＯＧ１１は、ホストＨＳＴから供給される２つ目のフレームの第２の水平ラインの画像データをバッファ１１ａ（図２参照）に一時記憶する。
【０１９８】
タイミングｔ５２から一定時間後のタイミングｔ５３までの期間は、信号線ＳＬのプリチャージ期間である。
【０１９９】
水平ドライバ８は、タイミングｔ５２からタイミングｔ５３までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ５２からタイミングｔ５３までの期間に、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０２００】
例えば、水平ドライバ８は、Ｎ本の信号線ＳＬの内の偶数番目の群（図５の信号線ＳＬ２、ＳＬ４、ＳＬ６、・・・参照）に、接地電位ＧＮＤを出力する。また、水平ドライバ８は、Ｎ本の信号線ＳＬの内の奇数番目の群（図５の信号線ＳＬ１、ＳＬ３、ＳＬ５、・・・参照）の電位（２つ目のフレームの第１の水平ラインの正極性の画素信号ＳＩＧＰＬＵＳ）を維持する。
【０２０１】
タイミングｔ５３からタイミングｔ５４までは、２つ目のフレームの第２の水平ラインの負極性の画像検出期間である。
【０２０２】
ＣＯＧ１１は、タイミングｔ５３において、バッファ１１ａに記憶されている、２つ目のフレームの第２の水平ラインの画像データに基づいて、水平ドライバ８に負極性の画素信号の出力を行わせる。水平ドライバ８は、Ｎ本の信号線ＳＬの内の奇数番目及び偶数番目の内の一方の群に、２つ目のフレームの第２の水平ラインの負極性の画素信号ＳＩＧＭＩＮＵＳを出力し、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０２０３】
例えば、水平ドライバ８は、Ｎ本の信号線ＳＬの内の偶数番目の群（図５の信号線ＳＬ２、ＳＬ４、ＳＬ６、・・・参照）に、２つ目のフレームの第２の水平ラインの負極性の画素信号ＳＩＧＭＩＮＵＳを出力する。また、水平ドライバ８は、Ｎ本の信号線ＳＬの内の奇数番目の群（図５の信号線ＳＬ１、ＳＬ３、ＳＬ５、・・・参照）の電位（２つ目のフレームの第１の水平ラインの画素信号ＳＩＧＰＬＵＳ）を維持する。
【０２０４】
また、ＣＯＧ１１は、タイミングｔ５２からタイミングｔ５４までの間は、ローレベルの制御信号ＳＥＬ３（図５参照）を駆動電極ドライバ９に出力する。従って、スイッチＳＷ２１及びＳＷ２２は、遮断状態になる。これにより、全部の駆動電極ＣＯＭＬは、フローティング状態になる。
【０２０５】
再び図５を参照すると、駆動電極ＣＯＭＬ１がフローティング状態であると、駆動電極ＣＯＭＬ１の電位は、信号線ＳＬ２、ＳＬ４及びＳＬ６に供給される画素信号ＳＩＧＭＩＮＵＳに起因して、変化する。また、信号線ＳＬ２、ＳＬ４及びＳＬ６と検出線ＲＬ１とが容量結合するので、信号線ＳＬ２、ＳＬ４及びＳＬ６に供給される画素信号ＳＩＧＭＩＮＵＳに起因して、検出線ＲＬ１に検出信号ＳＩＧＲＬが生ずる。ＣＯＦ１２は、タイミング信号ＨＳＹＮＣに基づくタイミング、例えばタイミングｔ５３で、検出信号ＳＩＧＲＬを読み取り、検出信号をサンプリング及びＡＤ変換することにより、負極性の検出画素データを取得できる。なお、ＣＯＦ１２は、検出信号ＳＩＧＲＬのピークの電圧を読み取ることにより、負極性の検出画素データを取得しても良い。
【０２０６】
タイミングｔ５４以降は、２つ目のフレームの第２の水平ラインの表示書込み（画像表示）期間である。
【０２０７】
ＣＯＧ１１は、タイミングｔ５４において、バッファ１１ａに記憶されている、２つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第２の水平ラインの負極性の画素信号ＳＩＧＭＩＮＵＳ）を維持し、Ｎ本の信号線ＳＬの内の奇数番目及び偶数番目の内の他方の群に、２つ目のフレームの第２の水平ラインの正極性の画素信号ＳＩＧＰＬＵＳを出力する。
【０２０８】
例えば、水平ドライバ８は、Ｎ本の信号線ＳＬの内の偶数番目の群（図５の信号線ＳＬ２、ＳＬ４、ＳＬ６、・・・参照）の電位（２つ目のフレームの第２の水平ラインの負極性の画素信号ＳＩＧＭＩＮＵＳ）を維持し、Ｎ本の信号線ＳＬの内の奇数番目の群（図５の信号線ＳＬ１、ＳＬ３、ＳＬ５、・・・参照）に、２つ目のフレームの第２の水平ラインの正極性の画素信号ＳＩＧＰＬＵＳを出力する。
【０２０９】
また、ＣＯＧ１１は、タイミングｔ５４からは、ハイレベルの制御信号ＳＥＬ３（図５参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図４参照）の各々と駆動電極ＣＯＭＬとの間に電界が形成され、画像が表示される。
【０２１０】
ＣＯＧ１１及びＣＯＦ１２は、以降同様にして、２つ目のフレームの第３の水平ラインから第Ｍの水平ラインまでの負極性の画像検出、及び、表示書込み（画像表示）を行う。
【０２１１】
なお、先に説明したように、検出画像データの１ライン内の検出画素データ数は、（Ｎ／２）個になる。また、図１２で説明したように、表示装置１は、１ラインずつ画像検出を行う。従って、検出画像データは、Ｍ行×（Ｎ／２）列の画素データを含む。
【０２１２】
図１３は、第１の実施形態に係る表示装置の第２の動作例の動作を示すフローチャートである。表示装置１は、フレームごとに、図１３に示す動作を実行する。
【０２１３】
ホストＨＳＴは、ステップＳ２００において、変数ｉを１に初期化する。変数ｉは、画像検出及び表示書込み（画像表示）対象のライン番号を表す変数である。
【０２１４】
ホストＨＳＴは、ステップＳ２０２において、第ｉの水平ラインの画像データをＣＯＧ１１に送信する。
【０２１５】
ＣＯＦ１２は、ステップＳ２０４において、第ｉの水平ラインの正極性又は負極性の画像を検出する。
【０２１６】
ホストＨＳＴは、ステップＳ２０６において、第ｉの水平ラインの正極性又は負極性の検出画像データをＣＯＦ１２から読み出す。
【０２１７】
ＣＯＧ１１は、ステップＳ２０８において、第ｉの水平ラインの画像を表示する。
【０２１８】
ホストＨＳＴは、ステップＳ２１０において、変数ｉの値がＭに等しいか否かを判定する。ホストＨＳＴは、変数ｉの値がＭに等しくないと判定したら（ステップＳ２１０でＮｏ）、処理をステップＳ２１２に進め、変数ｉの値がＭに等しいと判定したら（ステップＳ２１０でＹｅｓ）、処理をステップＳ２１４に進める。
【０２１９】
ホストＨＳＴは、変数ｉの値がＭに等しくないと判定したら（ステップＳ２１０でＮｏ）、ステップＳ２１２において、変数ｉの値をインクリメントし、処理をステップＳ２０２に進める。
【０２２０】
ステップＳ２１４からステップＳ２２４までは、第１の動作例のステップＳ１１４からステップＳ１２４まで（図１０参照）と同様であるので、説明を省略する。
【０２２１】
表示装置１は、下記の特徴を有する。なお、表示装置１は、下記記載以外の特徴も有する。検出部ＤＥＴの検出線ＲＬは、表示部ＤＳＰの信号線ＳＬと容量結合する。検出線ＲＬには、信号線ＳＬに供給される画素信号に起因して検出信号が生ずる。従って、ＣＯＧ１１から水平ドライバ８を経由して信号線ＳＬに至る経路にトラブルが無ければ、検出画像データは、画像データに一致する。一方、ＣＯＧ１１から水平ドライバ８を経由して信号線ＳＬに至る経路にトラブルが有れば、検出画像データは、画像データに一致しない。従って、表示装置１は、検出画像データにより、ＣＯＧ１１から水平ドライバ８を経由して信号線ＳＬに至る経路にトラブルが有るか無いかを判定でき、安全性を高めることができる。
【０２２２】
なお、表示装置１は、信号線ＳＬよりも後段の画素Ｐｉｘにトラブルが有る場合には、画素Ｐｉｘのトラブルを判定できない。しかしながら、画素Ｐｉｘにトラブルが有る場合には、画像の１ドットが影響を受けるだけであるので、安全性に与える影響は軽微である。一方、ＣＯＧ１１から水平ドライバ８を経由して信号線ＳＬに至る経路にトラブルが有る場合には、画像の１カラムが影響を受けるので、安全性に与える影響は大きい。表示装置１は、ＣＯＧ１１から水平ドライバ８を経由して信号線ＳＬに至る経路にトラブルが有るか無いかを判定できるので、安全性を高めることができる。
【０２２３】
また、表示装置１は、信号線ＳＬと異なる層に配置された検出線ＲＬで画像を検出するので、画素Ｐｉｘは、特許文献１記載の液晶表示装置の検出部を含んでいない。従って、表示装置１は、高精細化の要請に添うことができる。また、表示装置１は、特許文献１記載の液晶表示装置と異なり、計測用Ｘドライバ及び計測用Ｙドライバを備えていない。従って、表示装置１は、回路数を抑制でき、装置サイズを抑制でき、コストを低減できる。
【０２２４】
また、パネルＰＮＬの構造（図２及び図４参照）は、広く普及している相互静電容量型のタッチ検出機能付き表示装置の構造と共通点を有する。図２を参照すると、表示装置１では、検出線ＲＬの延在方向は、駆動電極ＣＯＭＬの延在方向と同じである。一方、タッチ検出機能付き表示装置では、タッチ検出線の延在方向は駆動電極の延在方向と交差する方向であり、駆動電極とタッチ検出線との交点でタッチが検出される。図４を参照すると、検出線ＲＬの配置層は、タッチ検出機能付き表示装置の検出線の配置層と同じである。従って、パネルＰＮＬは、タッチ検出機能付き表示装置の検出線の延在方向を変更することで、製造できる。これにより、パネルＰＮＬは、タッチ検出機能付き表示装置の製造工程を流用できるので、開発コスト及び製造コストを低減できる。
【０２２５】
また、ＣＯＦ１２は、タッチ検出機能付き表示装置のタッチＩＣと共通点を有する。図２を参照すると、ＣＯＦ１２は、検出線ＲＬに接続され、検出線ＲＬに生ずる検出信号を読み取る。従って、ＣＯＦ１２は、タッチ検出機能付き表示装置のタッチＩＣの一部又は全部を流用できるので、開発コスト及び製造コストを低減できる。
また、表示装置１は、少なくとも１つの信号線ＳＬに正極性又は負極性の信号を入力し、正極性又は負極性の信号が入力された少なくとも１つの信号線ＳＬに対応する少なくとも１つの検出線ＲＬで、検出信号を検出しても良い。
【０２２６】
＜変形例＞
第１の実施形態では、本発明をいわゆる横電界型の液晶表示装置に適用した場合について説明したが、本発明は、横電界型の液晶表示装置に限定されず、いわゆる縦電界型の液晶表示装置にも適用可能である。縦電界型の液晶表示装置は、ＴＮ（Twisted  Nematic）、ＶＡ（Vertical  Alignment）、ＥＣＢ（Electrically  Controlled  Birefringence）が例示される。
【０２２７】
図１４は、第１の実施形態の変形例に係る表示装置のパネルの断面構造を示す模式図である。図１４は、３個の画素Ｐｉｘの断面構造を示す模式図である。
【０２２８】
パネルＰＮＬａは、表示部ＤＳＰに検出部ＤＥＴを内蔵して一体化した、いわゆるインセルタイプの装置である。
【０２２９】
パネルＰＮＬａは、第１基板５ａと、第１基板５ａに対向する第２基板６ａと、第１基板５ａと第２基板６ａとの間に配置された液晶ＬＣと、を含む。
【０２３０】
第１基板５ａは、透光性絶縁基板である基板３１を有する。基板３１のＺ方向と反対側の面には、偏光板３２が配置されている。
【０２３１】
基板３１のＺ方向側の面には、メタル層の走査線ＧＬが形成されている。走査線ＧＬは、Ｘ方向（図１４中の左右方向）に沿って延在している。走査線ＧＬのＺ方向側の上には、絶縁層３３が形成されている。なお、ＴＦＴ素子Ｔｒ（図３参照）は、図１４では図示を省略しているが、走査線ＧＬと絶縁層３３との間に形成されても良い。
【０２３２】
絶縁層３３のＺ方向側の面には、透明導電膜層の画素電極ＰＥ１からＰＥ９まで及び信号線ＳＬ１からＳＬ９までが、交互に形成されている。信号線ＳＬは、Ｙ方向（図１４の紙面に垂直な方向）に沿って延在している。
【０２３３】
第２基板６ａは、透光性絶縁基板である基板４１を有する。基板４１のＺ方向と反対側の面には、赤（Ｒ）に着色された色領域２２Ｒ１、緑（Ｇ）に着色された色領域２２Ｇ１、青（Ｂ）に着色された色領域２２Ｂ１、赤（Ｒ）に着色された色領域２２Ｒ２、緑（Ｇ）に着色された色領域２２Ｇ２、青（Ｂ）に着色された色領域２２Ｂ２、赤（Ｒ）に着色された色領域２２Ｒ３、緑（Ｇ）に着色された色領域２２Ｇ３及び青（Ｂ）に着色された色領域２２Ｂ３が、形成されている。
【０２３４】
色領域２２Ｒ１、色領域２２Ｇ１及び色領域２２Ｂ１のＺ方向と反対側の面には、駆動電極ＣＯＭＬ１が、形成されている。駆動電極ＣＯＭＬ１は、Ｙ方向（図１４の紙面に垂直な方向）に沿って延在している。
【０２３５】
色領域２２Ｒ２、色領域２２Ｇ２及び色領域２２Ｂ２のＺ方向と反対側の面には、駆動電極ＣＯＭＬ２が、形成されている。駆動電極ＣＯＭＬ２は、Ｙ方向（図１４の紙面に垂直な方向）に沿って延在している。
【０２３６】
色領域２２Ｒ３、色領域２２Ｇ３及び色領域２２Ｂ３のＺ方向と反対側の面には、駆動電極ＣＯＭＬ３が、形成されている。駆動電極ＣＯＭＬ３は、Ｙ方向（図１４の紙面に垂直な方向）に沿って延在している。
【０２３７】
基板４１のＺ方向側の面には、検出線ＲＬ１からＲＬ３までが形成されている。検出線ＲＬ１からＲＬ３までは、Ｙ方向（図１４の紙面に垂直な方向）に沿って延在している。検出線ＲＬ１からＲＬ３までが、図１の検出部ＤＥＴに対応する。
【０２３８】
検出線ＲＬ１からＲＬ３までのＺ方向側の上には、液晶ＬＣを通過した光の内の一定方向の偏光成分だけを通過させる偏光板４２が配置されている。偏光板４２のＺ方向側には、透光性のカバー部材４４が配置されている。カバー部材４４は、ガラス又は樹脂が例示される。
【０２３９】
画素電極ＰＥ１、ＰＥ２及びＰＥ３の各々と駆動電極ＣＯＭＬ１との間には電界が形成され、この電界によって液晶ＬＣの分子がＺ方向側に立ち上がったり立ち下がったりすることにより、偏光板３２を通過した光の偏光方向が回転される。画素電極ＰＥ４、ＰＥ５及びＰＥ６の各々と駆動電極ＣＯＭＬ２との間には電界が形成され、この電界によって液晶ＬＣの分子がＺ方向側に立ち上がったり立ち下がったりすることにより、偏光板３２を通過した光の偏光方向が回転される。画素電極ＰＥ７、ＰＥ８及びＰＥ９の各々と駆動電極ＣＯＭＬ３との間には電界が形成され、この電界によって液晶ＬＣの分子がＺ方向側に立ち上がったり立ち下がったりすることにより、偏光板３２を通過した光の偏光方向が回転される。つまり、パネルＰＮＬａは、いわゆる縦電界型の液晶表示装置である。
【０２４０】
（第２の実施形態）
図１５は、第２の実施形態に係る表示装置のモジュール構成を示す図である。なお、第２の実施形態以降の実施形態において、第１の実施形態と共通する事項については記載を適宜省略する。
【０２４１】
パネルＰＮＬｂは、基板４ｂと、ドライバＩＣであるＣＯＧ１１と、検出ＩＣであるＣＯＦ１２と、を含む。基板４ｂは、第１基板５ｂと、第１基板５ｂのＺ方向側に配置され、第１基板５ｂと所定の間隙をもって対向する第２基板６ｂと、を含む。
【０２４２】
基板４ｂは、液晶素子を含む画素Ｐｉｘがマトリクス状（行列状）に多数配置されている表示領域ＤＡと、表示領域ＤＡの外側の周辺領域ＧＤと、を含む。周辺領域ＧＤには、垂直ドライバ（垂直駆動回路）７と、水平ドライバ（水平駆動回路）８と、駆動電極ドライバ９と、が配置されている。
【０２４３】
ＣＯＧ１１は、第１基板５ｂ上に実装され、垂直ドライバ７、水平ドライバ８及び駆動電極ドライバ９を制御する。ＣＯＦ１２は、第１基板５ｂに接続されたフレキシブルプリント基板Ｔ上に実装されている。ＣＯＧ１１及びＣＯＦ１２は、フレキシブルプリント基板Ｔを介して、ホストＨＳＴ（図１参照）に接続されている。ＣＯＧ１１は、ホストＨＳＴから供給される画像データを一時記憶するバッファ１１ａを含む。
【０２４４】
表示領域ＤＡは、画素ＰｉｘがＭ行×Ｎ列に配列されたマトリクス（行列状）構造を有している。表示領域ＤＡには、画素ＰｉｘのＭ行×Ｎ列の配列に対して行ごとに、Ｘ方向に沿って延在する走査線ＧＬが配置され、列ごとに、Ｙ方向に沿って延在する信号線ＳＬが配置されている。従って、走査線ＧＬの本数は、Ｍ本であり、信号線ＳＬの本数は、Ｎ本である。
【０２４５】
また、表示領域ＤＡには、画素Ｐｉｘの２列ごとに、Ｙ方向に沿って延在する駆動電極ＣＯＭＬが配置されている。従って、駆動電極ＣＯＭＬの本数は、（Ｎ／２）本である。なお、駆動電極ＣＯＭＬが画素Ｐｉｘの２列ごとに配置されることは例示であり、これに限定されない。
【０２４６】
駆動電極ＣＯＭＬは、透明材質で形成され、例えば、少なくとも１列の画素Ｐｉｘに対して共通に形成されている。駆動電極ＣＯＭＬは、駆動電極ドライバ９に接続されている。駆動電極ドライバ９は、画像表示期間では、駆動電極ＣＯＭＬに一定の駆動信号ＶＣＯＭを供給する。駆動電極ドライバ９は、画像検出期間では、駆動電極ＣＯＭＬをフローティング（ハイインピーダンス） にする。駆動電極ＣＯＭＬは、画像表示期間では、画素電極ＰＥ（図３参照）との間で液晶を駆動するための電界を発生させる。
【０２４７】
本実施形態では、駆動電極ＣＯＭＬが、信号線ＳＬと容量結合し、画像検出期間では、 信号線ＳＬに供給される画素信号に起因して検出信号を生ずる。
【０２４８】
本実施形態では、駆動電極ＣＯＭＬが、図１の検出部ＤＥＴに対応する。
【０２４９】
ＣＯＦ１２は、駆動電極ＣＯＭＬに接続され、画像検出期間では、 画素信号に起因して駆動電極ＣＯＭＬに生ずる検出信号に基づいて、検出画像データをホストＨＳＴに出力する。なお、本実施形態では、駆動電極ＣＯＭＬが、画素Ｐｉｘの２列ごとに配置されている。従って、検出画像データの１ライン内の検出画素データ数は、（Ｎ／２）個になる。なお、駆動電極ＣＯＭＬが、画素Ｐｉｘの２列ごとに配置されていることは例示であって、これに限定されない。駆動電極ＣＯＭＬが、画素Ｐｉｘの１列ごと又は３列以上ごとに配置されていても良い。
【０２５０】
図１６は、第２の実施形態に係る表示装置のパネルの断面構造を示す模式図である。図１６は、１個の画素Ｐｉｘの断面構造を示す模式図である。
【０２５１】
パネルＰＮＬｂは、表示部ＤＳＰに検出部ＤＥＴを内蔵して一体化した、いわゆるインセルタイプの装置である。パネルＰＮＬｂは、第１基板５ｂと、第１基板５ｂに対向する第２基板６ｂと、第１基板５ｂと第２基板６ｂとの間に配置された液晶ＬＣと、を含む。
【０２５２】
第１基板５ｂの構成は、第１の実施形態の第１基板５と同様であるので、説明を省略する。
【０２５３】
第２基板６ｂの構成は、第１の実施形態の第２基板６と比較すると、検出線ＲＬを含んでいない。
【０２５４】
図１７は、第２の実施形態に係る表示装置の水平ドライバ、駆動電極ドライバ及びＣＯＦの構成を示す図である。図１７は、水平ドライバ８の内の、４列の画素Ｐｉｘを駆動する部分と、駆動電極ドライバ９の内の、４列の画素Ｐｉｘを駆動する部分と、ＣＯＦ１２の内の、４列の画素の検出信号を読み取る部分と、を示す図である。
【０２５５】
駆動回路である アンプＣＯＭＡＭＰと駆動電極ＣＯＭＬ１との間には、スイッチＳＷ２１が配置されている。スイッチＳＷ２１は、ＣＯＧ１１（図１５参照）から供給される制御信号ＳＥＬ３がハイレベルの場合に、アンプＣＯＭＡＭＰと駆動電極ＣＯＭＬ１との間を導通し、制御信号ＳＥＬ３がローレベルの場合に、アンプＣＯＭＡＭＰと駆動電極ＣＯＭＬ１との間を遮断する。
【０２５６】
画像表示期間では、制御信号ＳＥＬ３は、ハイレベルになり、スイッチＳＷ２１は、アンプＣＯＭＡＭＰと駆動電極ＣＯＭＬ１との間を導通し、駆動信号ＶＣＯＭが駆動電極ＣＯＭＬ１に供給される。画像検出期間では、制御信号ＳＥＬ３は、ローレベルになり、スイッチＳＷ２１は、アンプＣＯＭＡＭＰと駆動電極ＣＯＭＬ１との間を遮断し、駆動信号ＶＣＯＭが駆動電極ＣＯＭＬ１に供給されない。
【０２５７】
アンプＣＯＭＡＭＰと駆動電極ＣＯＭＬ２との間には、スイッチＳＷ２２が配置されている。スイッチＳＷ２２は、ＣＯＧ１１（図１５参照）から供給される制御信号ＳＥＬ３がハイレベルの場合に、アンプＣＯＭＡＭＰと駆動電極ＣＯＭＬ２との間を導通し、制御信号ＳＥＬ３がローレベルの場合に、アンプＣＯＭＡＭＰと駆動電極ＣＯＭＬ２との間を遮断する。
【０２５８】
画像表示期間では、制御信号ＳＥＬ３は、ハイレベルになり、スイッチＳＷ２２は、アンプＣＯＭＡＭＰと駆動電極ＣＯＭＬ２との間を導通し、駆動信号ＶＣＯＭが駆動電極ＣＯＭＬ２に供給される。画像検出期間では、制御信号ＳＥＬ３は、ローレベルになり、スイッチＳＷ２２は、アンプＣＯＭＡＭＰと駆動電極ＣＯＭＬ２との間を遮断し、駆動信号ＶＣＯＭが駆動電極ＣＯＭＬ２に供給されない。
【０２５９】
本実施形態では、画素Ｐｉｘの２列ごとに、駆動電極ＣＯＭＬが配置されている。従って、画像表示期間では、駆動電極ＣＯＭＬ１は、第１列目及び第２列目の画素Ｐｉｘに駆動信号ＶＣＯＭを供給する。画像表示期間では、駆動電極ＣＯＭＬ２は、第３列目及び第４列目の画素Ｐｉｘに駆動信号ＶＣＯＭを供給する。
【０２６０】
本実施形態では、画素Ｐｉｘの２列ごとに、駆動電極ＣＯＭＬが配置されている。従って、駆動電極ＣＯＭＬ１は、信号線ＳＬ１からＳＬ６までと容量結合し、画像検出期間では、 信号線ＳＬ１からＳＬ６までに供給される画素信号に起因して検出信号を生ずる。駆動電極ＣＯＭＬ２は、信号線ＳＬ７からＳＬ１２までと容量結合し、信号線ＳＬ７からＳＬ１２までに供給される画素信号に起因して検出信号を生ずる。
【０２６１】
ＣＯＦ１２（図１５参照）は、積分回路である検出回路ＩＮＴ１及びＩＮＴ２を含む。検出回路ＩＮＴ１と駆動電極ＣＯＭＬ１との間には、スイッチＳＷ３１が配置されている。スイッチＳＷ３１は、ＣＯＧ１１（図１５参照）から供給される制御信号ＳＥＬ４がハイレベルの場合に、検出回路ＩＮＴ１と駆動電極ＣＯＭＬ１との間を導通し、制御信号ＳＥＬ４がローレベルの場合に、検出回路ＩＮＴ１と駆動電極ＣＯＭＬ１との間を遮断する。
【０２６２】
画像表示期間では、制御信号ＳＥＬ４は、ローレベルになり、スイッチＳＷ３１は、検出回路ＩＮＴ１と駆動電極ＣＯＭＬ１との間を遮断する。画像検出期間では、制御信号ＳＥＬ４は、ハイレベルになり、スイッチＳＷ３１は、検出回路ＩＮＴ１と駆動電極ＣＯＭＬ１との間を導通し、検出信号が検出回路ＩＮＴ１に供給される。検出回路ＩＮＴ１は、検出信号と基準電位Ｖｒｅｆとを比較して、検出信号を読み取る。
【０２６３】
検出回路ＩＮＴ２と駆動電極ＣＯＭＬ２との間には、スイッチＳＷ３２が配置されている。スイッチＳＷ３２は、ＣＯＧ１１（図１５参照）から供給される制御信号ＳＥＬ４がハイレベルの場合に、検出回路ＩＮＴ２と駆動電極ＣＯＭＬ２との間を導通し、制御信号ＳＥＬ４がローレベルの場合に、検出回路ＩＮＴ２と駆動電極ＣＯＭＬ２との間を遮断する。
【０２６４】
画像表示期間では、制御信号ＳＥＬ４は、ローレベルになり、スイッチＳＷ３２は、検出回路ＩＮＴ２と駆動電極ＣＯＭＬ２との間を遮断する。画像検出期間では、制御信号ＳＥＬ４は、ハイレベルになり、スイッチＳＷ３２は、検出回路ＩＮＴ２と駆動電極ＣＯＭＬ２との間を導通し、検出信号が検出回路ＩＮＴ２に供給される。検出回路ＩＮＴ２は、検出信号と基準電位Ｖｒｅｆとを比較して、検出信号を読み取る。
【０２６５】
＜第２の実施形態に係る表示装置の動作例＞
第２の実施形態に係る表示装置の動作例について、説明する。本動作例では、表示装置は、１行ごとに画像表示及び画像検出を行う。
【０２６６】
図１８ は、第２の実施形態に係る表示装置の動作例の動作タイミングを示す図である。
【０２６７】
タイミング信号ＴＳＶＤの１つ目の立ち上がりエッジのタイミングｔ６０からタイミング信号ＴＳＶＤの２つ目の立ち上がりエッジのタイミングｔ６８までの期間は、１つ目のフレームの画像表示及び画像検出の期間である。タイミング信号ＴＳＶＤの２つ目の立ち上がりエッジのタイミングｔ６８以降の期間は、２つ目のフレームの画像表示及び画像検出の期間である。
【０２６８】
ＣＯＧ１１からＣＯＦ１２に出力される検出制御用のタイミング信号ＨＳＹＮＣは、ＣＯＧ１１が表示部ＤＳＰに画像を表示させる表示制御用の水平同期信号と同じ周波数の信号が例示される。
【０２６９】
ＣＯＧ１１は、全期間において、ハイレベルの制御信号ＳＥＬ１及びＳＥＬ２（図１７参照）を水平ドライバ８に出力する。従って、スイッチＳＷ１からＳＷ１２までは、導通状態になる。
【０２７０】
タイミングｔ６１からタイミングｔ６４までは、１つ目のフレームの第１の水平ラインの正極性の画像検出、及び、表示書込み（画像表示）期間である。
【０２７１】
ホストＨＳＴは、タイミングｔ６１において、１つ目のフレームの第１の水平ラインの画像データをＣＯＧ１１に出力する。ＣＯＧ１１は、ホストＨＳＴから供給される１つ目のフレームの第１の水平ラインの画像データをバッファ１１ａ（図１５参照）に一時記憶する。従って、バッファ１１ａは、１水平ラインの画像データを記憶可能な記憶容量を有すれば良い。
【０２７２】
タイミングｔ６１から一定時間後のタイミングｔ６２までの期間は、信号線ＳＬ及び駆動電極ＣＯＭＬのプリチャージ期間である。
【０２７３】
水平ドライバ８は、タイミングｔ６１からタイミングｔ６２までの期間に、接地電位ＧＮＤを全部の信号線ＳＬに出力し、全部の信号線ＳＬを接地電位ＧＮＤにプリチャージする。
【０２７４】
ＣＯＧ１１は、タイミングｔ６１からタイミングｔ６２までの期間に、ハイレベルの制御信号ＳＥＬ３を駆動電極ドライバ９に出力する。アンプＣＯＭＡＭＰは、タイミングｔ６１からタイミングｔ６２までの期間に、ハイレベル（基準電位Ｖｒｅｆ）の駆動信号ＶＣＯＭを全部の駆動電極ＣＯＭＬに出力し、全部の駆動電極ＣＯＭＬをハイレベル（基準電位Ｖｒｅｆ）にプリチャージする。
【０２７５】
タイミングｔ６２からタイミングｔ６３までは、１つ目のフレームの第１の水平ラインの正極性の画像検出期間である。
【０２７６】
ＣＯＧ１１は、タイミングｔ６２において、バッファ１１ａに記憶されている、１つ目のフレームの第１の水平ラインの画像データに基づいて、水平ドライバ８に１つ目のフレームの第１の水平ラインの正極性の画素信号の出力を行わせる。水平ドライバ８は、Ｎ本の信号線ＳＬの内の奇数番目及び偶数番目の内の一方の群に、１つ目のフレームの第１の水平ラインの正極性の画素信号ＳＩＧＰＬＵＳを出力し、Ｎ本の信号線ＳＬの内の奇数番目及び偶数番目の内の他方の群の電位（接地電位ＧＮＤ）を維持する。
【０２７７】
例えば、水平ドライバ８は、Ｎ本の信号線ＳＬの内の奇数番目の群（図１７の信号線ＳＬ１、ＳＬ３、ＳＬ５、・・・参照）に、１つ目のフレームの第１の水平ラインの正極性の画素信号ＳＩＧＰＬＵＳを出力する。また、水平ドライバ８は、Ｎ本の信号線ＳＬの内の偶数番目の群（図１７の信号線ＳＬ２、ＳＬ４、ＳＬ６、・・・参照）の電位（接地電位ＧＮＤ）を維持する。
【０２７８】
また、ＣＯＧ１１は、タイミングｔ６２からタイミングｔ６３までの間は、ローレベルの制御信号ＳＥＬ３（図１７参照）を駆動電極ドライバ９に出力する。従って、スイッチＳＷ２１及びＳＷ２２は、遮断状態になる。これにより、全部の駆動電極ＣＯＭＬは、タイミングｔ６２からタイミングｔ６３までの間は、フローティング状態になる。
【０２７９】
再び図１７を参照すると、駆動電極ＣＯＭＬ１がフローティング状態であると、信号線ＳＬ１、ＳＬ３及びＳＬ５と駆動電極ＣＯＭＬ１とが容量結合するので、信号線ＳＬ１、ＳＬ３及びＳＬ５に供給される画素信号ＳＩＧＰＬＵＳに起因して、駆動電極ＣＯＭＬ１に検出信号が生じ、その後ＣＯＦ１２の検出回路に含まれるオペアンプの基準電位（Vref)に対応する電圧に戻る 。ＣＯＧ１１は、タイミング信号ＨＳＹＮＣに基づくタイミング、例えばタイミングｔ６２で、制御信号ＳＥＬ４をハイレベルにする。従って、スイッチＳＷ３１は、タイミングｔ６２で、導通状態になる。検出回路ＩＮＴ１は、タイミングｔ６２に応じて 、検出信号を読み取り、ＣＯＦ１２は、検出信号をサンプリング及びＡＤ変換することにより、正極性の検出画素データを取得できる。検出信号は、スパイク状の信号である。なお、ＣＯＦ１２は、検出信号のピークの電圧を読み取ることにより、正極性の検出画素データを取得しても良い。
【０２８０】
タイミングｔ６３からタイミングｔ６４までは、１つ目のフレームの第１の水平ラインの表示書込み（画像表示）期間である。
【０２８１】
ＣＯＧ１１は、タイミングｔ６３において、バッファ１１ａに記憶されている、１つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第１の水平ラインの正極性の画素信号ＳＩＧＰＬＵＳ）を維持し、Ｎ本の信号線ＳＬの内の奇数番目及び偶数番目の内の他方の群に、１つ目のフレームの第１の水平ラインの負極性の画素信号ＳＩＧＭＩＮＵＳを出力する。
【０２８２】
例えば、水平ドライバ８は、Ｎ本の信号線ＳＬの内の奇数番目の群（図１７の信号線ＳＬ１、ＳＬ３、ＳＬ５、・・・参照）の電位（１つ目のフレームの第１の水平ラインの正極性の画素信号ＳＩＧＰＬＵＳ）を維持し、Ｎ本の信号線ＳＬの内の偶数番目の群（図１７の信号線ＳＬ２、ＳＬ４、ＳＬ６、・・・参照）に、１つ目のフレームの第１の水平ラインの負極性の画素信号ＳＩＧＭＩＮＵＳを出力する。
【０２８３】
また、ＣＯＧ１１は、タイミングｔ６３からタイミングｔ６４までの間は、ハイレベルの制御信号ＳＥＬ３（図１７参照）を駆動電極ドライバ９に出力する。従って、スイッチＳＷ２１及びＳＷ２２は、導通状態になる。駆動電極ドライバ９は、全部の駆動電極ＣＯＭＬにローレベル（電位ＶＣＯＭＤＣ）の駆動信号ＶＣＯＭを出力する。これにより、画素電極ＰＥ（図３参照）の各々と駆動電極ＣＯＭＬとの間に電界が形成され、画像が表示される。
【０２８４】
また、ＣＯＧ１１は、タイミングｔ６３からタイミングｔ６４までの間は、制御信号ＳＥＬ４（図１７参照）をローレベルにする。従って、スイッチＳＷ３１及びＳＷ３２は、遮断状態になり、検出回路ＩＮＴ１及びＩＮＴ２は、ローレベル（電位ＶＣＯＭＤＣ）の駆動信号ＶＣＯＭを読み取らない。
【０２８５】
タイミングｔ６４からタイミングｔ６７までは、１つ目のフレームの第２の水平ラインの正極性の画像検出、及び、表示書込み（画像表示）期間である。
【０２８６】
ホストＨＳＴは、タイミングｔ６４において、１つ目のフレームの第２の水平ラインの画像データをＣＯＧ１１に出力する。ＣＯＧ１１は、ホストＨＳＴから供給される１つ目のフレームの第２の水平ラインの画像データをバッファ１１ａ（図１７参照）に一時記憶する。
【０２８７】
タイミングｔ６４から一定時間後のタイミングｔ６５までの期間は、信号線ＳＬ及び駆動電極ＣＯＭＬのプリチャージ期間である。
【０２８８】
水平ドライバ８は、タイミングｔ６４からタイミングｔ６５までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ６４からタイミングｔ６５までの期間に、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０２８９】
例えば、水平ドライバ８は、Ｎ本の信号線ＳＬの内の奇数番目の群（図１７の信号線ＳＬ１、ＳＬ３、ＳＬ５、・・・参照）に、接地電位ＧＮＤを出力する。また、水平ドライバ８は、Ｎ本の信号線ＳＬの内の偶数番目の群（図１７の信号線ＳＬ２、ＳＬ４、ＳＬ６、・・・参照）の電位（１つ目のフレームの第１の水平ラインの負極性の画素信号ＳＩＧＭＩＮＵＳ）を維持する。
【０２９０】
ＣＯＧ１１は、タイミングｔ６４からタイミングｔ６５までの期間に、ハイレベルの制御信号ＳＥＬ３を駆動電極ドライバ９に出力する。アンプＣＯＭＡＭＰは、タイミングｔ６４からタイミングｔ６５までの期間に、ハイレベル（基準電位Ｖｒｅｆ）の駆動信号ＶＣＯＭを全部の駆動電極ＣＯＭＬに出力し、全部の駆動電極ＣＯＭＬをハイレベル（基準電位Ｖｒｅｆ）にプリチャージする。
【０２９１】
タイミングｔ６５からタイミングｔ６６までは、１つ目のフレームの第２の水平ラインの正極性の画像検出期間である。
【０２９２】
ＣＯＧ１１は、タイミングｔ６５において、バッファ１１ａに記憶されている、１つ目のフレームの第２の水平ラインの画像データに基づいて、水平ドライバ８に正極性の画素信号の出力を行わせる。水平ドライバ８は、Ｎ本の信号線ＳＬの内の奇数番目及び偶数番目の内の一方の群に、１つ目のフレームの第２の水平ラインの正極性の画素信号ＳＩＧＰＬＵＳを出力し、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０２９３】
例えば、水平ドライバ８は、Ｎ本の信号線ＳＬの内の奇数番目の群（図１７の信号線ＳＬ１、ＳＬ３、ＳＬ５、・・・参照）に、１つ目のフレームの第２の水平ラインの正極性の画素信号ＳＩＧＰＬＵＳを出力する。また、水平ドライバ８は、Ｎ本の信号線ＳＬの内の偶数番目の群（図１７の信号線ＳＬ２、ＳＬ４、ＳＬ６、・・・参照）の電位（１つ目のフレームの第１の水平ラインの画素信号ＳＩＧＭＩＮＵＳ）を維持する。
【０２９４】
また、ＣＯＧ１１は、タイミングｔ６５からタイミングｔ６６までの間は、ローレベルの制御信号ＳＥＬ３（図１７参照）を駆動電極ドライバ９に出力する。従って、スイッチＳＷ２１及びＳＷ２２は、遮断状態になる。これにより、全部の駆動電極ＣＯＭＬは、タイミングｔ６５からタイミングｔ６６までの間は、フローティング状態になる。
【０２９５】
再び図１７を参照すると、駆動電極ＣＯＭＬ１がフローティング状態であると、信号線ＳＬ１、ＳＬ３及びＳＬ５と駆動電極ＣＯＭＬ１とが容量結合するので、信号線ＳＬ１、ＳＬ３及びＳＬ５に供給される画素信号ＳＩＧＰＬＵＳに起因して、駆動電極ＣＯＭＬ１に検出信号が生じ、その後ＣＯＦ１２の検出回路に含まれるオペアンプの基準電位（Vref)に対応する電圧に戻る。ＣＯＧ１１は、タイミング信号ＨＳＹＮＣに基づくタイミング、例えばタイミングｔ６５で、制御信号ＳＥＬ４をハイレベルにする。従って、スイッチＳＷ３１は、タイミングｔ６５で、導通状態になる。検出回路ＩＮＴ１は、タイミングｔ６５に応じて、検出信号を読み取り、ＣＯＦ１２は、検出信号をサンプリング及びＡＤ変換することにより、正極性の検出画素データを取得できる。なお、ＣＯＦ１２は、検出信号のピークの電圧を読み取ることにより、正極性の検出画素データを取得しても良い。
【０２９６】
タイミングｔ６６からタイミングｔ６７までは、１つ目のフレームの第２の水平ラインの表示書込み（画像表示）期間である。
【０２９７】
ＣＯＧ１１は、タイミングｔ６６において、バッファ１１ａに記憶されている、１つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第２の水平ラインの正極性の画素信号ＳＩＧＰＬＵＳ）を維持し、Ｎ本の信号線ＳＬの内の奇数番目及び偶数番目の内の他方の群に、１つ目のフレームの第２の水平ラインの負極性の画素信号ＳＩＧＭＩＮＵＳを出力する。
【０２９８】
例えば、水平ドライバ８は、Ｎ本の信号線ＳＬの内の奇数番目の群（図１７の信号線ＳＬ１、ＳＬ３、ＳＬ５、・・・参照）の電位（１つ目のフレームの第２の水平ラインの正極性の画素信号ＳＩＧＰＬＵＳ）を維持し、Ｎ本の信号線ＳＬの内の偶数番目の群（図１７の信号線ＳＬ２、ＳＬ４、ＳＬ６、・・・参照）に、１つ目のフレームの第２の水平ラインの負極性の画素信号ＳＩＧＭＩＮＵＳを出力する。
【０２９９】
また、ＣＯＧ１１は、タイミングｔ６６からタイミングｔ６７までの間は、ハイレベルの制御信号ＳＥＬ３（図１７参照）を駆動電極ドライバ９に出力する。従って、スイッチＳＷ２１及びＳＷ２２は、導通状態になる。駆動電極ドライバ９は、全部の駆動電極ＣＯＭＬにローレベル（電位ＶＣＯＭＤＣ）の駆動信号ＶＣＯＭを出力する。これにより、画素電極ＰＥ（図３参照）の各々と駆動電極ＣＯＭＬとの間に電界が形成され、画像が表示される。
【０３００】
また、ＣＯＧ１１は、タイミングｔ６６からタイミングｔ６７までの間は、制御信号ＳＥＬ４（図１７参照）をローレベルにする。従って、スイッチＳＷ３１は、遮断状態になり、検出回路ＩＮＴ１は、ローレベル（電位ＶＣＯＭＤＣ）の駆動信号ＶＣＯＭを読み取らない。
【０３０１】
ＣＯＧ１１及びＣＯＦ１２は、以降同様にして、１つ目のフレームの第３の水平ラインから第Ｍの水平ラインまでの正極性の画像検出、及び、表示書込み（画像表示）を行う。
【０３０２】
タイミングｔ６９からタイミングｔ７２までは、２つ目のフレームの第１の水平ラインの負極性の画像検出、及び、表示書込み（画像表示）期間である。
【０３０３】
ホストＨＳＴは、タイミングｔ６９において、２つ目のフレームの第１の水平ラインの画像データをＣＯＧ１１に出力する。ＣＯＧ１１は、ホストＨＳＴから供給される２つ目のフレームの第１の水平ラインの画像データをバッファ１１ａ（図１５参照）に一時記憶する。従って、バッファ１１ａは、１水平ラインの画像データを記憶可能な記憶容量を有すれば良い。
【０３０４】
タイミングｔ６９から一定時間後のタイミングｔ７０までの期間は、信号線ＳＬ及び駆動電極ＣＯＭＬのプリチャージ期間である。
【０３０５】
水平ドライバ８は、タイミングｔ６９からタイミングｔ７０までの期間に、接地電位ＧＮＤを全部の信号線ＳＬに出力し、全部の信号線ＳＬを接地電位ＧＮＤにプリチャージする。
【０３０６】
ＣＯＧ１１は、タイミングｔ６９からタイミングｔ７０までの期間に、ハイレベルの制御信号ＳＥＬ３を駆動電極ドライバ９に出力する。アンプＣＯＭＡＭＰは、タイミングｔ６９からタイミングｔ７０までの期間に、ハイレベル（基準電位Ｖｒｅｆ）の駆動信号ＶＣＯＭを全部の駆動電極ＣＯＭＬに出力し、全部の駆動電極ＣＯＭＬをハイレベル（基準電位Ｖｒｅｆ）にプリチャージする。
【０３０７】
タイミングｔ７０からタイミングｔ７１までは、２つ目のフレームの第１の水平ラインの負極性の画像検出期間である。
【０３０８】
ＣＯＧ１１は、タイミングｔ７０において、バッファ１１ａに記憶されている、２つ目のフレームの第１の水平ラインの画像データに基づいて、水平ドライバ８に２つ目のフレームの第１の水平ラインの負極性の画素信号の出力を行わせる。水平ドライバ８は、Ｎ本の信号線ＳＬの内の奇数番目及び偶数番目の内の一方の群に、２つ目のフレームの第１の水平ラインの負極性の画素信号ＳＩＧＭＩＮＵＳを出力し、Ｎ本の信号線ＳＬの内の奇数番目及び偶数番目の内の他方の群の電位（接地電位ＧＮＤ）を維持する。
【０３０９】
例えば、水平ドライバ８は、Ｎ本の信号線ＳＬの内の偶数番目の群（図１７の信号線ＳＬ２、ＳＬ４、ＳＬ６、・・・参照）に、２つ目のフレームの第１の水平ラインの負極性の画素信号ＳＩＧＭＩＮＵＳを出力する。また、水平ドライバ８は、Ｎ本の信号線ＳＬの内の奇数番目の群（図１７の信号線ＳＬ１、ＳＬ３、ＳＬ５、・・・参照）の電位（接地電位ＧＮＤ）を維持する。
【０３１０】
また、ＣＯＧ１１は、タイミングｔ７０からタイミングｔ７１までの間は、ローレベルの制御信号ＳＥＬ３（図１７参照）を駆動電極ドライバ９に出力する。従って、スイッチＳＷ２１及びＳＷ２２は、遮断状態になる。これにより、全部の駆動電極ＣＯＭＬは、タイミングｔ７０からタイミングｔ７１までの間は、フローティング状態になる。
【０３１１】
再び図１７を参照すると、駆動電極ＣＯＭＬ１がフローティング状態であると、信号線ＳＬ２、ＳＬ４及びＳＬ６と駆動電極ＣＯＭＬ１とが容量結合するので、信号線ＳＬ２、ＳＬ４及びＳＬ６に供給される画素信号ＳＩＧＭＩＮＵＳに起因して、駆動電極ＣＯＭＬ１に検出信号が生じ、その後ＣＯＦ１２の検出回路に含まれるオペアンプの基準電位（Vref)に対応する電圧に戻る。ＣＯＧ１１は、タイミング信号ＨＳＹＮＣに基づくタイミング、例えばタイミングｔ７０で、制御信号ＳＥＬ４をハイレベルにする。従って、スイッチＳＷ３１は、タイミングｔ７０で、導通状態になる。検出回路ＩＮＴ１は、タイミングｔ７０に応じて、検出信号を読み取り、ＣＯＦ１２は、検出信号をサンプリング及びＡＤ変換することにより、負極性の検出画素データを取得できる。なお、ＣＯＦ１２は、検出信号のピークの電圧を読み取ることにより、負極性の検出画素データを取得しても良い。
【０３１２】
タイミングｔ７１からタイミングｔ７２までは、２つ目のフレームの第１の水平ラインの表示書込み（画像表示）期間である。
【０３１３】
ＣＯＧ１１は、タイミングｔ７１において、バッファ１１ａに記憶されている、２つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第１の水平ラインの負極性の画素信号ＳＩＧＭＩＮＵＳ）を維持し、Ｎ本の信号線ＳＬの内の奇数番目及び偶数番目の内の他方の群に、２つ目のフレームの第１の水平ラインの正極性の画素信号ＳＩＧＰＬＵＳを出力する。
【０３１４】
例えば、水平ドライバ８は、Ｎ本の信号線ＳＬの内の偶数番目の群（図１７の信号線ＳＬ２、ＳＬ４、ＳＬ６、・・・参照）の電位（２つ目のフレームの第１の水平ラインの負極性の画素信号ＳＩＧＭＩＮＵＳ）を維持し、Ｎ本の信号線ＳＬの内の奇数番目の群（図１７の信号線ＳＬ１、ＳＬ３、ＳＬ５、・・・参照）に、２つ目のフレームの第１の水平ラインの正極性の画素信号ＳＩＧＰＬＵＳを出力する。
【０３１５】
また、ＣＯＧ１１は、タイミングｔ７１からタイミングｔ７２までの間は、ハイレベルの制御信号ＳＥＬ３（図１７参照）を駆動電極ドライバ９に出力する。従って、スイッチＳＷ２１及びＳＷ２２は、導通状態になる。駆動電極ドライバ９は、全部の駆動電極ＣＯＭＬにローレベル（電位ＶＣＯＭＤＣ）の駆動信号ＶＣＯＭを出力する。これにより、画素電極ＰＥ（図３参照）の各々と駆動電極ＣＯＭＬとの間に電界が形成され、画像が表示される。
【０３１６】
また、ＣＯＧ１１は、タイミングｔ７１からタイミングｔ７２までの間は、制御信号ＳＥＬ４（図１７参照）をローレベルにする。従って、スイッチＳＷ３１及びＳＷ３２は、遮断状態になり、検出回路ＩＮＴ１及びＩＮＴ２は、ローレベル（基準電位ＶＣＯＭＤＣ）の駆動信号ＶＣＯＭを読み取らない。
【０３１７】
タイミングｔ７２以降は、２つ目のフレームの第２の水平ラインの負極性の画像検出、及び、表示書込み（画像表示）期間である。
【０３１８】
ホストＨＳＴは、タイミングｔ７２において、２つ目のフレームの第２の水平ラインの画像データをＣＯＧ１１に出力する。ＣＯＧ１１は、ホストＨＳＴから供給される２つ目のフレームの第２の水平ラインの画像データをバッファ１１ａ（図２参照）に一時記憶する。
【０３１９】
タイミングｔ７２から一定時間後のタイミングｔ７３までの期間は、信号線ＳＬ及び駆動電極ＣＯＭＬのプリチャージ期間である。
【０３２０】
水平ドライバ８は、タイミングｔ７２からタイミングｔ７３までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ７２からタイミングｔ７３までの期間に、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０３２１】
例えば、水平ドライバ８は、Ｎ本の信号線ＳＬの内の偶数番目の群（図１７の信号線ＳＬ２、ＳＬ４、ＳＬ６、・・・参照）に、接地電位ＧＮＤを出力する。また、水平ドライバ８は、Ｎ本の信号線ＳＬの内の奇数番目の群（図１７の信号線ＳＬ１、ＳＬ３、ＳＬ５、・・・参照）の電位（２つ目のフレームの第１の水平ラインの正極性の画素信号ＳＩＧＰＬＵＳ）を維持する。
【０３２２】
ＣＯＧ１１は、タイミングｔ７２からタイミングｔ７３までの期間に、ハイレベルの制御信号ＳＥＬ３を駆動電極ドライバ９に出力する。アンプＣＯＭＡＭＰは、タイミングｔ７２からタイミングｔ７３までの期間に、ハイレベル（基準電位Ｖｒｅｆ）の駆動信号ＶＣＯＭを全部の駆動電極ＣＯＭＬに出力し、全部の駆動電極ＣＯＭＬをハイレベル（基準電位Ｖｒｅｆ）にプリチャージする。
【０３２３】
タイミングｔ７３からタイミングｔ７４までは、２つ目のフレームの第２の水平ラインの負極性の画像検出期間である。
【０３２４】
ＣＯＧ１１は、タイミングｔ７３において、バッファ１１ａに記憶されている、２つ目のフレームの第２の水平ラインの画像データに基づいて、水平ドライバ８に負極性の画素信号の出力を行わせる。水平ドライバ８は、Ｎ本の信号線ＳＬの内の奇数番目及び偶数番目の内の一方の群に、２つ目のフレームの第２の水平ラインの負極性の画素信号ＳＩＧＭＩＮＵＳを出力し、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０３２５】
例えば、水平ドライバ８は、Ｎ本の信号線ＳＬの内の偶数番目の群（図１７の信号線ＳＬ２、ＳＬ４、ＳＬ６、・・・参照）に、２つ目のフレームの第２の水平ラインの負極性の画素信号ＳＩＧＭＩＮＵＳを出力する。また、水平ドライバ８は、Ｎ本の信号線ＳＬの内の奇数番目の群（図１７の信号線ＳＬ１、ＳＬ３、ＳＬ５、・・・参照）の電位（２つ目のフレームの第１の水平ラインの画素信号ＳＩＧＰＬＵＳ）を維持する。
【０３２６】
また、ＣＯＧ１１は、タイミングｔ７３からタイミングｔ７４までの間は、ローレベルの制御信号ＳＥＬ３（図１７参照）を駆動電極ドライバ９に出力する。従って、スイッチＳＷ２１及びＳＷ２２は、遮断状態になる。これにより、全部の駆動電極ＣＯＭＬは、タイミングｔ７３からタイミングｔ７４までの間は、フローティング状態になる。
【０３２７】
再び図１７を参照すると、駆動電極ＣＯＭＬ１がフローティング状態であると、信号線ＳＬ２、ＳＬ４及びＳＬ６と駆動電極ＣＯＭＬ１とが容量結合するので、信号線ＳＬ２、ＳＬ４及びＳＬ６に供給される画素信号ＳＩＧＭＩＮＵＳに起因して、駆動電極ＣＯＭＬ１に検出信号が生じ、その後ＣＯＦ１２の検出回路に含まれるオペアンプの基準電位（Vref)に対応する電圧に戻る。ＣＯＧ１１は、タイミング信号ＨＳＹＮＣに基づくタイミング、例えばタイミングｔ７３で、制御信号ＳＥＬ４をハイレベルにする。従って、スイッチＳＷ３１は、タイミングｔ７３で、導通状態になる。検出回路ＩＮＴ１は、タイミングｔ７３に応じて、検出信号を読み取り、ＣＯＦ１２は、検出信号をサンプリング及びＡＤ変換することにより、負極性の検出画素データを取得できる。検出信号は、スパイク状の信号である。なお、ＣＯＦ１２は、検出信号のピークの電圧を読み取ることにより、負極性の検出画素データを取得しても良い。
【０３２８】
タイミングｔ７４以降は、２つ目のフレームの第２の水平ラインの表示書込み（画像表示）期間である。
【０３２９】
ＣＯＧ１１は、タイミングｔ７４において、バッファ１１ａに記憶されている、２つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第２の水平ラインの負極性の画素信号ＳＩＧＭＩＮＵＳ）を維持し、Ｎ本の信号線ＳＬの内の奇数番目及び偶数番目の内の他方の群に、２つ目のフレームの第２の水平ラインの正極性の画素信号ＳＩＧＰＬＵＳを出力する。
【０３３０】
例えば、水平ドライバ８は、Ｎ本の信号線ＳＬの内の偶数番目の群（図１７の信号線ＳＬ２、ＳＬ４、ＳＬ６、・・・参照）の電位（２つ目のフレームの第２の水平ラインの負極性の画素信号ＳＩＧＭＩＮＵＳ）を維持し、Ｎ本の信号線ＳＬの内の奇数番目の群（図１７の信号線ＳＬ１、ＳＬ３、ＳＬ５、・・・参照）に、２つ目のフレームの第２の水平ラインの正極性の画素信号ＳＩＧＰＬＵＳを出力する。
【０３３１】
また、ＣＯＧ１１は、タイミングｔ７４からは、ハイレベルの制御信号ＳＥＬ３（図１７参照）を駆動電極ドライバ９に出力する。従って、スイッチＳＷ２１及びＳＷ２２は、導通状態になる。駆動電極ドライバ９は、全部の駆動電極ＣＯＭＬにローレベル（電位ＶＣＯＭＤＣ）の駆動信号ＶＣＯＭを出力する。これにより、画素電極ＰＥ（図３参照）の各々と駆動電極ＣＯＭＬとの間に電界が形成され、画像が表示される。
【０３３２】
ＣＯＧ１１及びＣＯＦ１２は、以降同様にして、２つ目のフレームの第３の水平ラインから第Ｍの水平ラインまでの負極性の画像検出、及び、表示書込み（画像表示）を行う。
【０３３３】
なお、先に説明したように、検出画像データの１ライン内の検出画素データ数は、（Ｎ／２）個になる。また、図１８で説明したように、表示装置１は、１ラインずつ画像検出を行う。従って、検出画像データは、Ｍ行×（Ｎ／２）列の画素データを含む。
【０３３４】
第２の実施形態に係る表示装置の動作例のフローチャートは、第１の実施形態に係る表示装置の第２の動作例のフローチャート（図１３参照）と同様であるので、図示及び説明を省略する。
【０３３５】
また、第２の実施形態に係る表示装置は、第１の実施形態に係る表示装置の第１の動作例と同様に、Ｌ個のユニット（図６参照）毎に対して、画像検出及び画像表示を行うことができる。この場合の、第２の実施形態に係る表示装置の動作のフローチャートは、第１の実施形態に係る表示装置の第１の動作例のフローチャート（図１０参照）と同様であるので、図示及び説明を省略する。
【０３３６】
また、第２の実施形態では、本発明をいわゆる横電界型の液晶表示装置に適用した場合について説明した。しかしながら、本発明は、横電界型の液晶表示装置に限定されず、いわゆる縦電界型の液晶表示装置にも適用可能であることは、第１の実施形態と同様である。
【０３３７】
第２の実施形態に係る表示装置は、第１の実施形態に係る表示装置の特徴に加えて、下記の特徴を有する。なお、第２の実施形態に係る表示装置は、下記記載以外の特徴も有する。第２の実施形態に係る表示装置は、検出線ＲＬを不要にできる。従って、第２の実施形態に係る表示装置は、製造プロセスを簡略化でき、製造コストを抑制できる。また、第２の実施形態に係る表示装置は、検出線ＲＬを不要にできるので、画像ＩＭＧ（図１参照）の透過率を向上させ、画質を向上させることができる。
また、表示装置は、少なくとも１つの信号線ＳＬに正極性又は負極性の信号を入力し、正極性又は負極性の信号が入力された少なくとも１つの信号線ＳＬに対応する少なくとも１つの駆動電極ＣＯＭＬで、検出信号を検出しても良い。
【０３３８】
（第３の実施形態）
図１９は、第３の実施形態に係る表示装置のモジュール構成を示す図である。パネルＰＮＬｃは、基板４ｃと、ドライバＩＣであるＣＯＧ１１と、検出ＩＣであるＣＯＦ１２と、を含む。基板４ｃは、第１基板５ｃと、第１基板５ｃのＺ方向側に配置され、第１基板５ｃと所定の間隙をもって対向する第２基板６ｃと、を含む。
【０３３９】
基板４ｃは、液晶素子を含む画素Ｐｉｘがマトリクス状（行列状）に多数配置されている表示領域ＤＡと、表示領域ＤＡの外側の周辺領域ＧＤと、を含む。周辺領域ＧＤには、垂直ドライバ（垂直駆動回路）７と、水平ドライバ（水平駆動回路）８と、駆動電極ドライバ９と、が配置されている。
【０３４０】
ＣＯＧ１１は、第１基板５ｃ上に実装され、垂直ドライバ７、水平ドライバ８及び駆動電極ドライバ９を制御する。ＣＯＦ１２は、第１基板５ｃに接続されたフレキシブルプリント基板Ｔ上に実装されている。ＣＯＧ１１及びＣＯＦ１２は、フレキシブルプリント基板Ｔを介して、ホストＨＳＴ（図１参照）に接続されている。ＣＯＧ１１は、ホストＨＳＴから供給される画像データを一時記憶するバッファ１１ａを含む。
【０３４１】
表示領域ＤＡは、画素ＰｉｘがＭ行×Ｎ列に配列されたマトリクス（行列状）構造を有している。表示領域ＤＡには、画素ＰｉｘのＭ行×Ｎ列の配列に対して行ごとに、Ｘ方向に沿って延在する走査線ＧＬが配置され、列ごとに、Ｙ方向に沿って延在する信号線ＳＬが配置されている。従って、走査線ＧＬの本数は、Ｍ本であり、信号線ＳＬの本数は、Ｎ本である。
【０３４２】
また、表示領域ＤＡには、画素Ｐｉｘの２行×２列ごとに、駆動電極ＣＯＭＬが配置されている。従って、駆動電極ＣＯＭＬの個数は、（Ｍ／２）×（Ｎ／２）個である。なお、駆動電極ＣＯＭＬが画素Ｐｉｘの２行×２列ごとに配置されることは例示であり、これに限定されない。
【０３４３】
駆動電極ＣＯＭＬは、透明材質で形成され、例えば、少なくとも１行×１列の画素Ｐｉｘに対して形成されている。駆動電極ＣＯＭＬは、配線ＭＬを介して、駆動電極ドライバ９に接続されている。駆動電極ドライバ９は、画像表示期間では、駆動電極ＣＯＭＬに一定の駆動信号ＶＣＯＭを供給する。駆動電極ドライバ９は、画像検出期間では、駆動電極ＣＯＭＬをフローティングにする。駆動電極ＣＯＭＬは、画像表示期間では、画素電極ＰＥ（図３参照）との間で液晶を駆動するための電界を発生させる。
【０３４４】
本実施形態では、駆動電極ＣＯＭＬは、信号線ＳＬと容量結合し、信号線ＳＬに供給される画素信号に起因して検出信号を生ずる。
【０３４５】
本実施形態では、駆動電極ＣＯＭＬが、図１の検出部ＤＥＴに対応する。
【０３４６】
ＣＯＦ１２は、配線ＭＬを介して、駆動電極ＣＯＭＬに接続されている。ＣＯＦ１２は、画素信号に起因して駆動電極ＣＯＭＬに生ずる検出信号に基づいて、検出画像データをホストＨＳＴに出力する。なお、本実施形態では、駆動電極ＣＯＭＬが、画素Ｐｉｘの２行×２列ごとに配置されている。従って、検出画像データのライン数は、（Ｍ／２）行になる。また、検出画像データの１ライン内の検出画素データ数は、（Ｎ／２）個になる。つまり、検出画像データの要素数は、（Ｍ／２）×（Ｎ／２）個になる。なお、駆動電極ＣＯＭＬが、画素Ｐｉｘの２行×２列ごとに配置されていることは例示であって、これに限定されない。駆動電極ＣＯＭＬが、画素Ｐｉｘの１行×１列ごと又は３行×３列以上ごとに配置されていても良い。
【０３４７】
図２０は、第３の実施形態に係る表示装置のパネルの断面構造を示す模式図である。図２０は、１個の画素Ｐｉｘの断面構造を示す模式図である。
【０３４８】
パネルＰＮＬｃは、表示部ＤＳＰに検出部ＤＥＴを内蔵して一体化した、いわゆるインセルタイプの装置である。パネルＰＮＬｃは、第１基板５ｃと、第１基板５ｃに対向する第２基板６ｃと、第１基板５ｃと第２基板６ｃとの間に配置された液晶ＬＣと、を含む。
【０３４９】
第１基板５ｃは、透光性絶縁基板である基板３１を有する。基板３１のＺ方向と反対側の面には、発光部ＢＬ（図１参照）から照射される光Ｌの内の一定方向の偏光成分だけを通過させる偏光板３２が配置されている。
【０３５０】
基板３１のＺ方向側の面には、第１メタル層の走査線ＧＬが形成されている。走査線ＧＬは、Ｘ方向（図２０中の左右方向）に沿って延在している。走査線ＧＬのＺ方向側の上には、絶縁層３３が形成されている。なお、ＴＦＴ素子Ｔｒ（図３参照）は、図２０では図示を省略しているが、走査線ＧＬと絶縁層３３との間に形成されても良い。
【０３５１】
絶縁層３３のＺ方向側の上には、第２メタル層の信号線ＳＬ１、ＳＬ２及びＳＬ３が形成されている。信号線ＳＬ１、ＳＬ２及びＳＬ３は、Ｙ方向（図２０の紙面に垂直な方向）に沿って延在している。信号線ＳＬ１、ＳＬ２及びＳＬ３上には、平坦化膜３４が形成されている。
【０３５２】
平坦化膜３４の内部且つ信号線ＳＬ１、ＳＬ２及びＳＬ３のＺ方向側には、第３メタル層の配線ＭＬ１−１、ＭＬ１−２及びＭＬ１−３が、形成されている。配線ＭＬ１−１、ＭＬ１−２及びＭＬ１−３は、Ｙ方向（図２０の紙面に垂直な方向）に沿って延在している。
【０３５３】
平坦化膜３４のＺ方向側の面には、第１透明導電膜層の駆動電極ＣＯＭＬ１−１が形成されている。駆動電極ＣＯＭＬ１−１は、コンタクトＣＯＮ１−１を介して、配線ＭＬ１−１に接続されている。なお、配線ＭＬ１−２及びＭＬ１−３は、駆動電極ＣＯＭＬ１−１には接続されておらず、他の行の駆動電極ＣＯＭＬに夫々接続されている。
【０３５４】
駆動電極ＣＯＭＬ１−１のＺ方向側の上には、絶縁膜３５が形成されている。絶縁膜３５のＺ方向側の面には、第２透明導電膜層の画素電極ＰＥ１、ＰＥ２及びＰＥ３が形成されている。
【０３５５】
第２基板６ｃの構成は、第２の実施形態の第２基板６ｂと同様であるので、説明を省略する。
【０３５６】
図２１は、第３の実施形態に係る表示装置の水平ドライバ、駆動電極ドライバ及びＣＯＦの構成を示す図である。図２１は、水平ドライバ８の内の、４列の画素Ｐｉｘを駆動する部分と、駆動電極ドライバ９の内の、４列の画素Ｐｉｘを駆動する部分と、ＣＯＦ１２の内の、４列の画素の検出信号を読み取る部分と、を示す図である。
【０３５７】
駆動電極ＣＯＭＬ１−１は、配線ＭＬ１−１を介して、駆動電極ドライバ９及びＣＯＦ１２に接続されている。駆動電極ＣＯＭＬ１−２は、配線ＭＬ１−２を介して、駆動電極ドライバ９及びＣＯＦ１２に接続されている。駆動電極ＣＯＭＬ１−３は、配線ＭＬ１−３を介して、駆動電極ドライバ９及びＣＯＦ１２に接続されている。
【０３５８】
駆動電極ＣＯＭＬ２−１は、配線ＭＬ２−１を介して、駆動電極ドライバ９及びＣＯＦ１２に接続されている。駆動電極ＣＯＭＬ２−２は、配線ＭＬ２−２を介して、駆動電極ドライバ９及びＣＯＦ１２に接続されている。駆動電極ＣＯＭＬ２−３は、配線ＭＬ２−３を介して、駆動電極ドライバ９及びＣＯＦ１２に接続されている。
【０３５９】
アンプＣＯＭＡＭＰと駆動電極ＣＯＭＬ１−１との間には、スイッチＳＷ２１−１が配置されている。スイッチＳＷ２１−１は、ＣＯＧ１１（図１９参照）から供給される制御信号ＳＥＬ３がハイレベルの場合に、アンプＣＯＭＡＭＰと駆動電極ＣＯＭＬ１−１との間を導通し、制御信号ＳＥＬ３がローレベルの場合に、アンプＣＯＭＡＭＰと駆動電極ＣＯＭＬ１−１との間を遮断する。
【０３６０】
画像表示期間では、制御信号ＳＥＬ３は、ハイレベルになり、スイッチＳＷ２１−１は、アンプＣＯＭＡＭＰと駆動電極ＣＯＭＬ１−１との間を導通し、駆動信号ＶＣＯＭが駆動電極ＣＯＭＬ１−１に供給される。画像検出期間では、制御信号ＳＥＬ３は、ローレベルになり、スイッチＳＷ２１−１は、アンプＣＯＭＡＭＰと駆動電極ＣＯＭＬ１−１との間を遮断し、駆動信号ＶＣＯＭが駆動電極ＣＯＭＬ１−１に供給されない。
【０３６１】
アンプＣＯＭＡＭＰと駆動電極ＣＯＭＬ１−２との間には、スイッチＳＷ２１−２が配置されている。スイッチＳＷ２１−２は、ＣＯＧ１１（図１９参照）から供給される制御信号ＳＥＬ３がハイレベルの場合に、アンプＣＯＭＡＭＰと駆動電極ＣＯＭＬ１−２との間を導通し、制御信号ＳＥＬ３がローレベルの場合に、アンプＣＯＭＡＭＰと駆動電極ＣＯＭＬ１−２との間を遮断する。
【０３６２】
画像表示期間では、制御信号ＳＥＬ３は、ハイレベルになり、スイッチＳＷ２１−２は、アンプＣＯＭＡＭＰと駆動電極ＣＯＭＬ１−２との間を導通し、駆動信号ＶＣＯＭが駆動電極ＣＯＭＬ１−２に供給される。画像検出期間では、制御信号ＳＥＬ３は、ローレベルになり、スイッチＳＷ２１−２は、アンプＣＯＭＡＭＰと駆動電極ＣＯＭＬ１−２との間を遮断し、駆動信号ＶＣＯＭが駆動電極ＣＯＭＬ１−２に供給されない。
【０３６３】
アンプＣＯＭＡＭＰと駆動電極ＣＯＭＬ１−３との間には、スイッチＳＷ２１−３が配置されている。スイッチＳＷ２１−３は、ＣＯＧ１１（図１９参照）から供給される制御信号ＳＥＬ３がハイレベルの場合に、アンプＣＯＭＡＭＰと駆動電極ＣＯＭＬ１−３との間を導通し、制御信号ＳＥＬ３がローレベルの場合に、アンプＣＯＭＡＭＰと駆動電極ＣＯＭＬ１−３との間を遮断する。
【０３６４】
画像表示期間では、制御信号ＳＥＬ３は、ハイレベルになり、スイッチＳＷ２１−３は、アンプＣＯＭＡＭＰと駆動電極ＣＯＭＬ１−３との間を導通し、駆動信号ＶＣＯＭが駆動電極ＣＯＭＬ１−３に供給される。画像検出期間では、制御信号ＳＥＬ３は、ローレベルになり、スイッチＳＷ２１−３は、アンプＣＯＭＡＭＰと駆動電極ＣＯＭＬ１−３との間を遮断し、駆動信号ＶＣＯＭが駆動電極ＣＯＭＬ１−３に供給されない。
【０３６５】
アンプＣＯＭＡＭＰと駆動電極ＣＯＭＬ２−１との間には、スイッチＳＷ２２−１が配置されている。スイッチＳＷ２２−１は、ＣＯＧ１１（図１９参照）から供給される制御信号ＳＥＬ３がハイレベルの場合に、アンプＣＯＭＡＭＰと駆動電極ＣＯＭＬ２−１との間を導通し、制御信号ＳＥＬ３がローレベルの場合に、アンプＣＯＭＡＭＰと駆動電極ＣＯＭＬ２−１との間を遮断する。
【０３６６】
画像表示期間では、制御信号ＳＥＬ３は、ハイレベルになり、スイッチＳＷ２２−１は、アンプＣＯＭＡＭＰと駆動電極ＣＯＭＬ２−１との間を導通し、駆動信号ＶＣＯＭが駆動電極ＣＯＭＬ２−１に供給される。画像検出期間では、制御信号ＳＥＬ３は、ローレベルになり、スイッチＳＷ２２−１は、アンプＣＯＭＡＭＰと駆動電極ＣＯＭＬ２−１との間を遮断し、駆動信号ＶＣＯＭが駆動電極ＣＯＭＬ２−１に供給されない。
【０３６７】
アンプＣＯＭＡＭＰと駆動電極ＣＯＭＬ２−２との間には、スイッチＳＷ２２−２が配置されている。スイッチＳＷ２２−２は、ＣＯＧ１１（図１９参照）から供給される制御信号ＳＥＬ３がハイレベルの場合に、アンプＣＯＭＡＭＰと駆動電極ＣＯＭＬ２−２との間を導通し、制御信号ＳＥＬ３がローレベルの場合に、アンプＣＯＭＡＭＰと駆動電極ＣＯＭＬ２−２との間を遮断する。
【０３６８】
画像表示期間では、制御信号ＳＥＬ３は、ハイレベルになり、スイッチＳＷ２２−２は、アンプＣＯＭＡＭＰと駆動電極ＣＯＭＬ２−２との間を導通し、駆動信号ＶＣＯＭが駆動電極ＣＯＭＬ２−２に供給される。画像検出期間では、制御信号ＳＥＬ３は、ローレベルになり、スイッチＳＷ２２−２は、アンプＣＯＭＡＭＰと駆動電極ＣＯＭＬ２−２との間を遮断し、駆動信号ＶＣＯＭが駆動電極ＣＯＭＬ２−２に供給されない。
【０３６９】
アンプＣＯＭＡＭＰと駆動電極ＣＯＭＬ２−３との間には、スイッチＳＷ２２−３が配置されている。スイッチＳＷ２２−３は、ＣＯＧ１１（図１９参照）から供給される制御信号ＳＥＬ３がハイレベルの場合に、アンプＣＯＭＡＭＰと駆動電極ＣＯＭＬ２−３との間を導通し、制御信号ＳＥＬ３がローレベルの場合に、アンプＣＯＭＡＭＰと駆動電極ＣＯＭＬ２−３との間を遮断する。
【０３７０】
画像表示期間では、制御信号ＳＥＬ３は、ハイレベルになり、スイッチＳＷ２２−３は、アンプＣＯＭＡＭＰと駆動電極ＣＯＭＬ２−３との間を導通し、駆動信号ＶＣＯＭが駆動電極ＣＯＭＬ２−３に供給される。画像検出期間では、制御信号ＳＥＬ３は、ローレベルになり、スイッチＳＷ２２−３は、アンプＣＯＭＡＭＰと駆動電極ＣＯＭＬ２−３との間を遮断し、駆動信号ＶＣＯＭが駆動電極ＣＯＭＬ２−３に供給されない。
【０３７１】
本実施形態では、画素Ｐｉｘの２行×２列ごとに、駆動電極ＣＯＭＬが配置されている。従って、画像表示期間では、駆動電極ＣＯＭＬ１−１、ＣＯＭＬ１−２及びＣＯＭＬ１−３は、第１列目及び第２列目の画素Ｐｉｘに駆動信号ＶＣＯＭを供給する。画像表示期間では、駆動電極ＣＯＭＬ２−１、ＣＯＭＬ２−２及びＣＯＭＬ２−３は、第３列目及び第４列目の画素Ｐｉｘに駆動信号ＶＣＯＭを供給する。
【０３７２】
本実施形態では、画素Ｐｉｘの２行×２列ごとに、駆動電極ＣＯＭＬが配置されている。従って、駆動電極ＣＯＭＬ１−１、ＣＯＭＬ１−２及びＣＯＭＬ１−３の各々は、信号線ＳＬ１からＳＬ６までと容量結合し、信号線ＳＬ１からＳＬ６まで供給される画素信号に起因して検出信号を生ずる。駆動電極ＣＯＭＬ２−１、ＣＯＭＬ２−２及びＣＯＭＬ２−３の各々は、信号線ＳＬ７からＳＬ１２までと容量結合し、信号線ＳＬ７からＳＬ１２までに供給される画素信号に起因して検出信号を生ずる。
【０３７３】
ＣＯＦ１２（図１９参照）は、積分回路である検出回路ＩＮＴ１−１からＩＮＴ１−３まで及びＩＮＴ２−１からＩＮＴ２−３までを含む。
【０３７４】
検出回路ＩＮＴ１−１と駆動電極ＣＯＭＬ１−１との間には、スイッチＳＷ３１−１が配置されている。スイッチＳＷ３１−１は、ＣＯＧ１１（図１９参照）から供給される制御信号ＳＥＬ４がハイレベルの場合に、検出回路ＩＮＴ１−１と駆動電極ＣＯＭＬ１−１との間を導通し、制御信号ＳＥＬ４がローレベルの場合に、検出回路ＩＮＴ１−１と駆動電極ＣＯＭＬ１−１との間を遮断する。
【０３７５】
画像表示期間では、制御信号ＳＥＬ４は、ローレベルになり、スイッチＳＷ３１−１は、検出回路ＩＮＴ１−１と駆動電極ＣＯＭＬ１−１との間を遮断する。画像検出期間では、制御信号ＳＥＬ４は、ハイレベルになり、スイッチＳＷ３１−１は、検出回路ＩＮＴ１−１と駆動電極ＣＯＭＬ１−１との間を導通し、検出信号が検出回路ＩＮＴ１−１に供給される。検出回路ＩＮＴ１−１は、検出信号と基準電位Ｖｒｅｆとを比較して、検出信号を読み取る。
【０３７６】
検出回路ＩＮＴ１−２と駆動電極ＣＯＭＬ１−２との間には、スイッチＳＷ３１−２が配置されている。スイッチＳＷ３１−２は、ＣＯＧ１１（図１９参照）から供給される制御信号ＳＥＬ４がハイレベルの場合に、検出回路ＩＮＴ１−２と駆動電極ＣＯＭＬ１−２との間を導通し、制御信号ＳＥＬ４がローレベルの場合に、検出回路ＩＮＴ１−２と駆動電極ＣＯＭＬ１−２との間を遮断する。
【０３７７】
画像表示期間では、制御信号ＳＥＬ４は、ローレベルになり、スイッチＳＷ３１−２は、検出回路ＩＮＴ１−２と駆動電極ＣＯＭＬ１−２との間を遮断する。画像検出期間では、制御信号ＳＥＬ４は、ハイレベルになり、スイッチＳＷ３１−２は、検出回路ＩＮＴ１−２と駆動電極ＣＯＭＬ１−２との間を導通し、検出信号が検出回路ＩＮＴ１−２に供給される。検出回路ＩＮＴ１−２は、検出信号と基準電位Ｖｒｅｆとを比較して、検出信号を読み取る。
【０３７８】
検出回路ＩＮＴ１−３と駆動電極ＣＯＭＬ１−３との間には、スイッチＳＷ３１−３が配置されている。スイッチＳＷ３１−３は、ＣＯＧ１１（図１９参照）から供給される制御信号ＳＥＬ４がハイレベルの場合に、検出回路ＩＮＴ１−３と駆動電極ＣＯＭＬ１−３との間を導通し、制御信号ＳＥＬ４がローレベルの場合に、検出回路ＩＮＴ１−３と駆動電極ＣＯＭＬ１−３との間を遮断する。
【０３７９】
画像表示期間では、制御信号ＳＥＬ４は、ローレベルになり、スイッチＳＷ３１−３は、検出回路ＩＮＴ１−３と駆動電極ＣＯＭＬ１−３との間を遮断する。画像検出期間では、制御信号ＳＥＬ４は、ハイレベルになり、スイッチＳＷ３１−３は、検出回路ＩＮＴ１−３と駆動電極ＣＯＭＬ１−３との間を導通し、検出信号が検出回路ＩＮＴ１−３に供給される。検出回路ＩＮＴ１−３は、検出信号と基準電位Ｖｒｅｆとを比較して、検出信号を読み取る。
【０３８０】
検出回路ＩＮＴ２−１と駆動電極ＣＯＭＬ２−１との間には、スイッチＳＷ３２−１が配置されている。スイッチＳＷ３２−１は、ＣＯＧ１１（図１９参照）から供給される制御信号ＳＥＬ４がハイレベルの場合に、検出回路ＩＮＴ２−１と駆動電極ＣＯＭＬ２−１との間を導通し、制御信号ＳＥＬ４がローレベルの場合に、検出回路ＩＮＴ２−１と駆動電極ＣＯＭＬ２−１との間を遮断する。
【０３８１】
画像表示期間では、制御信号ＳＥＬ４は、ローレベルになり、スイッチＳＷ３２−１は、検出回路ＩＮＴ２−１と駆動電極ＣＯＭＬ２−１との間を遮断する。画像検出期間では、制御信号ＳＥＬ４は、ハイレベルになり、スイッチＳＷ３２−１は、検出回路ＩＮＴ２−１と駆動電極ＣＯＭＬ２−１との間を導通し、検出信号が検出回路ＩＮＴ２−１に供給される。検出回路ＩＮＴ２−１は、検出信号と基準電位Ｖｒｅｆとを比較して、検出信号を読み取る。
【０３８２】
検出回路ＩＮＴ２−２と駆動電極ＣＯＭＬ２−２との間には、スイッチＳＷ３２−２が配置されている。スイッチＳＷ３２−２は、ＣＯＧ１１（図１９参照）から供給される制御信号ＳＥＬ４がハイレベルの場合に、検出回路ＩＮＴ２−２と駆動電極ＣＯＭＬ２−２との間を導通し、制御信号ＳＥＬ４がローレベルの場合に、検出回路ＩＮＴ２−２と駆動電極ＣＯＭＬ２−２との間を遮断する。
【０３８３】
画像表示期間では、制御信号ＳＥＬ４は、ローレベルになり、スイッチＳＷ３２−２は、検出回路ＩＮＴ２−２と駆動電極ＣＯＭＬ２−２との間を遮断する。画像検出期間では、制御信号ＳＥＬ４は、ハイレベルになり、スイッチＳＷ３２−２は、検出回路ＩＮＴ２−２と駆動電極ＣＯＭＬ２−２との間を導通し、検出信号が検出回路ＩＮＴ２−２に供給される。検出回路ＩＮＴ２−２は、検出信号と基準電位Ｖｒｅｆとを比較して、検出信号を読み取る。
【０３８４】
検出回路ＩＮＴ２−３と駆動電極ＣＯＭＬ２−３との間には、スイッチＳＷ３２−３が配置されている。スイッチＳＷ３２−３は、ＣＯＧ１１（図１９参照）から供給される制御信号ＳＥＬ４がハイレベルの場合に、検出回路ＩＮＴ２−３と駆動電極ＣＯＭＬ２−３との間を導通し、制御信号ＳＥＬ４がローレベルの場合に、検出回路ＩＮＴ２−３と駆動電極ＣＯＭＬ２−３との間を遮断する。
【０３８５】
画像表示期間では、制御信号ＳＥＬ４は、ローレベルになり、スイッチＳＷ３２−３は、検出回路ＩＮＴ２−３と駆動電極ＣＯＭＬ２−３との間を遮断する。画像検出期間では、制御信号ＳＥＬ４は、ハイレベルになり、スイッチＳＷ３２−３は、検出回路ＩＮＴ２−３と駆動電極ＣＯＭＬ２−３との間を導通し、検出信号が検出回路ＩＮＴ２−３に供給される。検出回路ＩＮＴ２−３は、検出信号と基準電位Ｖｒｅｆとを比較して、検出信号を読み取る。
【０３８６】
第３の実施形態に係る表示装置の動作は、第２の実施形態に係る表示装置の動作と同様であるので、図示及び説明を省略する。また、第３の実施形態に係る表示装置は、第１の実施形態に係る表示装置の第１の動作例と同様に、Ｌ個のユニット（図６参照）毎に対して、画像検出及び画像表示を行うことができる。
【０３８７】
また、第３の実施形態では、本発明をいわゆる横電界型の液晶表示装置に適用した場合について説明した。しかしながら、本発明は、横電界型の液晶表示装置に限定されず、いわゆる縦電界型の液晶表示装置にも適用可能であることは、第１の実施形態と同様である。
【０３８８】
第３の実施形態に係る表示装置は、第１の実施形態に係る表示装置の特徴に加えて、下記の特徴を有する。なお、第３の実施形態に係る表示装置は、下記記載以外の特徴も有する。第３の実施形態に係る表示装置は、検出線ＲＬを不要にできる。従って、第３の実施形態に係る表示装置は、製造プロセスを簡略化でき、製造コストを抑制できる。また、第３の実施形態に係る表示装置は、検出線ＲＬを不要にできるので、画像ＩＭＧ（図１参照）の透過率を向上させ、画質を向上させることができる。
また、表示装置は、少なくとも１つの信号線ＳＬに正極性又は負極性の信号を入力し、正極性又は負極性の信号が入力された少なくとも１つの信号線ＳＬに対応する少なくとも１つの駆動電極ＣＯＭＬで、検出信号を検出しても良い。
【０３８９】
（第４の実施形態）
図２２は、第４の実施形態に係る表示装置のモジュール構成を示す図である。パネルＰＮＬｄは、基板４ｄと、ドライバＩＣであるＣＯＧ１１と、検出ＩＣであるＣＯＦ１２と、を含む。基板４ｄは、第１基板５ｄと、第１基板５ｄのＺ方向側に配置され、第１基板５ｄと所定の間隙をもって対向する第２基板６ｄと、を含む。
【０３９０】
基板４ｄは、液晶素子を含む画素Ｐｉｘがマトリクス状（行列状）に多数配置されている表示領域ＤＡと、表示領域ＤＡの外側の周辺領域ＧＤと、を含む。周辺領域ＧＤには、垂直ドライバ（垂直駆動回路）７と、水平ドライバ（水平駆動回路）８と、駆動電極ドライバ９と、が配置されている。
【０３９１】
ＣＯＧ１１は、第１基板５ｄ上に実装され、垂直ドライバ７、水平ドライバ８及び駆動電極ドライバ９を制御する。ＣＯＦ１２は、第１基板５ｄに接続されたフレキシブルプリント基板Ｔ上に実装されている。ＣＯＧ１１及びＣＯＦ１２は、フレキシブルプリント基板Ｔを介して、ホストＨＳＴ（図１参照）に接続されている。ＣＯＧ１１は、ホストＨＳＴから供給される画像データを一時記憶するバッファ１１ａを含む。
【０３９２】
表示領域ＤＡは、画素ＰｉｘがＭ行×Ｎ列に配列されたマトリクス（行列状）構造を有している。表示領域ＤＡには、画素ＰｉｘのＭ行×Ｎ列の配列に対して行ごとに、Ｘ方向に沿って延在する走査線ＧＬが配置され、列ごとに、Ｙ方向に沿って延在する信号線ＳＬが配置されている。従って、走査線ＧＬの本数は、Ｍ本であり、信号線ＳＬの本数は、Ｎ本である。
【０３９３】
また、表示領域ＤＡには、画素Ｐｉｘの２列ごとに、Ｙ方向に沿って延在する駆動電極ＣＯＭＬが配置されている。従って、駆動電極ＣＯＭＬの本数は、（Ｎ／２）本である。なお、駆動電極ＣＯＭＬが画素Ｐｉｘの２列ごとに配置されることは例示であり、これに限定されない。
【０３９４】
駆動電極ＣＯＭＬは、透明材質で形成され、例えば、少なくとも１列の画素Ｐｉｘに対して共通に形成されている。駆動電極ＣＯＭＬは、駆動電極ドライバ９に接続されている。駆動電極ドライバ９は、画像表示期間では、駆動電極ＣＯＭＬに一定の駆動信号ＶＣＯＭを供給する。駆動電極ドライバ９は、画像検出期間では、駆動電極ＣＯＭＬをフローティングにする。駆動電極ＣＯＭＬは、画像表示期間では、画素電極ＰＥ（図３参照）との間で液晶を駆動するための電界を発生させる。
【０３９５】
第１基板５ｄには、信号線ＳＬに沿って、配線ＭＬが形成されている。配線ＭＬは、信号線ＳＬのＺ方向において重畳するように形成されている。配線ＭＬは、信号線ＳＬのＺ方向側の上層に形成されているが下層に形成されてもよい。 
【０３９６】
本実施形態では、配線ＭＬが、信号線ＳＬと容量結合し、信号線ＳＬに供給される画素信号に起因して検出信号を生ずる。
【０３９７】
本実施形態では、配線ＭＬが、図１の検出部ＤＥＴに対応する。
【０３９８】
ＣＯＦ１２は、配線ＭＬに接続され、画素信号に起因して配線ＭＬに生ずる検出信号に基づいて、検出画像データをホストＨＳＴに出力する。なお、本実施形態では、配線ＭＬが、画素Ｐｉｘの１列ごとに配置されている。従って、検出画像データの１ライン内の検出画素データ数は、Ｎ個になる。なお、配線ＭＬが、画素Ｐｉｘの１列ごとに配置されていることは例示であって、これに限定されない。駆動電極ＣＯＭＬが、画素Ｐｉｘの２列以上ごとに配置されていても良い。
【０３９９】
図２３は、第４の実施形態に係る表示装置のパネルの断面構造を示す模式図である。図２３は、１個の画素Ｐｉｘの断面構造を示す模式図である。
【０４００】
パネルＰＮＬｄは、表示部ＤＳＰに検出部ＤＥＴを内蔵して一体化した、いわゆるインセルタイプの装置である。パネルＰＮＬｄは、第１基板５ｄと、第１基板５ｄに対向する第２基板６ｄと、第１基板５ｄと第２基板６ｄとの間に配置された液晶ＬＣと、を含む。
【０４０１】
第１基板５ｄの偏光板３２から絶縁層３３までの構成は、第３の実施形態の第１基板５ｃと同様であるので、説明を省略する。第１基板５ｄの絶縁層３３のＺ方向側の上には、第２メタル層の信号線ＳＬ１、ＳＬ２及びＳＬ３が形成されている。信号線ＳＬ１、ＳＬ２及びＳＬ３は、Ｙ方向（図２３の紙面に垂直な方向）に沿って延在している。信号線ＳＬ１、ＳＬ２及びＳＬ３上には、平坦化膜３４が形成されている。
【０４０２】
平坦化膜３４の内部且つ信号線ＳＬ１、ＳＬ２及びＳＬ３のＺ方向側には、配線ＭＬ１、ＭＬ２及びＭＬ３が、形成されている。配線ＭＬ１、ＭＬ２及びＭＬ３は、Ｙ方向（図２０の紙面に垂直な方向）に沿って延在している。
【０４０３】
平坦化膜３４のＺ方向側の面には、第１透明導電膜層の駆動電極ＣＯＭＬ１が形成されている。なお、配線ＭＬ１、ＭＬ２及びＭＬ３は、駆動電極ＣＯＭＬ１には接続されていない。
【０４０４】
駆動電極ＣＯＭＬ１のＺ方向側の上には、絶縁膜３５が形成されている。絶縁膜３５のＺ方向側の面には、第２透明導電膜層の画素電極ＰＥ１、ＰＥ２及びＰＥ３が形成されている。
【０４０５】
第２基板６ｄの構成は、第３の実施形態の第２基板６ｃと同様であるので、説明を省略する。
【０４０６】
図２４は、第４の実施形態に係る表示装置の水平ドライバ、駆動電極ドライバ及びＣＯＦの構成を示す図である。図２４は、水平ドライバ８の内の、４列の画素Ｐｉｘを駆動する部分と、駆動電極ドライバ９の内の、４列の画素Ｐｉｘを駆動する部分と、ＣＯＦ１２の内の、４列の画素の検出信号を読み取る部分と、を示す図である。
【０４０７】
アンプＣＯＭＡＭＰと駆動電極ＣＯＭＬ１及びＣＯＭＬ２との接続は、第２の実施形態と同様であるので、説明を省略する。
【０４０８】
本実施形態では、画素Ｐｉｘの１列ごとに、配線ＭＬが配置されている。従って、配線ＭＬ１からＭＬ１２までは、信号線ＳＬ１からＳＬ１２までと夫々容量結合する。そして、配線ＭＬ１からＭＬ１２までは、信号線ＳＬ１からＳＬ１２までに供給される画素信号に起因して検出信号を夫々生ずる。
【０４０９】
ＣＯＦ１２（図２２参照）は、積分回路である検出回路ＩＮＴ１からＩＮＴ１２までを含む。
【０４１０】
検出回路ＩＮＴ１からＩＮＴ１２までと、駆動電極ＣＯＭＬ１からＣＯＭＬ２までと、の間には、スイッチＳＷ３１からＳＷ４２までが、夫々配置されている。スイッチＳＷ３１からＳＷ４２までは、ＣＯＧ１１（図２２参照）から供給される制御信号ＳＥＬ４がハイレベルの場合に、検出回路ＩＮＴ１からＩＮＴ１２までと、駆動電極ＣＯＭＬ１からＣＯＭＬ２までと、の間を夫々導通する。スイッチＳＷ３１からＳＷ４２までは、制御信号ＳＥＬ４がローレベルの場合に、検出回路ＩＮＴ１からＩＮＴ１２までと、駆動電極ＣＯＭＬ１からＣＯＭＬ２までと、の間を夫々遮断する。
【０４１１】
画像表示期間では、制御信号ＳＥＬ４は、ローレベルになり、スイッチＳＷ３１からＳＷ４２までは、検出回路ＩＮＴ１からＩＮＴ１２までと、駆動電極ＣＯＭＬ１からＣＯＭＬ２までと、の間を夫々遮断する。画像検出期間では、制御信号ＳＥＬ４は、ハイレベルになり、スイッチＳＷ３１からＳＷ４２までは、検出回路ＩＮＴ１からＩＮＴ１２までと、駆動電極ＣＯＭＬ１からＣＯＭＬ２までと、の間を夫々導通し、検出信号が検出回路ＩＮＴ１からＩＮＴ１２までに夫々供給される。検出回路ＩＮＴ１からＩＮＴ１２までは、検出信号と基準電位Ｖｒｅｆとを比較して、検出信号を読み取る。
【０４１２】
＜第４の実施形態に係る表示装置の動作例＞
第４の実施形態に係る表示装置の動作例について、説明する。本動作例では、表示装置は、１行ごとに画像表示及び画像検出を行う。
【０４１３】
図２５は、第４の実施形態に係る表示装置の動作例の動作タイミングを示す図である。
【０４１４】
タイミング信号ＴＳＶＤの１つ目の立ち上がりエッジのタイミングｔ８０からタイミング信号ＴＳＶＤの２つ目の立ち上がりエッジのタイミングｔ８８までの期間は、１つ目のフレームの画像表示及び画像検出の期間である。タイミング信号ＴＳＶＤの２つ目の立ち上がりエッジのタイミングｔ８８以降の期間は、２つ目のフレームの画像表示及び画像検出の期間である。
【０４１５】
ＣＯＧ１１からＣＯＦ１２に出力される検出制御用のタイミング信号ＨＳＹＮＣは、ＣＯＧ１１が表示部ＤＳＰに画像を表示させる表示制御用の水平同期信号と同じ周波数の信号が例示される。
【０４１６】
ＣＯＧ１１は、全期間において、ハイレベルの制御信号ＳＥＬ１及びＳＥＬ２（図２４参照）を水平ドライバ８に出力する。従って、スイッチＳＷ１からＳＷ１２までは、導通状態になる。
【０４１７】
タイミングｔ８１からタイミングｔ８４までは、１つ目のフレームの第１の水平ラインの正極性の画像検出、及び、表示書込み（画像表示）期間である。
【０４１８】
ホストＨＳＴは、タイミングｔ８１において、１つ目のフレームの第１の水平ラインの画像データをＣＯＧ１１に出力する。ＣＯＧ１１は、ホストＨＳＴから供給される１つ目のフレームの第１の水平ラインの画像データをバッファ１１ａ（図２２参照）に一時記憶する。従って、バッファ１１ａは、１水平ラインの画像データを記憶可能な記憶容量を有すれば良い。
【０４１９】
タイミングｔ８１から一定時間後のタイミングｔ８２までの期間は、信号線ＳＬのプリチャージ期間である。
【０４２０】
水平ドライバ８は、タイミングｔ８１からタイミングｔ８２までの期間に、接地電位ＧＮＤを全部の信号線ＳＬに出力し、全部の信号線ＳＬを接地電位ＧＮＤにプリチャージする。
【０４２１】
タイミングｔ８２からタイミングｔ８３までは、１つ目のフレームの第１の水平ラインの正極性の画像検出期間である。
【０４２２】
ＣＯＧ１１は、タイミングｔ８２において、バッファ１１ａに記憶されている、１つ目のフレームの第１の水平ラインの画像データに基づいて、水平ドライバ８に１つ目のフレームの第１の水平ラインの正極性の画素信号の出力を行わせる。水平ドライバ８は、Ｎ本の信号線ＳＬの内の奇数番目及び偶数番目の内の一方の群に、１つ目のフレームの第１の水平ラインの正極性の画素信号ＳＩＧＰＬＵＳを出力し、Ｎ本の信号線ＳＬの内の奇数番目及び偶数番目の内の他方の群の電位（接地電位ＧＮＤ）を維持する。
【０４２３】
例えば、水平ドライバ８は、Ｎ本の信号線ＳＬの内の奇数番目の群（図２４の信号線ＳＬ１、ＳＬ３、ＳＬ５、・・・参照）に、１つ目のフレームの第１の水平ラインの正極性の画素信号ＳＩＧＰＬＵＳを出力する。また、水平ドライバ８は、Ｎ本の信号線ＳＬの内の偶数番目の群（図２４の信号線ＳＬ２、ＳＬ４、ＳＬ６、・・・参照）の電位（接地電位ＧＮＤ）を維持する。
【０４２４】
また、ＣＯＧ１１は、タイミングｔ８１からタイミングｔ８３までの間は、ローレベルの制御信号ＳＥＬ３（図２４参照）を駆動電極ドライバ９に出力する。従って、スイッチＳＷ２１及びＳＷ２２は、遮断状態になる。これにより、全部の駆動電極ＣＯＭＬは、フローティング状態になる。
【０４２５】
再び図２４を参照すると、信号線ＳＬ１からＳＬ１２までと、配線ＭＬ１からＭＬ１２までと、が容量結合するので、信号線ＳＬ１、ＳＬ３、ＳＬ５、ＳＬ７、ＳＬ９及びＳＬ１１までに供給される画素信号ＳＩＧＰＬＵＳに起因して、配線ＭＬ１、ＭＬ３、ＭＬ５、ＭＬ７、ＭＬ９及びＭＬ１１に検出信号ＳＩＧＭＬが夫々生ずる。ＣＯＧ１１は、タイミング信号ＨＳＹＮＣに基づくタイミング、例えばタイミングｔ８２で、制御信号ＳＥＬ４をハイレベルにする。従って、スイッチＳＷ３１からＳＷ４２までは、タイミングｔ８２で、導通状態になる。検出回路ＩＮＴ１、ＩＮＴ３、ＩＮＴ５、ＩＮＴ７、ＩＮＴ９及びＩＮＴ１１は、タイミングｔ８２で、検出信号ＳＩＧＭＬを夫々読み取り、ＣＯＦ１２は、検出信号ＳＩＧＭＬをサンプリング及びＡＤ変換することにより、正極性の検出画素データを取得できる。検出信号ＳＩＧＭＬは、スパイク状の信号である。なお、ＣＯＦ１２は、検出信号ＳＩＧＭＬのピークの電圧を読み取ることにより、正極性の検出画素データを取得しても良い。
【０４２６】
タイミングｔ８３からタイミングｔ８４までは、１つ目のフレームの第１の水平ラインの表示書込み（画像表示）期間である。
【０４２７】
ＣＯＧ１１は、タイミングｔ８３において、バッファ１１ａに記憶されている、１つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第１の水平ラインの正極性の画素信号ＳＩＧＰＬＵＳ）を維持し、Ｎ本の信号線ＳＬの内の奇数番目及び偶数番目の内の他方の群に、１つ目のフレームの第１の水平ラインの負極性の画素信号ＳＩＧＭＩＮＵＳを出力する。
【０４２８】
例えば、水平ドライバ８は、Ｎ本の信号線ＳＬの内の奇数番目の群（図２４の信号線ＳＬ１、ＳＬ３、ＳＬ５、・・・参照）の電位（１つ目のフレームの第１の水平ラインの正極性の画素信号ＳＩＧＰＬＵＳ）を維持し、Ｎ本の信号線ＳＬの内の偶数番目の群（図２４の信号線ＳＬ２、ＳＬ４、ＳＬ６、・・・参照）に、１つ目のフレームの第１の水平ラインの負極性の画素信号ＳＩＧＭＩＮＵＳを出力する。
【０４２９】
また、ＣＯＧ１１は、タイミングｔ８３からタイミングｔ８４までの間は、ハイレベルの制御信号ＳＥＬ３（図２４参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０４３０】
また、ＣＯＧ１１は、タイミングｔ８３からタイミングｔ８４までの間は、制御信号ＳＥＬ４（図２４参照）をローレベルにする。従って、スイッチＳＷ３１からＳＷ４２までは、遮断状態になり、検出回路ＩＮＴ１からＩＮＴ１２までは、検出信号ＳＩＧＭＬを読み取らない。
【０４３１】
タイミングｔ８４からタイミングｔ８７までは、１つ目のフレームの第２の水平ラインの正極性の画像検出、及び、表示書込み（画像表示）期間である。
【０４３２】
ホストＨＳＴは、タイミングｔ８４において、１つ目のフレームの第２の水平ラインの画像データをＣＯＧ１１に出力する。ＣＯＧ１１は、ホストＨＳＴから供給される１つ目のフレームの第２の水平ラインの画像データをバッファ１１ａ（図２２参照）に一時記憶する。
【０４３３】
タイミングｔ８４から一定時間後のタイミングｔ８５までの期間は、信号線ＳＬのプリチャージ期間である。
【０４３４】
水平ドライバ８は、タイミングｔ８４からタイミングｔ８５までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ８４からタイミングｔ８５までの期間に、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０４３５】
例えば、水平ドライバ８は、Ｎ本の信号線ＳＬの内の奇数番目の群（図２４の信号線ＳＬ１、ＳＬ３、ＳＬ５、・・・参照）に、接地電位ＧＮＤを出力する。また、水平ドライバ８は、Ｎ本の信号線ＳＬの内の偶数番目の群（図２４の信号線ＳＬ２、ＳＬ４、ＳＬ６、・・・参照）の電位（１つ目のフレームの第１の水平ラインの負極性の画素信号ＳＩＧＭＩＮＵＳ）を維持する。
【０４３６】
タイミングｔ８５からタイミングｔ８６までは、１つ目のフレームの第２の水平ラインの正極性の画像検出期間である。
【０４３７】
ＣＯＧ１１は、タイミングｔ８５において、バッファ１１ａに記憶されている、１つ目のフレームの第２の水平ラインの画像データに基づいて、水平ドライバ８に正極性の画素信号の出力を行わせる。水平ドライバ８は、Ｎ本の信号線ＳＬの内の奇数番目及び偶数番目の内の一方の群に、１つ目のフレームの第２の水平ラインの正極性の画素信号ＳＩＧＰＬＵＳを出力し、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０４３８】
例えば、水平ドライバ８は、Ｎ本の信号線ＳＬの内の奇数番目の群（図２４の信号線ＳＬ１、ＳＬ３、ＳＬ５、・・・参照）に、１つ目のフレームの第２の水平ラインの正極性の画素信号ＳＩＧＰＬＵＳを出力する。また、水平ドライバ８は、Ｎ本の信号線ＳＬの内の偶数番目の群（図２４の信号線ＳＬ２、ＳＬ４、ＳＬ６、・・・参照）の電位（１つ目のフレームの第１の水平ラインの画素信号ＳＩＧＭＩＮＵＳ）を維持する。
【０４３９】
また、ＣＯＧ１１は、タイミングｔ８５からタイミングｔ８６までの間は、ローレベルの制御信号ＳＥＬ３（図２４参照）を駆動電極ドライバ９に出力する。従って、スイッチＳＷ２１及びＳＷ２２は、遮断状態になる。これにより、全部の駆動電極ＣＯＭＬは、フローティング状態になる。
【０４４０】
再び図２４を参照すると、信号線ＳＬ１からＳＬ１２までと、配線ＭＬ１からＭＬ１２までと、が容量結合するので、信号線ＳＬ１、ＳＬ３、ＳＬ５、ＳＬ７、ＳＬ９及びＳＬ１１までに供給される画素信号ＳＩＧＰＬＵＳに起因して、配線ＭＬ１、ＭＬ３、ＭＬ５、ＭＬ７、ＭＬ９及びＭＬ１１に検出信号ＳＩＧＭＬが夫々生ずる。ＣＯＧ１１は、タイミング信号ＨＳＹＮＣに基づくタイミング、例えばタイミングｔ８５で、制御信号ＳＥＬ４をハイレベルにする。従って、スイッチＳＷ３１からＳＷ４２までは、タイミングｔ８５で、導通状態になる。検出回路ＩＮＴ１、ＩＮＴ３、ＩＮＴ５、ＩＮＴ７、ＩＮＴ９及びＩＮＴ１１は、タイミングｔ８５で、検出信号ＳＩＧＭＬを夫々読み取り、ＣＯＦ１２は、検出信号ＳＩＧＭＬをサンプリング及びＡＤ変換することにより、正極性の検出画素データを取得できる。なお、ＣＯＦ１２は、検出信号ＳＩＧＭＬのピークの電圧を読み取ることにより、正極性の検出画素データを取得しても良い。
【０４４１】
タイミングｔ８６からタイミングｔ８７までは、１つ目のフレームの第２の水平ラインの表示書込み（画像表示）期間である。
【０４４２】
ＣＯＧ１１は、タイミングｔ８６において、バッファ１１ａに記憶されている、１つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第２の水平ラインの正極性の画素信号ＳＩＧＰＬＵＳ）を維持し、Ｎ本の信号線ＳＬの内の奇数番目及び偶数番目の内の他方の群に、１つ目のフレームの第２の水平ラインの負極性の画素信号ＳＩＧＭＩＮＵＳを出力する。
【０４４３】
例えば、水平ドライバ８は、Ｎ本の信号線ＳＬの内の奇数番目の群（図２４の信号線ＳＬ１、ＳＬ３、ＳＬ５、・・・参照）の電位（１つ目のフレームの第２の水平ラインの正極性の画素信号ＳＩＧＰＬＵＳ）を維持し、Ｎ本の信号線ＳＬの内の偶数番目の群（図２４の信号線ＳＬ２、ＳＬ４、ＳＬ６、・・・参照）に、１つ目のフレームの第２の水平ラインの負極性の画素信号ＳＩＧＭＩＮＵＳを出力する。
【０４４４】
また、ＣＯＧ１１は、タイミングｔ８６からタイミングｔ８７までの間は、ハイレベルの制御信号ＳＥＬ３（図２４参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０４４５】
また、ＣＯＧ１１は、タイミングｔ８６からタイミングｔ８７までの間は、制御信号ＳＥＬ４（図２４参照）をローレベルにする。従って、スイッチＳＷ３１からＳＷ４２までは、遮断状態になり、検出回路ＩＮＴ１からＩＮＴ１２までは、検出信号ＳＩＧＭＬを読み取らない。
【０４４６】
ＣＯＧ１１及びＣＯＦ１２は、以降同様にして、１つ目のフレームの第３の水平ラインから第Ｍの水平ラインまでの正極性の画像検出、及び、表示書込み（画像表示）を行う。
【０４４７】
タイミングｔ８９からタイミングｔ９２までは、２つ目のフレームの第１の水平ラインの負極性の画像検出、及び、表示書込み（画像表示）期間である。
【０４４８】
ホストＨＳＴは、タイミングｔ８９において、２つ目のフレームの第１の水平ラインの画像データをＣＯＧ１１に出力する。ＣＯＧ１１は、ホストＨＳＴから供給される２つ目のフレームの第１の水平ラインの画像データをバッファ１１ａ（図２２参照）に一時記憶する。従って、バッファ１１ａは、１水平ラインの画像データを記憶可能な記憶容量を有すれば良い。
【０４４９】
タイミングｔ８９から一定時間後のタイミングｔ９０までの期間は、信号線ＳＬのプリチャージ期間である。
【０４５０】
水平ドライバ８は、タイミングｔ８９からタイミングｔ９０までの期間に、接地電位ＧＮＤを全部の信号線ＳＬに出力し、全部の信号線ＳＬを接地電位ＧＮＤにプリチャージする。
【０４５１】
タイミングｔ９０からタイミングｔ９１までは、２つ目のフレームの第１の水平ラインの負極性の画像検出期間である。
【０４５２】
ＣＯＧ１１は、タイミングｔ９０において、バッファ１１ａに記憶されている、２つ目のフレームの第１の水平ラインの画像データに基づいて、水平ドライバ８に２つ目のフレームの第１の水平ラインの負極性の画素信号の出力を行わせる。水平ドライバ８は、Ｎ本の信号線ＳＬの内の奇数番目及び偶数番目の内の一方の群に、２つ目のフレームの第１の水平ラインの負極性の画素信号ＳＩＧＭＩＮＵＳを出力し、Ｎ本の信号線ＳＬの内の奇数番目及び偶数番目の内の他方の群の電位（接地電位ＧＮＤ）を維持する。
【０４５３】
例えば、水平ドライバ８は、Ｎ本の信号線ＳＬの内の偶数番目の群（図２４の信号線ＳＬ２、ＳＬ４、ＳＬ６、・・・参照）に、２つ目のフレームの第１の水平ラインの負極性の画素信号ＳＩＧＭＩＮＵＳを出力する。また、水平ドライバ８は、Ｎ本の信号線ＳＬの内の奇数番目の群（図２４の信号線ＳＬ１、ＳＬ３、ＳＬ５、・・・参照）の電位（接地電位ＧＮＤ）を維持する。
【０４５４】
また、ＣＯＧ１１は、タイミングｔ９０からタイミングｔ９１までの間は、ローレベルの制御信号ＳＥＬ３（図２４参照）を駆動電極ドライバ９に出力する。従って、スイッチＳＷ２１及びＳＷ２２は、遮断状態になる。これにより、全部の駆動電極ＣＯＭＬは、フローティング状態になる。
【０４５５】
再び図２４を参照すると、信号線ＳＬ１からＳＬ１２までと、配線ＭＬ１からＭＬ１２までと、が容量結合するので、信号線ＳＬ２、ＳＬ４、ＳＬ６、ＳＬ８、ＳＬ１０及びＳＬ１２までに供給される画素信号ＳＩＧＭＩＮＵＳに起因して、配線ＭＬ２、ＭＬ４、ＭＬ６、ＭＬ８、ＭＬ１０及びＭＬ１２に検出信号ＳＩＧＭＬが夫々生ずる。ＣＯＧ１１は、タイミング信号ＨＳＹＮＣに基づくタイミング、例えばタイミングｔ９０で、制御信号ＳＥＬ４をハイレベルにする。従って、スイッチＳＷ３１からＳＷ４２までは、タイミングｔ９０で、導通状態になる。検出回路ＩＮＴ２、ＩＮＴ４、ＩＮＴ６、ＩＮＴ８、ＩＮＴ１０及びＩＮＴ１２は、タイミングｔ９０で、検出信号ＳＩＧＭＬを夫々読み取り、ＣＯＦ１２は、検出信号ＳＩＧＭＬをサンプリング及びＡＤ変換することにより、負極性の検出画素データを取得できる。なお、ＣＯＦ１２は、検出信号ＳＩＧＭＬのピークの電圧を読み取ることにより、負極性の検出画素データを取得しても良い。
【０４５６】
タイミングｔ９１からタイミングｔ９２までは、２つ目のフレームの第１の水平ラインの表示書込み（画像表示）期間である。
【０４５７】
ＣＯＧ１１は、タイミングｔ９１において、バッファ１１ａに記憶されている、２つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第１の水平ラインの負極性の画素信号ＳＩＧＭＩＮＵＳ）を維持し、Ｎ本の信号線ＳＬの内の奇数番目及び偶数番目の内の他方の群に、２つ目のフレームの第１の水平ラインの正極性の画素信号ＳＩＧＰＬＵＳを出力する。
【０４５８】
例えば、水平ドライバ８は、Ｎ本の信号線ＳＬの内の偶数番目の群（図２４の信号線ＳＬ２、ＳＬ４、ＳＬ６、・・・参照）の電位（２つ目のフレームの第１の水平ラインの負極性の画素信号ＳＩＧＭＩＮＵＳ）を維持し、Ｎ本の信号線ＳＬの内の奇数番目の群（図２４の信号線ＳＬ１、ＳＬ３、ＳＬ５、・・・参照）に、２つ目のフレームの第１の水平ラインの正極性の画素信号ＳＩＧＰＬＵＳを出力する。
【０４５９】
また、ＣＯＧ１１は、タイミングｔ９１からタイミングｔ９２までの間は、ハイレベルの制御信号ＳＥＬ３（図２４参照）を駆動電極ドライバ９に出力する。従って、スイッチＳＷ２１及びＳＷ２２は、導通状態になる。駆動電極ドライバ９は、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０４６０】
タイミングｔ９２以降は、２つ目のフレームの第２の水平ラインの負極性の画像検出、及び、表示書込み（画像表示）期間である。
【０４６１】
ホストＨＳＴは、タイミングｔ９２において、２つ目のフレームの第２の水平ラインの画像データをＣＯＧ１１に出力する。ＣＯＧ１１は、ホストＨＳＴから供給される２つ目のフレームの第２の水平ラインの画像データをバッファ１１ａ（図２２参照）に一時記憶する。
【０４６２】
タイミングｔ９２から一定時間後のタイミングｔ９３までの期間は、信号線ＳＬのプリチャージ期間である。
【０４６３】
水平ドライバ８は、タイミングｔ９２からタイミングｔ９３までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ９２からタイミングｔ９３までの期間に、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０４６４】
例えば、水平ドライバ８は、Ｎ本の信号線ＳＬの内の偶数番目の群（図２４の信号線ＳＬ２、ＳＬ４、ＳＬ６、・・・参照）に、接地電位ＧＮＤを出力する。また、水平ドライバ８は、Ｎ本の信号線ＳＬの内の奇数番目の群（図２４の信号線ＳＬ１、ＳＬ３、ＳＬ５、・・・参照）の電位（２つ目のフレームの第１の水平ラインの正極性の画素信号ＳＩＧＰＬＵＳ）を維持する。
【０４６５】
タイミングｔ９３からタイミングｔ９４までは、２つ目のフレームの第２の水平ラインの負極性の画像検出期間である。
【０４６６】
ＣＯＧ１１は、タイミングｔ９３において、バッファ１１ａに記憶されている、２つ目のフレームの第２の水平ラインの画像データに基づいて、水平ドライバ８に負極性の画素信号の出力を行わせる。水平ドライバ８は、Ｎ本の信号線ＳＬの内の奇数番目及び偶数番目の内の一方の群に、２つ目のフレームの第２の水平ラインの負極性の画素信号ＳＩＧＭＩＮＵＳを出力し、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０４６７】
例えば、水平ドライバ８は、Ｎ本の信号線ＳＬの内の偶数番目の群（図２４の信号線ＳＬ２、ＳＬ４、ＳＬ６、・・・参照）に、２つ目のフレームの第２の水平ラインの負極性の画素信号ＳＩＧＭＩＮＵＳを出力する。また、水平ドライバ８は、Ｎ本の信号線ＳＬの内の奇数番目の群（図２４の信号線ＳＬ１、ＳＬ３、ＳＬ５、・・・参照）の電位（２つ目のフレームの第１の水平ラインの画素信号ＳＩＧＰＬＵＳ）を維持する。
【０４６８】
また、ＣＯＧ１１は、タイミングｔ９３からタイミングｔ９４までの間は、ローレベルの制御信号ＳＥＬ３（図２４参照）を駆動電極ドライバ９に出力する。従って、スイッチＳＷ２１及びＳＷ２２は、遮断状態になる。これにより、全部の駆動電極ＣＯＭＬは、フローティング状態になる。
【０４６９】
再び図２４を参照すると、信号線ＳＬ１からＳＬ１２までと、配線ＭＬ１からＭＬ１２までと、が夫々容量結合するので、信号線ＳＬ２、ＳＬ４、ＳＬ６、ＳＬ８、ＳＬ１０及びＳＬ１２までに供給される画素信号ＳＩＧＭＩＮＵＳに起因して、配線ＭＬ２、ＭＬ４、ＭＬ６、ＭＬ８、ＭＬ１０及びＭＬ１２に検出信号ＳＩＧＭＬが夫々生ずる。ＣＯＧ１１は、タイミング信号ＨＳＹＮＣに基づくタイミング、例えばタイミングｔ９３で、制御信号ＳＥＬ４をハイレベルにする。従って、スイッチＳＷ３１からＳＷ４２までは、タイミングｔ９３で、導通状態になる。検出回路ＩＮＴ２、ＩＮＴ４、ＩＮＴ６、ＩＮＴ８、ＩＮＴ１０及びＩＮＴ１２は、タイミングｔ９３で、検出信号ＳＩＧＭＬを夫々読み取り、ＣＯＦ１２は、検出信号ＳＩＧＭＬをサンプリング及びＡＤ変換することにより、負極性の検出画素データを取得できる。なお、ＣＯＦ１２は、検出信号ＳＩＧＭＬのピークの電圧を読み取ることにより、負極性の検出画素データを取得しても良い。
【０４７０】
タイミングｔ９４以降は、２つ目のフレームの第２の水平ラインの表示書込み（画像表示）期間である。
【０４７１】
ＣＯＧ１１は、タイミングｔ９４において、バッファ１１ａに記憶されている、２つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第２の水平ラインの負極性の画素信号ＳＩＧＭＩＮＵＳ）を維持し、Ｎ本の信号線ＳＬの内の奇数番目及び偶数番目の内の他方の群に、２つ目のフレームの第２の水平ラインの正極性の画素信号ＳＩＧＰＬＵＳを出力する。
【０４７２】
例えば、水平ドライバ８は、Ｎ本の信号線ＳＬの内の偶数番目の群（図２４の信号線ＳＬ２、ＳＬ４、ＳＬ６、・・・参照）の電位（２つ目のフレームの第２の水平ラインの負極性の画素信号ＳＩＧＭＩＮＵＳ）を維持し、Ｎ本の信号線ＳＬの内の奇数番目の群（図２４の信号線ＳＬ１、ＳＬ３、ＳＬ５、・・・参照）に、２つ目のフレームの第２の水平ラインの正極性の画素信号ＳＩＧＰＬＵＳを出力する。
【０４７３】
また、ＣＯＧ１１は、タイミングｔ９４からは、ハイレベルの制御信号ＳＥＬ３（図２４参照）を駆動電極ドライバ９に出力する。従って、スイッチＳＷ２１及びＳＷ２２は、導通状態になる。駆動電極ドライバ９は、全部の駆動電極ＣＯＭＬにローレベル（電位ＶＣＯＭＤＣ）の駆動信号ＶＣＯＭを出力する。これにより、画素電極ＰＥ（図３参照）の各々と駆動電極ＣＯＭＬとの間に電界が形成され、画像が表示される。
【０４７４】
ＣＯＧ１１及びＣＯＦ１２は、以降同様にして、２つ目のフレームの第３の水平ラインから第Ｍの水平ラインまでの負極性の画像検出、及び、表示書込み（画像表示）を行う。
【０４７５】
なお、先に説明したように、検出画像データの１ライン内の検出画素データ数は、Ｎ個になる。また、図２５で説明したように、表示装置１は、１ラインずつ画像検出を行う。従って、検出画像データは、Ｍ行×Ｎ列の画素データを含む。
【０４７６】
第４の実施形態に係る表示装置の動作例のフローチャートは、第１の実施形態に係る表示装置の第２の動作例のフローチャート（図１３参照）と同様であるので、図示及び説明を省略する。
【０４７７】
また、第４の実施形態に係る表示装置は、第１の実施形態に係る表示装置の第１の動作例と同様に、Ｌ個のユニット（図６参照）毎に対して、画像検出及び画像表示を行うことができる。この場合の、第４の実施形態に係る表示装置の動作のフローチャートは、第１の実施形態に係る表示装置の第１の動作例のフローチャート（図１０参照）と同様であるので、図示及び説明を省略する。
【０４７８】
また、第４の実施形態では、本発明をいわゆる横電界型の液晶表示装置に適用した場合について説明した。しかしながら、本発明は、横電界型の液晶表示装置に限定されず、いわゆる縦電界型の液晶表示装置にも適用可能である。
【０４７９】
図２６は、第４の実施形態の変形例に係る表示装置のパネルの断面構造を示す模式図である。図２６は、３個の画素Ｐｉｘの断面構造を示す模式図である。
【０４８０】
パネルＰＮＬｅは、表示部ＤＳＰに検出部ＤＥＴを内蔵して一体化した、いわゆるインセルタイプの装置である。
【０４８１】
パネルＰＮＬｅは、第１基板５ｅと、第１基板５ｅに対向する第２基板６ｅと、第１基板５ｅと第２基板６ｅとの間に配置された液晶ＬＣと、を含む。
【０４８２】
第１基板５ｅは、透光性絶縁基板である基板３１を有する。基板３１のＺ方向と反対側の面には、偏光板３２が配置されている。
【０４８３】
基板３１のＺ方向側の面には、第１メタル層の走査線ＧＬが形成されている。走査線ＧＬは、Ｘ方向（図２６中の左右方向）に沿って延在している。走査線ＧＬのＺ方向側の上には、絶縁層３３が形成されている。なお、ＴＦＴ素子Ｔｒ（図３参照）は、図２６では図示を省略しているが、走査線ＧＬと絶縁層３３との間に形成されても良い。
【０４８４】
絶縁層３３のＺ方向側の面には、第２メタル層の信号線ＳＬ１からＳＬ９までが形成されている。信号線ＳＬ１からＳＬ９までは、Ｙ方向（図２６の紙面に垂直な方向）に沿って延在している。絶縁層３３及び信号線ＳＬ１からＳＬ９までのＺ方向側には、絶縁層３６が形成されている。
【０４８５】
絶縁層３６のＺ方向側の面且つ信号線ＳＬ１からＳＬ９までのＺ方向側には、第３メタル層の配線ＭＬ１からＭＬ９までが、形成されている。配線ＭＬ１からＭＬ９までは、Ｙ方向（図２６の紙面に垂直な方向）に沿って延在している。絶縁層３６及び配線ＭＬ１からＭＬ９までのＺ方向側には、絶縁層３７が形成されている。
【０４８６】
絶縁層３７のＺ方向側の面には、透明導電膜層の画素電極ＰＥ１からＰＥ９までが、形成されている。
【０４８７】
第２基板６ｅの構成は、第１の実施形態の変形例の第２基板６ａ（図１４参照）と比較すると、検出線ＲＬを含んでいない。
【０４８８】
画素電極ＰＥ１、ＰＥ２及びＰＥ３の各々と駆動電極ＣＯＭＬ１との間には電界が形成され、この電界によって液晶ＬＣの分子がＺ方向側に立ち上がったり立ち下がったりすることにより、偏光板３２を通過した光の偏光方向が回転される。画素電極ＰＥ４、ＰＥ５及びＰＥ６の各々と駆動電極ＣＯＭＬ２との間には電界が形成され、この電界によって液晶ＬＣの分子がＺ方向側に立ち上がったり立ち下がったりすることにより、偏光板３２を通過した光の偏光方向が回転される。画素電極ＰＥ７、ＰＥ８及びＰＥ９の各々と駆動電極ＣＯＭＬ３との間には電界が形成され、この電界によって液晶ＬＣの分子がＺ方向側に立ち上がったり立ち下がったりすることにより、偏光板３２を通過した光の偏光方向が回転される。つまり、パネルＰＮＬｅは、いわゆる縦電界型の液晶表示装置である。
【０４８９】
第４の実施形態に係る表示装置は、第１の実施形態に係る表示装置の特徴に加えて、下記の特徴を有する。なお、第４の実施形態に係る表示装置は、下記記載以外の特徴も有する。第４の実施形態に係る表示装置は、検出線ＲＬを不要にできるので、画像ＩＭＧ（図１参照）の透過率を向上させ、画質を向上させることができる。
また、表示装置は、少なくとも１つの信号線ＳＬに正極性又は負極性の信号を入力し、正極性又は負極性の信号が入力された少なくとも１つの信号線ＳＬに対応する少なくとも１つの配線ＭＬで、検出信号を検出しても良い。
【０４９０】
（第５の実施形態）
図２７は、第５の実施形態に係る表示装置の構成を示すブロック図である。
【０４９１】
本実施形態に係る表示装置１ｆは、パネルＰＮＬｆと、発光部ＢＬと、検出部ＤＥＴと、制御部ＣＴＬと、を含む。パネルＰＮＬｆは、画像を表示する表示部ＤＳＰを含む。
【０４９２】
発光部ＢＬは、パネルＰＮＬｆのＺ方向と反対側に配置されており、光ＬをＺ方向に向けて出射し、パネルＰＮＬｆを照射する。
【０４９３】
表示部ＤＳＰは、発光部ＢＬから光Ｌの照射を受けて、Ｚ方向に向けて画像ＩＭＧを表示する。
【０４９４】
検出部ＤＥＴは、表示部ＤＳＰで表示される画像ＩＭＧを電気的に検出する。詳細には、検出部ＤＥＴは、表示部ＤＳＰ内の画素に画素信号を供給する信号線と容量結合する検出線を有し、画素信号に起因して検出信号を検出線に生ずる。
【０４９５】
本実施形態では、表示装置１ｆは、画像を表示する画像表示期間と、画像を検出する画像検出期間と、を有する。また、本実施形態では、後述するように、表示装置１ｆは、互いに隣接する１カラム（１画素列）毎に画像信号の極性を交互に反転させるカラム反転駆動方式を採用する。そこで、画像検出期間は、正極性の画像を検出する期間と、負極性の画像を検出する期間と、を有する。
【０４９６】
発光部ＢＬ及び検出部ＤＥＴは、一体化されていても良い。また、発光部ＢＬ及び検出部ＤＥＴは、発光部ＢＬに検出部ＤＥＴが装着されていても良い。
【０４９７】
以下に、発光部ＢＬ及び検出部ＤＥＴの具体的な構成例について説明するが、これらの構成例は例示であり、これらの構成例に限定されない。
【０４９８】
図２８は、第５の実施形態に係る表示装置のモジュール構成を示す図である。パネルＰＮＬｆは、第１の実施形態に係る表示装置のパネルＰＮＬ（図２参照）と比較すると、ＣＯＦ１２及び検出線ＲＬを備えていない。
【０４９９】
図２９は、第５の実施形態に係る表示装置の発光部の構成を示す図である。発光部ＢＬは、パネルＰＮＬｆの背面側（Ｚ方向と反対側）に配置される。図２９では、パネルＰＮＬｆに含まれる構成要素である表示領域ＤＡ、画素Ｐｉｘ、走査線ＧＬ、信号線ＳＬ及び駆動電極ＣＯＭＬを、点線で示している。
【０５００】
発光部ＢＬの背面側（Ｚ方向と反対側）には、駆動電極ＣＯＭＬに対応して、画素Ｐｉｘの２列ごとに、Ｙ方向に沿って延在する検出線ＲＬが配置されている。従って、検出線ＲＬの本数は、（Ｎ／２）本である。なお、検出線ＲＬが画素Ｐｉｘの２列ごとに配置されることは例示であり、これに限定されない。
【０５０１】
フレキシブルプリント基板Ｔ上のＣＯＦ１２は、検出線ＲＬに接続され、画素信号に起因して検出線ＲＬに生ずる検出信号に基づいて、検出画像データをホストＨＳＴに出力する。なお、本実施形態では、検出線ＲＬが、画素Ｐｉｘの２列ごとに配置されている。従って、検出画像データの１ライン内の検出画素データ数は、（Ｎ／２）個になる。なお、検出線ＲＬが、画素Ｐｉｘの２列ごとに配置されていることは例示であって、これに限定されない。検出線ＲＬが、画素Ｐｉｘの１列ごと又は３列以上ごとに配置されていても良い。
【０５０２】
図３０は、第５の実施形態に係る表示装置の断面構造の第１の例を示す模式図である。図３０は、１個の画素Ｐｉｘの断面構造を示す模式図である。
【０５０３】
パネルＰＮＬｆは、第１基板５ｆと、第１基板５ｆに対向する第２基板６ｆと、第１基板５ｆと第２基板６ｆとの間に配置された液晶ＬＣと、を含む。
【０５０４】
第１基板５ｆの構成は、第１の実施形態に係る表示装置の第１基板５（図４参照）と同様である。
【０５０５】
第２基板６ｆの構成は、第１の実施形態の第２基板６（図４参照）と比較すると、検出線ＲＬを含んでいない。
【０５０６】
第１基板５ｆのＺ方向と反対側には、発光部ＢＬが設けられている。発光部ＢＬのＺ方向側には、検出線ＲＬが設けられている。つまり、検出線ＲＬは、偏光板３２と発光部ＢＬとの間に設けられている。検出線ＲＬは、Ｙ方向（図３０の紙面に垂直な方向）に沿って延在している。
【０５０７】
図３１は、第５の実施形態に係る表示装置の断面構造の第２の例を示す模式図である。図３１は、１個の画素Ｐｉｘの断面構造を示す模式図である。
【０５０８】
第１基板５ｆのＺ方向と反対側には、発光部ＢＬが設けられている。発光部ＢＬのＺ方向と反対側には、検出線ＲＬが設けられている。検出線ＲＬは、Ｙ方向（図３１の紙面に垂直な方向）に沿って延在している。
【０５０９】
図３２は、第５の実施形態に係る表示装置の断面構造の第３の例を示す模式図である。図３２は、１個の画素Ｐｉｘの断面構造を示す模式図である。
【０５１０】
第１基板５ｆのＺ方向と反対側には、発光部ＢＬが設けられている。発光部ＢＬの内部には、検出線ＲＬが設けられている。検出線ＲＬは、Ｙ方向（図３２の紙面に垂直な方向）に沿って延在している。
【０５１１】
図３３は、第５の実施形態に係る表示装置の発光部の断面構造の第１の例を示す模式図である。図３３に示す発光部ＢＬは、図３０に示した表示装置１ｆの断面構造の第１の例に対応する。
【０５１２】
発光部ＢＬは、導光板６１と、導光板６１のＸ方向と反対側に設けられた光源６６と、を含む。光源６６は、Ｘ方向に沿って、光Ｌ０を出射する。光Ｌ０は、Ｘ方向に沿って進行し、導光板６１の側面から入射する。導光板６１は、入射した光Ｌ０をパネルＰＮＬｆ側、つまりＺ方向に導光する。
【０５１３】
導光板６１のＺ方向と反対側の面には、反射板６２が設けられている。反射板６２は、導光板６１からＺ方向と反対側に出射する光を、Ｚ方向側に反射する。これにより、反射板６２は、光源６６から出射された光Ｌ０を効率的にパネルＰＮＬｆに向かわせることができる。
【０５１４】
導光板６１のＺ方向側の面には、拡散フィルム６３が設けられている。拡散フィルム６３は、導光板６１からパネルＰＮＬｆ側、つまりＺ方向側に出射する光を、パネルＰＮＬｆ全体に拡散する。これにより、拡散フィルム６３は、パネルＰＮＬｆの輝度を一様にできる。
【０５１５】
拡散フィルム６３のＺ方向側の面には、第１の輝度上昇フィルム６４が設けられている。第１の輝度上昇フィルム６４は、透光性のポリエステルの表面に、アクリル樹脂のプリズムパターンを均一に精密成形することが、例示される。第１の輝度上昇フィルム６４は、拡散フィルム６３からＺ方向に出射した光を表示装置１ｆの使用者に向かって集光し、正面での輝度を向上させることができる。また、第１の輝度上昇フィルム６４は、視野角外の利用されない光を、視野角内に再反射し、表示装置１ｆの使用者の方向に好適な角度で集光することができる。
【０５１６】
第１の輝度上昇フィルム６４のＺ方向側の面には、検出線ＲＬが設けられている。検出線ＲＬは、Ｙ方向（図３３の紙面に垂直な方向）に沿って延在している。
【０５１７】
検出線ＲＬのＺ方向側には、第２の輝度上昇フィルム６５が設けられている。第２の輝度上昇フィルム６５は、多層薄膜構造を有する反射型偏光フィルムが例示される。第２の輝度上昇フィルム６５は、第１の輝度上昇フィルム６４から出射する光をパネルＰＮＬｆの偏光板３２（図３１参照）に吸収させることなく、パネルＰＮＬｆの画面を明るくできる。
【０５１８】
図３４は、第５の実施形態に係る表示装置の発光部の断面構造の第２の例を示す模式図である。図３４に示す発光部ＢＬは、図３０に示した表示装置１ｆの断面構造の第１の例に対応する。
【０５１９】
拡散フィルム６３のＺ方向側の面には、検出線ＲＬが設けられている。検出線ＲＬは、Ｙ方向（図３４の紙面に垂直な方向）に沿って延在している。
【０５２０】
検出線ＲＬのＺ方向側には、第１の輝度上昇フィルム６４が設けられている。第１の輝度上昇フィルム６４のＺ方向側の面には、第２の輝度上昇フィルム６５が設けられている。
【０５２１】
図３５は、第５の実施形態に係る表示装置の発光部の断面構造の第３の例を示す模式図である。図３５に示す発光部ＢＬは、図３１に示した表示装置１ｆの断面構造の第２の例に対応する。
【０５２２】
導光板６１のＺ方向と反対側の面には、検出線ＲＬが設けられている。検出線ＲＬは、Ｙ方向（図３５の紙面に垂直な方向）に沿って延在している。検出線ＲＬのＺ方向と反対側には、反射板６２が設けられている。
【０５２３】
図３６は、第５の実施形態に係る表示装置の発光部の断面構造の第４の例を示す模式図である。図３６に示す発光部ＢＬは、図３２に示した表示装置１ｆの断面構造の第３の例に対応する。
【０５２４】
導光板６１のＺ方向と反対側の面には、反射板６２が設けられている。反射板６２は、導光板６１からＺ方向と反対側に出射する光を、Ｚ方向側に反射する。これにより、反射板６２は、光源６６から出射された光Ｌ０を効率的にパネルＰＮＬｆに向かわせることができる。
【０５２５】
導光板６１のＺ方向側の面には、検出線ＲＬが設けられている。検出線ＲＬは、Ｙ方向（図３６の紙面に垂直な方向）に沿って延在している。検出線ＲＬのＺ方向側には、拡散フィルム６３が設けられている。
【０５２６】
第５の実施形態に係る表示装置の動作例のフローチャートは、第１の実施形態に係る表示装置の第１及び第２の動作例のフローチャート（図１０及び図１３参照）と同様であるので、図示及び説明を省略する。
【０５２７】
第５の実施形態に係る表示装置は、第１の実施形態に係る表示装置の特徴に加えて、下記の特徴を有する。なお、第５の実施形態に係る表示装置は、下記記載以外の特徴も有する。第５の実施形態に係る表示装置は、検出線ＲＬがパネルＰＮＬｆのＺ方向と反対側に設けられている。従って、第５の実施形態に係る表示装置は、画像ＩＭＧ（図１参照）が検出線ＲＬを通過しないので、画像ＩＭＧの透過率を向上させ、画質を向上させることができる。
また、表示装置は、少なくとも１つの信号線ＳＬに正極性又は負極性の信号を入力し、正極性又は負極性の信号が入力された少なくとも１つの信号線ＳＬに対応する少なくとも１つの検出線ＲＬで、検出信号を検出しても良い。
【０５２８】
（第６の実施形態）
図３７は、第６の実施形態に係るタッチ検出機能付き表示装置の構成を示すブロック図である。
【０５２９】
本実施形態に係るタッチ検出機能付き表示装置１ｇは、パネルＰＮＬｇと、発光部ＢＬと、制御部ＣＴＬｇと、を含む。パネルＰＮＬｇは、画像を表示する表示部ＤＳＰと、画像を検出する検出部ＤＥＴと、被検出物ＯＢＪのタッチ検出面ＩＳへの接触又は近接を検出するタッチ検出部ＴＤＥＴと、を含む。
【０５３０】
本実施形態では、タッチ検出機能付き表示装置１ｇは、画像を表示する画像表示期間と、画像を検出する画像検出期間と、タッチを検出するタッチ検出期間と、を有する。また、本実施形態では、後述するように、タッチ検出機能付き表示装置１ｇは、互いに隣接する１カラム（１画素列）毎に画像信号の極性を交互に反転させるカラム反転駆動方式を採用する。そこで、画像検出期間は、正極性の画像を検出する期間と、負極性の画像を検出する期間と、を有する。
【０５３１】
表示部ＤＳＰ、検出部ＤＥＴ及びタッチ検出部ＴＤＥＴは、一体化された、インセル型であっても良い。また、表示部ＤＳＰ、検出部ＤＥＴ及びタッチ検出部ＴＤＥＴは、表示部ＤＳＰの上に検出部ＤＥＴ及びタッチ検出部ＴＤＥＴが装着された、オンセル型であっても良い。
【０５３２】
制御部ＣＴＬｇは、表示部ＤＳＰ及び発光部ＢＬを制御する表示制御部２と、検出信号を検出部ＤＥＴから読み取り、検出信号に基づいて検出画像データをホストＨＳＴに出力する検出制御部３と、タッチ検出を制御するタッチ検出制御部７１と、を含む。
【０５３３】
検出制御部３及びタッチ検出制御部７１は、表示部ＤＳＰのガラス基板に接続されたプリント基板（例えば、フレキシブルプリント基板）上に実装されたＩＣチップが例示される。
【０５３４】
図３８は、第６の実施形態に係るタッチ検出機能付き表示装置のモジュール構成を示す図である。
【０５３５】
パネルＰＮＬｇは、基板４ｇと、駆動電極ドライバ９ｇと、ＣＯＦ１２ｇと、を含む。基板４ｇは、第１基板５ｇと、第１基板５ｇのＺ方向側に配置され、第１基板５ｇと所定の間隙をもって対向する第２基板６ｇと、を含む。
【０５３６】
本実施形態に係るタッチ検出機能付き表示装置１ｇのパネルＰＮＬｇの構成は、第２の実施形態に係る表示装置のパネルＰＮＬｂ（図１５参照）と比較して、検出線ＲＬが第２基板６ｇに配置されている。検出線ＲＬは、画素Ｐｉｘの２行ごとに、Ｘ方向に沿って延在する。従って、検出線ＲＬの本数は、（Ｍ／２）本である。なお、検出線ＲＬが画素Ｐｉｘの２行ごとに配置されることは例示であり、これに限定されない。検出線ＲＬが、画素Ｐｉｘの１行ごと又は３行以上ごとに配置されていても良い。検出線ＲＬは、ＣＯＦ１２ｇに接続されている。
【０５３７】
駆動電極ＣＯＭＬが、図３７の検出部ＤＥＴに対応する。駆動電極ＣＯＭＬ及び検出線ＲＬが、図３７のタッチ検出部ＴＤＥＴに対応する。ＣＯＧ１１、垂直ドライバ７、水平ドライバ８及び駆動電極ドライバ９ｇが、図３７の表示制御部２に対応する。ＣＯＦ１２ｇが、図３７の検出制御部３及びタッチ検出制御部７１に対応する。
【０５３８】
図３９から図４１までを参照して、本実施形態に係るタッチ検出機能付き表示装置１ｇの相互静電容量方式のタッチ検出の基本原理について説明する。
【０５３９】
図３９は、相互静電容量方式のタッチ検出の基本原理を説明するための、被検出物が接触又は近接した状態を表す説明図である。図４０は、相互静電容量方式のタッチ検出の等価回路の例を示す説明図である。図４１は、相互静電容量方式のタッチ検出の駆動信号及び検出信号の波形の一例を表す図である。なお、図４０は、検出回路を併せて示している。
【０５４０】
例えば、図３９に示すように、容量素子Ｃ１１は、誘電体Ｄを挟んで互いに対向配置された一対の電極である、駆動電極Ｅ１及びタッチ検出電極Ｅ２を備えている。図４０に示すように、容量素子Ｃ１１は、その一端が交流信号源（駆動信号源）Ｓに接続され、他端は電圧検出器（タッチ検出部）ＤＥに接続される。電圧検出器ＤＥは、例えばＣＯＦ１２ｇに含まれる積分回路である。
【０５４１】
交流信号源Ｓから駆動電極Ｅ１（容量素子Ｃ１１の一端）に所定の周波数（例えば数ｋＨｚ〜数百ｋＨｚ程度）の交流矩形波Ｓｇを印加すると、タッチ検出電極Ｅ２（容量素子Ｃ１１の他端）側に接続された電圧検出器ＤＥを介して、出力波形（タッチ検出信号Ｖｄｅｔ１）が現れる。なお、この交流矩形波Ｓｇは、後述するタッチ検出駆動信号Ｖｃｏｍｔｍに相当するものである。
【０５４２】
被検出物が接触（又は近接）していない状態（非接触状態）では、容量素子Ｃ１１に対する充放電に伴って、容量素子Ｃ１１の容量値に応じた電流Ｉ０が流れる。図４１に示すように、電圧検出器ＤＥは、交流矩形波Ｓｇに応じた電流Ｉ０の変動を電圧の変動（実線の波形Ｖ０）に変換する。
【０５４３】
一方、被検出物が接触（又は近接）した状態（接触状態）では、図３９に示すように、指によって形成される静電容量Ｃ１２がタッチ検出電極Ｅ２と接している又は近傍にあることにより、駆動電極Ｅ１及びタッチ検出電極Ｅ２の間にあるフリンジ分の静電容量が遮られ、容量素子Ｃ１１の容量値よりも容量値の小さい容量素子Ｃ１１ａとして作用する。そして、図４０に示す等価回路でみると、容量素子Ｃ１１ａに電流Ｉ１が流れる。
【０５４４】
図４１に示すように、電圧検出器ＤＥは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、被検出物の影響に応じて変化することになる。なお、電圧検出器ＤＥは、波形Ｖ０と波形Ｖ１との電圧差分の絶対値｜ΔＶ｜を精度良く検出するため、回路内のスイッチングにより、交流矩形波Ｓｇの周波数に合わせて、コンデンサの充放電をリセットする期間Ｒｅｓを設けた動作とすることがより好ましい。
【０５４５】
図４２は、第６の実施形態に係るタッチ検出機能付き表示装置の駆動電極及び検出線の構成例を表す斜視図である。本構成例に係る駆動電極ＣＯＭＬは、表示部ＤＳＰの駆動電極として機能するとともに、タッチ検出部ＴＤＥＴの駆動電極としても機能する。
【０５４６】
駆動電極ＣＯＭＬは、第１基板５ｇの表面に対する垂直方向において、画素電極ＰＥ（図３参照）に対向している。タッチ検出部ＴＤＥＴは、第１基板５ｇに設けられた駆動電極ＣＯＭＬと、第２基板６ｇに設けられた検出線ＲＬにより構成されている。
【０５４７】
検出線ＲＬは、駆動電極ＣＯＭＬの電極パターンの延在方向と交差する方向に延びるストライプ状の電極パターンから構成されている。そして、検出線ＲＬは、第１基板５ｇの表面に対する垂直な方向において、駆動電極ＣＯＭＬと対向している。検出線ＲＬの各電極パターンは、ＣＯＦ１２ｇに接続されている。
【０５４８】
駆動電極ＣＯＭＬと検出線ＲＬとが互いに交差した電極パターンは、その交差部分に静電容量を生じさせる。タッチ検出部ＴＤＥＴでは、駆動電極ドライバ９ｇが駆動電極ＣＯＭＬに対してタッチ検出駆動信号Ｖｃｏｍｔｍを印加することにより、検出線ＲＬからタッチ検出信号Ｖｄｅｔ１を出力し、タッチ検出が行われるようになっている。
【０５４９】
つまり、駆動電極ＣＯＭＬは、図３９から図４１までに示した相互静電容量方式のタッチ検出の基本原理における駆動電極Ｅ１に対応し、検出線ＲＬは、タッチ検出電極Ｅ２に対応する。そして、タッチ検出部ＴＤＥＴは、この基本原理に従ってタッチを検出するようになっている。
【０５５０】
このように、タッチ検出部ＴＤＥＴは、画素電極ＰＥ又は駆動電極ＣＯＭＬのいずれか一方の電極（例えば、駆動電極ＣＯＭＬ）と相互静電容量を形成する検出線ＲＬを有し、相互静電容量の変化に基づいてタッチ検出を行う。
【０５５１】
駆動電極ＣＯＭＬと検出線ＲＬとが互いに交差した電極パターンは、相互静電容量式タッチセンサをマトリックス状に構成している。よって、ＣＯＦ１２ｇは、タッチ検出部ＴＤＥＴの入力面ＩＳ全体にわたって走査することにより、被検出物ＯＢＪの接触又は近接が生じた位置及び接触面積の検出も可能となっている。
【０５５２】
つまり、タッチ検出部ＴＤＥＴでは、タッチ検出動作を行う際、駆動電極ドライバ９ｇが、各々が複数の駆動電極ＣＯＭＬを含む複数の駆動電極ブロックを、時分割的に線順次走査するように駆動する。これにより、駆動電極ブロック（１検出ブロック）は、スキャン方向Ｓｃａｎに順次選択される。そして、タッチ検出部ＴＤＥＴは、検出線ＲＬからタッチ検出信号Ｖｄｅｔ１を出力する。このようにタッチ検出部ＴＤＥＴは、１検出ブロックのタッチ検出が行われるようになっている。
【０５５３】
なお、検出線ＲＬ又は駆動電極ＣＯＭＬ（駆動電極ブロック）は、ストライプ状に複数に分割される形状に限られない。例えば、検出線ＲＬ又は駆動電極ＣＯＭＬ（駆動電極ブロック）は、櫛歯形状であっても良い。あるいは検出線ＲＬ又は駆動電極ＣＯＭＬ（駆動電極ブロック）は、複数に分割されていればよく、駆動電極ＣＯＭＬを分割するスリットの形状は直線であっても、曲線であっても良い。
【０５５４】
タッチ検出機能付き表示装置１ｇの動作方法の一例として、タッチ検出機能付き表示装置１ｇは、タッチ検出動作（タッチ検出期間）と表示動作（画像表示期間及び画像検出期間）とを時分割に行う。タッチ検出動作と表示動作とはどのように分けて行っても良い。
【０５５５】
図４３は、第６の実施形態に係るタッチ検出機能付き表示装置の水平ドライバ、駆動電極ドライバ及びＣＯＦの構成を示す図である。図４３は、水平ドライバ８の内の、４列の画素Ｐｉｘを駆動する部分と、駆動電極ドライバ９ｇの内の、４列の画素Ｐｉｘを駆動する部分と、ＣＯＦ１２ｇの内の、２行のタッチ検出信号を読み取る部分及び４列の画素の検出信号を読み取る部分と、を示す図である。
【０５５６】
本実施形態に係るタッチ検出機能付き表示装置１ｇのパネルＰＮＬｇの構成は、第２の実施形態に係る表示装置のパネルＰＮＬｂと比較して、駆動電極ドライバ９ｇが、タッチ検出駆動信号出力アンプＴＤＡＭＰ及び走査回路ＳＣを更に含んでいる。また、ＣＯＦ１２ｇが、画像検出回路部１２ｇ１に加えて、タッチ検出回路部１２ｇ２を更に含んでいる。画像検出回路部１２ｇ１の回路構成は、第２の実施形態に係る表示装置のＣＯＦ１２の回路構成（図１７参照）と同様である。
【０５５７】
走査回路ＳＣは、ＣＯＧ１１（図３８参照）から制御信号ＥＸＶＣＯＭが供給されたら、タッチ検出駆動信号出力アンプＴＤＡＭＰを駆動電極ＣＯＭＬに順次接続する。例えば、走査回路ＳＣは、第１のタッチ検出タイミングでは、タッチ検出駆動信号出力アンプＴＤＡＭＰを１つ目の駆動電極ブロックに接続し、第２のタッチ検出タイミングでは、タッチ検出駆動信号出力アンプＴＤＡＭＰを２つ目の駆動電極ブロックに接続する。
【０５５８】
タッチ検出回路部１２ｇ２は、積分回路である検出回路Ｄ１及びＤ２を含む。検出回路Ｄ１と検出線ＲＬ１との間には、スイッチＳＷ６１が配置されている。スイッチＳＷ６１は、ＣＯＧ１１（図３８参照）から供給される制御信号ＳＥＬ５がハイレベルの場合に、検出回路Ｄ１と駆動電極ＣＯＭＬ１との間を導通し、制御信号ＳＥＬ５がローレベルの場合に、検出回路Ｄ１と駆動電極ＣＯＭＬ１との間を遮断する。
【０５５９】
画像表示期間及び画像検出期間では、制御信号ＳＥＬ５は、ローレベルになり、スイッチＳＷ６１は、検出回路Ｄ１と駆動電極ＣＯＭＬ１との間を遮断する。タッチ検出期間では、制御信号ＳＥＬ５は、ハイレベルになり、スイッチＳＷ６１は、検出回路Ｄ１と駆動電極ＣＯＭＬ１との間を導通し、タッチ検出駆動信号Ｖｃｏｍｔｍが検出回路Ｄ１に供給される。検出回路Ｄ１は、タッチ検出信号と基準電位とを比較して、タッチ検出信号を読み取る。
【０５６０】
検出回路Ｄ２と検出線ＲＬ２との間には、スイッチＳＷ６２が配置されている。スイッチＳＷ６２は、ＣＯＧ１１（図３８参照）から供給される制御信号ＳＥＬ５がハイレベルの場合に、検出回路Ｄ２と駆動電極ＣＯＭＬ２との間を導通し、制御信号ＳＥＬ５がローレベルの場合に、検出回路Ｄ２と駆動電極ＣＯＭＬ２との間を遮断する。
【０５６１】
画像表示期間及び画像検出期間では、制御信号ＳＥＬ５は、ローレベルになり、スイッチＳＷ６２は、検出回路Ｄ２と駆動電極ＣＯＭＬ２との間を遮断する。タッチ検出期間では、制御信号ＳＥＬ５は、ハイレベルになり、スイッチＳＷ６２は、検出回路Ｄ２と駆動電極ＣＯＭＬ２との間を導通し、タッチ検出駆動信号Ｖｃｏｍｔｍが検出回路Ｄ２に供給される。検出回路Ｄ２は、タッチ検出信号と基準電位とを比較して、タッチ検出信号を読み取る。
【０５６２】
＜第６の実施形態に係る表示装置の動作例＞
図４４は、第６の実施形態に係るタッチ検出機能付き表示装置の動作例の動作シーケンスを示す図である。図４４は、タッチ検出機能付き表示装置１ｇの２つのフレームに対する動作シーケンスを示している。図４４に示すように、１つ目のフレーム（タイミングｔ１００からタイミングｔ１０７まで）および１つ目のフレーム（タイミングｔ１０７からタイミングｔ１１４まで）において、タッチ検出機能付き表示装置１ｇは、第１のユニットＵ１から第ＬのユニットＵＬまでのＬ個のユニット（図６参照）に対して、順次制御を実行する。
【０５６３】
タッチ検出機能付き表示装置１ｇは、タイミングｔ１００からタイミングｔ１０１までの間において、第１のユニットＵ１に含まれる（Ｍ／Ｌ）水平ラインでの１つ目のフレームにおける画像検出（正極性の画素信号の検出）及び画像表示を実行する。タッチ検出機能付き表示装置１ｇは、タイミングｔ１００からタイミングｔ１０１までの画像検出の際は、正極性だけの画素信号を印加して、画像検出（正極性の画素信号の検出）を実行する。タッチ検出機能付き表示装置１ｇは、タイミングｔ１００からタイミングｔ１０１までの画像表示の際は、正極性及び負極性の両方の画素信号を印加して、画像表示を実行する。
【０５６４】
タッチ検出機能付き表示装置１ｇは、タイミングｔ１０１からタイミングｔ１０２までの間において、第１のユニットＵ１に含まれる（Ｍ／Ｌ）水平ラインでのタッチ検出を実行する。
【０５６５】
タッチ検出機能付き表示装置１ｇは、タイミングｔ１０２からタイミングｔ１０３までの間において、第２のユニットＵ２に含まれる（Ｍ／Ｌ）水平ラインでの１つ目のフレームにおける画像検出（正極性の画素信号の検出）及び画像表示を実行する。タッチ検出機能付き表示装置１ｇは、タイミングｔ１０２からタイミングｔ１０３までの画像検出の際は、正極性だけの画素信号を印加して、画像検出（正極性の画素信号の検出）を実行する。タッチ検出機能付き表示装置１ｇは、タイミングｔ１０２からタイミングｔ１０３までの画像表示の際は、正極性及び負極性の両方の画素信号を印加して、画像表示を実行する。
【０５６６】
タッチ検出機能付き表示装置１ｇは、タイミングｔ１０３からタイミングｔ１０４までの間において、第２のユニットＵ２に含まれる（Ｍ／Ｌ）水平ラインでのタッチ検出を実行する。
【０５６７】
タッチ検出機能付き表示装置１ｇは、タイミングｔ１０４からタイミングｔ１０５までの間において、タイミングｔ１０２からタイミングｔ１０４までの間と同様に、画像表示及び画像検出（正極性の画素信号の検出）を実行する。タッチ検出機能付き表示装置１ｇは、タイミングｔ１０５からタイミングｔ１０６までの間において、第ＬのユニットＵＬに含まれる（Ｍ／Ｌ）水平ラインでの１つ目のフレームにおける画像検出（正極性の画素信号の検出）及び画像表示を実行する。タッチ検出機能付き表示装置１ｇは、タイミングｔ１０５からタイミングｔ１０６までの画像検出の際は、正極性だけの画素信号を印加して、画像検出（正極性の画素信号の検出）を実行する。タッチ検出機能付き表示装置１ｇは、タイミングｔ１０５からタイミングｔ１０６までの画像表示の際は、正極性及び負極性の両方の画素信号を印加して、画像表示を実行する。
【０５６８】
タッチ検出機能付き表示装置１ｇは、タイミングｔ１０６からタイミングｔ１０７までの間において、第ＬのユニットＵＬに含まれる（Ｍ／Ｌ）水平ラインでのタッチ検出を実行する。
【０５６９】
タッチ検出機能付き表示装置１ｇは、タイミングｔ１０７からタイミングｔ１０８までの間において、第１のユニットＵ１に含まれる（Ｍ／Ｌ）水平ラインでの２つ目のフレームにおける画像検出（負極性の画素信号の検出）及び画像表示を実行する。タッチ検出機能付き表示装置１ｇは、タイミングｔ１０７からタイミングｔ１０８までの画像検出の際は、負極性だけの画素信号を印加して、画像検出（負極性の画素信号の検出）を実行する。タッチ検出機能付き表示装置１ｇは、タイミングｔ１０７からタイミングｔ１０８までの画像表示の際は、正極性及び負極性の両方の画素信号を印加して、画像表示を実行する。
【０５７０】
タッチ検出機能付き表示装置１ｇは、タイミングｔ１０８からタイミングｔ１０９までの間において、第１のユニットＵ１に含まれる（Ｍ／Ｌ）水平ラインでのタッチ検出を実行する。
【０５７１】
タッチ検出機能付き表示装置１ｇは、タイミングｔ１０９からタイミングｔ１１０までの間において、第２のユニットＵ２に含まれる（Ｍ／Ｌ）水平ラインでの２つ目のフレームにおける画像検出（負極性の画素信号の検出）及び画像表示を実行する。タッチ検出機能付き表示装置１ｇは、タイミングｔ１０９からタイミングｔ１１０までの画像検出の際は、負極性だけの画素信号を印加して、画像検出（負極性の画素信号の検出）を実行する。タッチ検出機能付き表示装置１ｇは、タイミングｔ１０９からタイミングｔ１１０までの画像表示の際は、正極性及び負極性の両方の画素信号を印加して、画像表示を実行する。
【０５７２】
タッチ検出機能付き表示装置１ｇは、タイミングｔ１１０からタイミングｔ１１１までの間において、第２のユニットＵ２に含まれる（Ｍ／Ｌ）水平ラインでのタッチ検出を実行する。
【０５７３】
タッチ検出機能付き表示装置１ｇは、タイミングｔ１１１からタイミングｔ１１２までの間において、タイミングｔ１０９からタイミングｔ１１１までの間と同様に、画像表示及び画像検出（負極性の画素信号の検出）を実行する。タッチ検出機能付き表示装置１ｇは、タイミングｔ１１２からタイミングｔ１１３までの間において、第ＬのユニットＵＬに含まれる（Ｍ／Ｌ）水平ラインでの２つ目のフレームにおける画像検出（負極性の画素信号の検出）及び画像表示を実行する。タッチ検出機能付き表示装置１ｇは、タイミングｔ１１２からタイミングｔ１１３までの画像検出の際は、負極性だけの画素信号を印加して、画像検出（負極性の画素信号の検出）を実行する。タッチ検出機能付き表示装置１ｇは、タイミングｔ１１２からタイミングｔ１１３までの画像表示の際は、正極性及び負極性の両方の画素信号を印加して、画像表示を実行する。
【０５７４】
タッチ検出機能付き表示装置１ｇは、タイミングｔ１１３からタイミングｔ１１４までの間において、第ＬのユニットＵＬに含まれる（Ｍ／Ｌ）水平ラインでのタッチ検出を実行する。
【０５７５】
図４５は、第６の実施形態に係るタッチ検出機能付き表示装置の動作例の動作タイミングを示す図である。
【０５７６】
タイミング信号ＴＳＶＤの１つ目の立ち上がりエッジのタイミングｔ１２０からタイミング信号ＴＳＶＤの２つ目の立ち上がりエッジのタイミングｔ１３２までの期間は、１つ目のフレームの画像検出及び画像表示並びにタッチ検出の期間である。タイミング信号ＴＳＶＤの２つ目の立ち上がりエッジのタイミングｔ１３２以降の期間は、２つ目のフレームの画像検出及び画像表示並びにタッチ検出の期間である。
【０５７７】
ＣＯＧ１１からＣＯＦ１２ｇに出力される検出制御用のタイミング信号ＨＳＹＮＣは、ＣＯＧ１１が表示部ＤＳＰに画像を表示させる表示制御用の水平同期信号と同じ周波数の信号が例示される。
【０５７８】
ＣＯＧ１１は、全期間において、ハイレベルの制御信号ＳＥＬ１及びＳＥＬ２（図４３参照）を水平ドライバ８に出力する。従って、スイッチＳＷ１からＳＷ１２までは、導通状態になる。
【０５７９】
タイミングｔ１２１からタイミングｔ１２４までは、１つ目のフレームの第１の水平ラインの正極性の画像検出、及び、表示書込み（画像表示）期間である。
【０５８０】
ホストＨＳＴは、タイミングｔ１２１において、１つ目のフレームの第１の水平ラインの画像データをＣＯＧ１１に出力する。ＣＯＧ１１は、ホストＨＳＴから供給される１つ目のフレームの第１の水平ラインの画像データをバッファ１１ａ（図３８参照）に一時記憶する。従って、バッファ１１ａは、１水平ラインの画像データを記憶可能な記憶容量を有すれば良い。
【０５８１】
タイミングｔ１２１から一定時間後のタイミングｔ１２２までの期間は、信号線ＳＬのプリチャージ期間である。
【０５８２】
水平ドライバ８は、タイミングｔ１２１からタイミングｔ１２２までの期間に、接地電位ＧＮＤを全部の信号線ＳＬに出力し、全部の信号線ＳＬを接地電位ＧＮＤにプリチャージする。
【０５８３】
タイミングｔ１２２からタイミングｔ１２３までは、１つ目のフレームの第１の水平ラインの正極性の画像検出期間である。
【０５８４】
ＣＯＧ１１は、タイミングｔ１２２において、バッファ１１ａに記憶されている、１つ目のフレームの第１の水平ラインの画像データに基づいて、水平ドライバ８に１つ目のフレームの第１の水平ラインの正極性の画素信号の出力を行わせる。水平ドライバ８は、Ｎ本の信号線ＳＬの内の奇数番目及び偶数番目の内の一方の群に、１つ目のフレームの第１の水平ラインの正極性の画素信号ＳＩＧＰＬＵＳを出力し、Ｎ本の信号線ＳＬの内の奇数番目及び偶数番目の内の他方の群の電位（接地電位ＧＮＤ）を維持する。
【０５８５】
例えば、水平ドライバ８は、Ｎ本の信号線ＳＬの内の奇数番目の群（図４３の信号線ＳＬ１、ＳＬ３、ＳＬ５、・・・参照）に、１つ目のフレームの第１の水平ラインの正極性の画素信号ＳＩＧＰＬＵＳを出力する。また、水平ドライバ８は、Ｎ本の信号線ＳＬの内の偶数番目の群（図４３の信号線ＳＬ２、ＳＬ４、ＳＬ６、・・・参照）の電位（接地電位ＧＮＤ）を維持する。
【０５８６】
また、ＣＯＧ１１は、タイミングｔ１２１からタイミングｔ１２３までの間は、ローレベルの制御信号ＳＥＬ３（図４３参照）を駆動電極ドライバ９ｇに出力する。従って、スイッチＳＷ２１及びＳＷ２２は、遮断状態になる。これにより、全部の駆動電極ＣＯＭＬは、フローティング状態になる。
【０５８７】
再び図４３を参照すると、駆動電極ＣＯＭＬ１がフローティング状態であると、信号線ＳＬ１、ＳＬ３及びＳＬ５と駆動電極ＣＯＭＬ１とが容量結合するので、信号線ＳＬ１、ＳＬ３及びＳＬ５に供給される画素信号ＳＩＧＰＬＵＳに起因して、駆動電極ＣＯＭＬ１に検出信号が生ずる。ＣＯＧ１１は、タイミング信号ＨＳＹＮＣに基づくタイミング、例えばタイミングｔ１２２で、制御信号ＳＥＬ４をハイレベルにする。従って、スイッチＳＷ３１は、タイミングｔ１２２で、導通状態になる。検出回路ＩＮＴ１は、タイミングｔ１２２で、検出信号を読み取り、ＣＯＦ１２ｇは、検出信号をサンプリング及びＡＤ変換することにより、正極性の検出画素データを取得できる。検出信号は、図２５等と同様に、スパイク状の信号である。なお、ＣＯＦ１２ｇは、検出信号のピークの電圧を読み取ることにより、正極性の検出画素データを取得しても良い。
【０５８８】
タイミングｔ１２３からタイミングｔ１２４までは、１つ目のフレームの第１の水平ラインの表示書込み（画像表示）期間である。
【０５８９】
ＣＯＧ１１は、タイミングｔ１２３において、バッファ１１ａに記憶されている、１つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第１の水平ラインの正極性の画素信号ＳＩＧＰＬＵＳ）を維持し、Ｎ本の信号線ＳＬの内の奇数番目及び偶数番目の内の他方の群に、１つ目のフレームの第１の水平ラインの負極性の画素信号ＳＩＧＭＩＮＵＳを出力する。
【０５９０】
例えば、水平ドライバ８は、Ｎ本の信号線ＳＬの内の奇数番目の群（図４３の信号線ＳＬ１、ＳＬ３、ＳＬ５、・・・参照）の電位（１つ目のフレームの第１の水平ラインの正極性の画素信号ＳＩＧＰＬＵＳ）を維持し、Ｎ本の信号線ＳＬの内の偶数番目の群（図４３の信号線ＳＬ２、ＳＬ４、ＳＬ６、・・・参照）に、１つ目のフレームの第１の水平ラインの負極性の画素信号ＳＩＧＭＩＮＵＳを出力する。
【０５９１】
また、ＣＯＧ１１は、タイミングｔ１２３からタイミングｔ１２４までの間は、ハイレベルの制御信号ＳＥＬ３（図４３参照）を駆動電極ドライバ９ｇに出力する。従って、スイッチＳＷ２１及びＳＷ２２は、導通状態になる。駆動電極ドライバ９ｇは、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０５９２】
また、ＣＯＧ１１は、タイミングｔ１２３からタイミングｔ１２４までの間は、制御信号ＳＥＬ４（図４３参照）をローレベルにする。従って、スイッチＳＷ３１及びＳＷ３２は、遮断状態になり、検出回路ＩＮＴ１及びＩＮＴ２は、駆動信号ＶＣＯＭを読み取らない。
【０５９３】
タイミングｔ１２４からタイミングｔ１２７までは、１つ目のフレームの第２の水平ラインの正極性の画像検出、及び、表示書込み（画像表示）期間である。
【０５９４】
ホストＨＳＴは、タイミングｔ１２４において、１つ目のフレームの第２の水平ラインの画像データをＣＯＧ１１に出力する。ＣＯＧ１１は、ホストＨＳＴから供給される１つ目のフレームの第２の水平ラインの画像データをバッファ１１ａ（図３８参照）に一時記憶する。
【０５９５】
タイミングｔ１２４から一定時間後のタイミングｔ１２５までの期間は、信号線ＳＬのプリチャージ期間である。
【０５９６】
水平ドライバ８は、タイミングｔ１２４からタイミングｔ１２５までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ１２４からタイミングｔ１２５までの期間に、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０５９７】
例えば、水平ドライバ８は、Ｎ本の信号線ＳＬの内の奇数番目の群（図４３の信号線ＳＬ１、ＳＬ３、ＳＬ５、・・・参照）に、接地電位ＧＮＤを出力する。また、水平ドライバ８は、Ｎ本の信号線ＳＬの内の偶数番目の群（図４３の信号線ＳＬ２、ＳＬ４、ＳＬ６、・・・参照）の電位（１つ目のフレームの第１の水平ラインの負極性の画素信号ＳＩＧＭＩＮＵＳ）を維持する。
【０５９８】
タイミングｔ１２５からタイミングｔ１２６までは、１つ目のフレームの第２の水平ラインの正極性の画像検出期間である。
【０５９９】
ＣＯＧ１１は、タイミングｔ１２５において、バッファ１１ａに記憶されている、１つ目のフレームの第２の水平ラインの画像データに基づいて、水平ドライバ８に正極性の画素信号の出力を行わせる。水平ドライバ８は、Ｎ本の信号線ＳＬの内の奇数番目及び偶数番目の内の一方の群に、１つ目のフレームの第２の水平ラインの正極性の画素信号ＳＩＧＰＬＵＳを出力し、Ｎ本の信号線ＳＬの内の奇数番目及び偶数番目の内の他方の群の電位（１つ目のフレームの第１の水平ラインの負極性の画素信号ＳＩＧＭＩＮＵＳ）を維持する。
【０６００】
例えば、水平ドライバ８は、Ｎ本の信号線ＳＬの内の奇数番目の群（図４３の信号線ＳＬ１、ＳＬ３、ＳＬ５、・・・参照）に、１つ目のフレームの第２の水平ラインの正極性の画素信号ＳＩＧＰＬＵＳを出力する。また、水平ドライバ８は、Ｎ本の信号線ＳＬの内の偶数番目の群（図４３の信号線ＳＬ２、ＳＬ４、ＳＬ６、・・・参照）の電位（１つ目のフレームの第１の水平ラインの画素信号ＳＩＧＭＩＮＵＳ）を維持する。
【０６０１】
また、ＣＯＧ１１は、タイミングｔ１２５からタイミングｔ１２６までの間は、ローレベルの制御信号ＳＥＬ３（図４３参照）を駆動電極ドライバ９ｇに出力する。従って、スイッチＳＷ２１及びＳＷ２２は、遮断状態になる。これにより、全部の駆動電極ＣＯＭＬは、フローティング状態になる。
【０６０２】
再び図４３を参照すると、駆動電極ＣＯＭＬ１がフローティング状態であると、信号線ＳＬ１、ＳＬ３及びＳＬ５と駆動電極ＣＯＭＬ１とが容量結合するので、信号線ＳＬ１、ＳＬ３及びＳＬ５に供給される画素信号ＳＩＧＰＬＵＳに起因して、駆動電極ＣＯＭＬ１に検出信号が生ずる。ＣＯＧ１１は、タイミング信号ＨＳＹＮＣに基づくタイミング、例えばタイミングｔ１２５で、制御信号ＳＥＬ４をハイレベルにする。従って、スイッチＳＷ３１は、タイミングｔ１２５で、導通状態になる。検出回路ＩＮＴ１は、タイミングｔ１２５で、検出信号を読み取り、ＣＯＦ１２ｇは、検出信号をサンプリング及びＡＤ変換することにより、正極性の検出画素データを取得できる。なお、ＣＯＦ１２ｇは、検出信号のピークの電圧を読み取ることにより、正極性の検出画素データを取得しても良い。
【０６０３】
タイミングｔ１２６からタイミングｔ１２７までは、１つ目のフレームの第２の水平ラインの表示書込み（画像表示）期間である。
【０６０４】
ＣＯＧ１１は、タイミングｔ１２６において、バッファ１１ａに記憶されている、１つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（１つ目のフレームの第２の水平ラインの正極性の画素信号ＳＩＧＰＬＵＳ）を維持し、Ｎ本の信号線ＳＬの内の奇数番目及び偶数番目の内の他方の群に、１つ目のフレームの第２の水平ラインの負極性の画素信号ＳＩＧＭＩＮＵＳを出力する。
【０６０５】
例えば、水平ドライバ８は、Ｎ本の信号線ＳＬの内の奇数番目の群（図４３の信号線ＳＬ１、ＳＬ３、ＳＬ５、・・・参照）の電位（１つ目のフレームの第２の水平ラインの正極性の画素信号ＳＩＧＰＬＵＳ）を維持し、Ｎ本の信号線ＳＬの内の偶数番目の群（図４３の信号線ＳＬ２、ＳＬ４、ＳＬ６、・・・参照）に、１つ目のフレームの第２の水平ラインの負極性の画素信号ＳＩＧＭＩＮＵＳを出力する。
【０６０６】
また、ＣＯＧ１１は、タイミングｔ１２６からタイミングｔ１２７までの間は、ハイレベルの制御信号ＳＥＬ３（図４３参照）を駆動電極ドライバ９ｇに出力する。従って、スイッチＳＷ２１及びＳＷ２２は、導通状態になる。駆動電極ドライバ９ｇは、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０６０７】
また、ＣＯＧ１１は、タイミングｔ１２６からタイミングｔ１２７までの間は、制御信号ＳＥＬ４（図４３参照）をローレベルにする。従って、スイッチＳＷ３１は、遮断状態になり、検出回路ＩＮＴ１は、駆動信号ＶＣＯＭを読み取らない。
【０６０８】
ＣＯＧ１１及びＣＯＦ１２ｇは、以降同様にして、１つ目のフレームの第３の水平ラインから第Ｍの水平ラインまでの正極性の画像検出、及び、表示書込み（画像表示）を行う。
【０６０９】
タイミングｔ１２８からタイミングｔ１３１までは、１つ目のフレームの第１のユニットＵ１のタッチ検出期間である。タッチ検出期間については、後で詳細に説明する。
【０６１０】
タイミングｔ１３３からタイミングｔ１３６までは、２つ目のフレームの第１の水平ラインの負極性の画像検出、及び、表示書込み（画像表示）期間である。
【０６１１】
ホストＨＳＴは、タイミングｔ１３３において、２つ目のフレームの第１の水平ラインの画像データをＣＯＧ１１に出力する。ＣＯＧ１１は、ホストＨＳＴから供給される２つ目のフレームの第１の水平ラインの画像データをバッファ１１ａ（図３８参照）に一時記憶する。従って、バッファ１１ａは、１水平ラインの画像データを記憶可能な記憶容量を有すれば良い。
【０６１２】
タイミングｔ１３３から一定時間後のタイミングｔ１３４までの期間は、信号線ＳＬのプリチャージ期間である。
【０６１３】
水平ドライバ８は、タイミングｔ１３３からタイミングｔ１３４までの期間に、接地電位ＧＮＤを全部の信号線ＳＬに出力し、全部の信号線ＳＬを接地電位ＧＮＤにプリチャージする。
【０６１４】
タイミングｔ１３４からタイミングｔ１３５までは、２つ目のフレームの第１の水平ラインの負極性の画像検出期間である。
【０６１５】
ＣＯＧ１１は、タイミングｔ１３４において、バッファ１１ａに記憶されている、２つ目のフレームの第１の水平ラインの画像データに基づいて、水平ドライバ８に２つ目のフレームの第１の水平ラインの負極性の画素信号の出力を行わせる。水平ドライバ８は、Ｎ本の信号線ＳＬの内の奇数番目及び偶数番目の内の一方の群に、２つ目のフレームの第１の水平ラインの負極性の画素信号ＳＩＧＭＩＮＵＳを出力し、Ｎ本の信号線ＳＬの内の奇数番目及び偶数番目の内の他方の群の電位（接地電位ＧＮＤ）を維持する。
【０６１６】
例えば、水平ドライバ８は、Ｎ本の信号線ＳＬの内の偶数番目の群（図４３の信号線ＳＬ２、ＳＬ４、ＳＬ６、・・・参照）に、２つ目のフレームの第１の水平ラインの負極性の画素信号ＳＩＧＭＩＮＵＳを出力する。また、水平ドライバ８は、Ｎ本の信号線ＳＬの内の奇数番目の群（図４３の信号線ＳＬ１、ＳＬ３、ＳＬ５、・・・参照）の電位（接地電位ＧＮＤ）を維持する。
【０６１７】
また、ＣＯＧ１１は、タイミングｔ１３４からタイミングｔ１３５までの間は、ローレベルの制御信号ＳＥＬ３（図４３参照）を駆動電極ドライバ９ｇに出力する。従って、スイッチＳＷ２１及びＳＷ２２は、遮断状態になる。これにより、全部の駆動電極ＣＯＭＬは、フローティング状態になる。
【０６１８】
再び図４３を参照すると、駆動電極ＣＯＭＬ１がフローティング状態であると、信号線ＳＬ２、ＳＬ４及びＳＬ６と駆動電極ＣＯＭＬ１とが容量結合するので、信号線ＳＬ２、ＳＬ４及びＳＬ６に供給される画素信号ＳＩＧＭＩＮＵＳに起因して、駆動電極ＣＯＭＬ１に検出信号が生ずる。ＣＯＧ１１は、タイミング信号ＨＳＹＮＣに基づくタイミング、例えばタイミングｔ１３４で、制御信号ＳＥＬ４をハイレベルにする。従って、スイッチＳＷ３１は、タイミングｔ１３４で、導通状態になる。検出回路ＩＮＴ１は、タイミングｔ１３４で、検出信号を読み取り、ＣＯＦ１２ｇは、検出信号をサンプリング及びＡＤ変換することにより、負極性の検出画素データを取得できる。なお、ＣＯＦ１２ｇは、検出信号のピークの電圧を読み取ることにより、負極性の検出画素データを取得しても良い。
【０６１９】
タイミングｔ１３５からタイミングｔ１３６までは、２つ目のフレームの第１の水平ラインの表示書込み（画像表示）期間である。
【０６２０】
ＣＯＧ１１は、タイミングｔ１３５において、バッファ１１ａに記憶されている、２つ目のフレームの第１の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第１の水平ラインの負極性の画素信号ＳＩＧＭＩＮＵＳ）を維持し、Ｎ本の信号線ＳＬの内の奇数番目及び偶数番目の内の他方の群に、２つ目のフレームの第１の水平ラインの正極性の画素信号ＳＩＧＰＬＵＳを出力する。
【０６２１】
例えば、水平ドライバ８は、Ｎ本の信号線ＳＬの内の偶数番目の群（図４３の信号線ＳＬ２、ＳＬ４、ＳＬ６、・・・参照）の電位（２つ目のフレームの第１の水平ラインの負極性の画素信号ＳＩＧＭＩＮＵＳ）を維持し、Ｎ本の信号線ＳＬの内の奇数番目の群（図４３の信号線ＳＬ１、ＳＬ３、ＳＬ５、・・・参照）に、２つ目のフレームの第１の水平ラインの正極性の画素信号ＳＩＧＰＬＵＳを出力する。
【０６２２】
また、ＣＯＧ１１は、タイミングｔ１３５からタイミングｔ１３６までの間は、ハイレベルの制御信号ＳＥＬ３（図４３参照）を駆動電極ドライバ９ｇに出力する。従って、スイッチＳＷ２１及びＳＷ２２は、導通状態になる。駆動電極ドライバ９ｇは、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０６２３】
また、ＣＯＧ１１は、タイミングｔ１３５からタイミングｔ１３６までの間は、制御信号ＳＥＬ４（図４３参照）をローレベルにする。従って、スイッチＳＷ３１及びＳＷ３２は、遮断状態になり、検出回路ＩＮＴ１及びＩＮＴ２は、駆動信号ＶＣＯＭを読み取らない。
【０６２４】
タイミングｔ１３６以降は、２つ目のフレームの第２の水平ラインの負極性の画像検出、及び、表示書込み（画像表示）期間である。
【０６２５】
ホストＨＳＴは、タイミングｔ１３６において、２つ目のフレームの第２の水平ラインの画像データをＣＯＧ１１に出力する。ＣＯＧ１１は、ホストＨＳＴから供給される２つ目のフレームの第２の水平ラインの画像データをバッファ１１ａ（図３８参照）に一時記憶する。
【０６２６】
タイミングｔ１３６から一定時間後のタイミングｔ１３７までの期間は、信号線ＳＬのプリチャージ期間である。
【０６２７】
水平ドライバ８は、タイミングｔ１３６からタイミングｔ１３７までの期間に、Ｎ本の信号線ＳＬの内の奇数番目及び偶数番目の内の一方の群に、接地電位ＧＮＤを出力し、Ｎ本の信号線ＳＬの内の奇数番目及び偶数番目の内の一方の群を接地電位ＧＮＤにプリチャージする。また、水平ドライバ８は、タイミングｔ１３６からタイミングｔ１３７までの期間に、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０６２８】
例えば、水平ドライバ８は、Ｎ本の信号線ＳＬの内の偶数番目の群（図４３の信号線ＳＬ２、ＳＬ４、ＳＬ６、・・・参照）に、接地電位ＧＮＤを出力する。また、水平ドライバ８は、Ｎ本の信号線ＳＬの内の奇数番目の群（図４３の信号線ＳＬ１、ＳＬ３、ＳＬ５、・・・参照）の電位（２つ目のフレームの第１の水平ラインの正極性の画素信号ＳＩＧＰＬＵＳ）を維持する。
【０６２９】
タイミングｔ１３７からタイミングｔ１３８までは、２つ目のフレームの第２の水平ラインの負極性の画像検出期間である。
【０６３０】
ＣＯＧ１１は、タイミングｔ１３７において、バッファ１１ａに記憶されている、２つ目のフレームの第２の水平ラインの画像データに基づいて、水平ドライバ８に負極性の画素信号の出力を行わせる。水平ドライバ８は、Ｎ本の信号線ＳＬの内の奇数番目及び偶数番目の内の一方の群に、２つ目のフレームの第２の水平ラインの負極性の画素信号ＳＩＧＭＩＮＵＳを出力し、Ｎ本の信号線ＳＬの内の奇数番目及び偶数番目の内の他方の群の電位（２つ目のフレームの第１の水平ラインの正極性の画素信号ＳＩＧＰＬＵＳ）を維持する。
【０６３１】
例えば、水平ドライバ８は、Ｎ本の信号線ＳＬの内の偶数番目の群（図４３の信号線ＳＬ２、ＳＬ４、ＳＬ６、・・・参照）に、２つ目のフレームの第２の水平ラインの負極性の画素信号ＳＩＧＭＩＮＵＳを出力する。また、水平ドライバ８は、Ｎ本の信号線ＳＬの内の奇数番目の群（図４３の信号線ＳＬ１、ＳＬ３、ＳＬ５、・・・参照）の電位（２つ目のフレームの第１の水平ラインの画素信号ＳＩＧＰＬＵＳ）を維持する。
【０６３２】
また、ＣＯＧ１１は、タイミングｔ１３７からタイミングｔ１３８までの間は、ローレベルの制御信号ＳＥＬ３（図４３参照）を駆動電極ドライバ９ｇに出力する。従って、スイッチＳＷ２１及びＳＷ２２は、遮断状態になる。これにより、全部の駆動電極ＣＯＭＬは、フローティング状態になる。
【０６３３】
再び図４３を参照すると、駆動電極ＣＯＭＬ１がフローティング状態であると、信号線ＳＬ２、ＳＬ４及びＳＬ６と駆動電極ＣＯＭＬ１とが容量結合するので、信号線ＳＬ２、ＳＬ４及びＳＬ６に供給される画素信号ＳＩＧＭＩＮＵＳに起因して、駆動電極ＣＯＭＬ１に検出信号が生ずる。ＣＯＧ１１は、タイミング信号ＨＳＹＮＣに基づくタイミング、例えばタイミングｔ１３７で、制御信号ＳＥＬ４をハイレベルにする。従って、スイッチＳＷ３１は、タイミングｔ１３７で、導通状態になる。検出回路ＩＮＴ１は、タイミングｔ１３７で、検出信号を読み取り、ＣＯＦ１２ｇは、検出信号をサンプリング及びＡＤ変換することにより、負極性の検出画素データを取得できる。なお、ＣＯＦ１２ｇは、検出信号のピークの電圧を読み取ることにより、負極性の検出画素データを取得しても良い。
【０６３４】
タイミングｔ１３８以降は、２つ目のフレームの第２の水平ラインの表示書込み（画像表示）期間である。
【０６３５】
ＣＯＧ１１は、タイミングｔ１３８において、バッファ１１ａに記憶されている、２つ目のフレームの第２の水平ラインの画像データに基づいて、水平ドライバ８に画素信号の出力を行わせる。水平ドライバ８は、Ｎ本の信号線ＳＬの内の奇数番目及び偶数番目の内の一方の群の電位（２つ目のフレームの第２の水平ラインの負極性の画素信号ＳＩＧＭＩＮＵＳ）を維持し、Ｎ本の信号線ＳＬの内の奇数番目及び偶数番目の内の他方の群に、２つ目のフレームの第２の水平ラインの正極性の画素信号ＳＩＧＰＬＵＳを出力する。
【０６３６】
例えば、水平ドライバ８は、Ｎ本の信号線ＳＬの内の偶数番目の群（図４３の信号線ＳＬ２、ＳＬ４、ＳＬ６、・・・参照）の電位（２つ目のフレームの第２の水平ラインの負極性の画素信号ＳＩＧＭＩＮＵＳ）を維持し、Ｎ本の信号線ＳＬの内の奇数番目の群（図４３の信号線ＳＬ１、ＳＬ３、ＳＬ５、・・・参照）に、２つ目のフレームの第２の水平ラインの正極性の画素信号ＳＩＧＰＬＵＳを出力する。
【０６３７】
また、ＣＯＧ１１は、タイミングｔ１３８からは、ハイレベルの制御信号ＳＥＬ３（図４３参照）を駆動電極ドライバ９ｇに出力する。従って、スイッチＳＷ２１及びＳＷ２２は、導通状態になる。駆動電極ドライバ９ｇは、全部の駆動電極ＣＯＭＬに駆動信号ＶＣＯＭを出力する。これにより、画素電極ＰＥ（図３参照）の各々と駆動電極ＣＯＭＬとの間に電界が形成され、画像が表示される。
【０６３８】
ＣＯＧ１１及びＣＯＦ１２ｇは、以降同様にして、２つ目のフレームの第３の水平ラインから第Ｍの水平ラインまでの負極性の画像検出、及び、表示書込み（画像表示）を行う。
【０６３９】
図４６は、第６の実施形態に係るタッチ検出機能付き表示装置の動作例の動作タイミングを示す図である。図４６は、図４５のタイミングｔ１２８からｔ１３１までの期間、つまり１つ目のフレームの第１のユニットＵ１のタッチ検出期間を詳しく示す図である。
【０６４０】
ＣＯＧ１１からＣＯＦ１２ｇに出力されるタッチ検出制御用のタイミング信号ＴＳＨＤは、画像表示期間及び画像検出期間並びにタッチ検出期間を表す信号である。ＣＯＧ１１は、画像表示期間及び画像検出期間では、ローレベルのタイミング信号ＴＳＨＤをＣＯＦ１２ｇに出力する。ＣＯＧ１１は、タッチ検出期間では、ハイレベルのタイミング信号ＴＳＨＤをＣＯＦ１２ｇに出力する。
【０６４１】
ＣＯＧ１１から駆動電極ドライバ９ｇに出力される制御信号ＥＸＶＣＯＭの１つ目の立ち上がりエッジのタイミングｔ１２９から制御信号ＥＸＶＣＯＭの２つ目の立ち上がりエッジのタイミングｔ１３０までの期間は、１つ目の駆動電極ブロック（１検出ブロック）のタッチ検出期間である。制御信号ＥＸＶＣＯＭの２つ目の立ち上がりエッジのタイミングｔ１３０以降の期間は、２つ目以降の駆動電極ブロックのタッチ検出期間である。
【０６４２】
走査回路ＳＣ（図４３参照）は、タイミングｔ１２９で制御信号ＥＸＶＣＯＭが入力されると、タッチ検出駆動信号出力アンプＴＤＡＭＰを１つ目の駆動電極ブロックに接続する。タッチ検出駆動信号出力アンプＴＤＡＭＰは、タッチ検出駆動信号Ｖｃｏｍｔｍを、１つ目の駆動電極ブロックに出力する。
【０６４３】
また、ＣＯＧ１１は、タイミングｔ１２８からタイミングｔ１３１までの間は、ハイレベルの制御信号ＳＥＬ５（図４３参照）をＣＯＦ１２ｇに出力する。従って、スイッチＳＷ６１及びＳＷ６２は、導通状態になる。検出回路Ｄ１は、タイミングｔ１２８で、タッチ検出信号を読み取り、ＣＯＦ１２ｇは、タッチ検出信号をサンプリング及びＡＤ変換することにより、タッチ検出データを取得できる。なお、ＣＯＦ１２ｇは、タッチ検出信号のピークの電圧を読み取ることにより、タッチ検出データを取得しても良い。
【０６４４】
ＣＯＧ１１及びＣＯＦ１２ｇは、以降同様にして、２つ目以降の駆動電極ブロックのタッチ検出を行う。
【０６４５】
図４７は、第６の実施形態に係る表示装置の動作例の動作を示すフローチャートである。タッチ検出機能付き表示装置１ｇは、フレームごとに、図４７に示す動作を実行する。
【０６４６】
ステップＳ３００からステップＳ３０８までは、第１の実施形態の図１３のフローチャートのステップＳ２００からステップＳ２０８までと同様であるので、説明を省略する。
【０６４７】
ホストＨＳＴは、ステップＳ３１０において、変数ｉの値が（Ｍ／Ｌ）の倍数に等しいか否か、つまり１つのユニットの画像検出及び画像表示が終了したか否かを判定する。ホストＨＳＴは、変数ｉの値が（Ｍ／Ｌ）の倍数に等しいと判定したら（ステップＳ３１０でＹｅｓ）、処理をステップＳ３１２に進め、変数ｉの値が（Ｍ／Ｌ）の倍数に等しくないと判定したら（ステップＳ３１０でＮｏ）、処理をステップＳ３１４に進める。
【０６４８】
ＣＯＧ１１及びＣＯＦ１２ｇは、ステップＳ３１２において、タッチを検出する。ＣＯＧ１１及びＣＯＦ１２ｇは、複数の駆動電極ブロックをＬ個のグループに分け、画像検出及び画像表示がされたユニットの番号に対応するグループを駆動して、タッチを検出する。
【０６４９】
ステップＳ３１４からステップＳ３２８までは、第１の実施形態の図１３のフローチャートのステップＳ２１０からステップＳ２２４までと同様であるので、説明を省略する。
【０６５０】
第６の実施形態に係るタッチ検出機能付き表示装置１ｇのパネルＰＮＬｇは、いわゆる横電界型の液晶表示装置に適用可能であり（図４参照）、いわゆる縦電界型の液晶表示装置にも適用可能である（図１４参照）。
【０６５１】
第６の実施形態に係るタッチ検出機能付き表示装置１ｇは、第１の実施形態に係る表示装置と同様の特徴に加えて、下記の特徴を有する。なお、第６の実施形態に係るタッチ検出機能付き表示装置は、下記記載以外の特徴も有する。第６の実施形態に係るタッチ検出機能付き表示装置１ｇは、画像検出に加えて、タッチ検出を行うことができる。
また、表示装置は、少なくとも１つの信号線ＳＬに正極性又は負極性の信号を入力し、正極性又は負極性の信号が入力された少なくとも１つの信号線ＳＬに対応する少なくとも１つの駆動電極ＣＯＭＬで、検出信号を検出しても良い。
【０６５２】
（第７の実施形態）
図４８は、第７の実施形態に係るタッチ検出機能付き表示装置の水平ドライバ、駆動電極ドライバ及びＣＯＦの構成を示す図である。図４８は、パネルＰＮＬｈにおける、水平ドライバ８の内の、４列の画素Ｐｉｘを駆動する部分と、駆動電極ドライバ９ｈの内の、４列の画素Ｐｉｘを駆動する部分と、ＣＯＦ１２の内の、４列の画素の検出信号を読み取る部分と、を示す図である。
【０６５３】
本実施形態に係るタッチ検出機能付き表示装置のパネルＰＮＬｈの構成は、第３の実施形態に係る表示装置のパネルＰＮＬｃ（図２１参照）と比較して、駆動電極ドライバ９ｈが、タッチ検出駆動信号出力アンプＴＤＡＭＰ及びスイッチＳＷ７１を更に含んでいる。
【０６５４】
スイッチＳＷ７１は、ＣＯＧ１１から供給される制御信号ＳＥＬ６がハイレベルの場合に、タッチ検出駆動信号出力アンプＴＤＡＭＰと駆動電極ＣＯＭＬとの間を導通し、制御信号ＳＥＬ６がローレベルの場合に、タッチ検出駆動信号出力アンプＴＤＡＭＰと駆動電極ＣＯＭＬとの間を遮断する。タッチ検出期間では、制御信号ＳＥＬ６は、ハイレベルになり、スイッチＳＷ７１は、タッチ検出駆動信号出力アンプＴＤＡＭＰと駆動電極ＣＯＭＬとの間を導通し、タッチ検出駆動信号Ｖｃｏｍｔｓが駆動電極ＣＯＭＬに供給される。画像表示期間及び画像検出期間では、制御信号ＳＥＬ６は、ローレベルになり、スイッチＳＷ７１は、タッチ検出駆動信号出力アンプＴＤＡＭＰと駆動電極ＣＯＭＬとの間を遮断し、タッチ検出駆動信号Ｖｃｏｍｔｓが駆動電極ＣＯＭＬに供給されない。
なお、図４８では、タッチ検出駆動信号出力アンプＴＤＡＭＰが、タッチ検出駆動信号Ｖｃｏｍｔｓを全ての駆動電極ＣＯＭＬに供給するが、これに限定されない。タッチ検出駆動信号出力アンプＴＤＡＭＰと、複数の駆動電極ＣＯＭＬと、の間に各々スイッチを設けて、タッチ検出駆動信号出力アンプＴＤＡＭＰが、タッチ検出駆動信号Ｖｃｏｍｔｓを複数の駆動電極ＣＯＭＬに個別に順次供給するようにしても良い。また、複数のタッチ検出駆動信号出力アンプＴＤＡＭＰを、複数の駆動電極ＣＯＭＬ毎に設けて、複数の駆動電極ＣＯＭＬを同時に駆動させて検出を行っても良い。また、複数の駆動電極ＣＯＭＬを複数の駆動電極ブロックに分けて、複数の駆動電極ブロック毎に各々タッチ検出駆動信号出力アンプＴＤＡＭＰを設けてブロック単位で駆動させて検出を行っても良い。そして、タッチ検出駆動信号出力アンプＴＤＡＭＰが、タッチ検出駆動信号Ｖｃｏｍｔｓを、駆動電極ブロック内の複数の駆動電極ＣＯＭＬに順次供給しても良い。または、タッチ検出駆動信号出力アンプＴＤＡＭＰが、タッチ検出駆動信号Ｖｃｏｍｔｓを、駆動電極ブロック内の全部の駆動電極ＣＯＭＬに供給しても良い。
【０６５５】
次に、図４９から図５２を参照して、本実施形態に係るタッチ検出機能付き表示装置の自己静電容量方式のタッチ検出の基本原理について説明する。
【０６５６】
図４９は、自己静電容量方式のタッチ検出の基本原理を説明するための、被検出物が接触又は近接していない状態を表す説明図である。図５０は、自己静電容量方式のタッチ検出の基本原理を説明するための、被検出物が接触又は近接した状態を表す説明図である。図５１は、自己静電容量方式のタッチ検出の等価回路の例を示す説明図である。図５２は、自己静電容量方式のタッチ検出の駆動信号及び検出信号の波形の一例を表す図である。
【０６５７】
図４９左図は、被検出物が接触又は近接していない状態において、スイッチＳＷ１１１により電源Ｖｄｄと検出電極Ｅ１１とが接続され、スイッチＳＷ１１２により検出電極Ｅ１１がコンデンサＣｃｒに接続されていない状態を示している。この状態では、検出電極Ｅ１１が有する容量Ｃｘ１が充電される。図４９右図は、スイッチＳＷ１１１により、電源Ｖｄｄと検出電極Ｅ１１との接続がオフされ、スイッチＳＷ１１２により、検出電極Ｅ１１とコンデンサＣｃｒとが接続された状態を示している。この状態では、容量Ｃｘ１の電荷はコンデンサＣｃｒを介して放電される。
【０６５８】
図５０左図は、被検出物が接触又は近接した状態において、スイッチＳＷ１１１により電源Ｖｄｄと検出電極Ｅ１１とが接続され、スイッチＳＷ１１２により検出電極Ｅ１１がコンデンサＣｃｒに接続されていない状態を示している。この状態では、検出電極Ｅ１１が有する容量Ｃｘ１に加え、検出電極Ｅ１１に近接している被検出物により生じる容量Ｃｘ２も充電される。図５０右図は、スイッチＳＷ１１１により、電源Ｖｄｄと検出電極Ｅ１１がオフされ、スイッチＳＷ１１２により検出電極Ｅ１１とコンデンサＣｃｒとが接続された状態を示している。この状態では、容量Ｃｘ１の電荷と容量Ｃｘ２の電荷とがコンデンサＣｃｒを介して放電される。
【０６５９】
ここで、図４９右図に示す放電時（被検出物が接触または近接していない状態）におけるコンデンサＣｃｒの電圧変化特性に対して、図５０右図に示す放電時（被検出物が接触又は近接した状態）におけるコンデンサＣｃｒの電圧変化特性は、容量Ｃｘ２が存在するために、明らかに異なる。したがって、自己静電容量方式では、コンデンサＣｃｒの電圧変化特性が、容量Ｃｘ２の有無により異なることを利用して、被検出物の接触又は近接の有無を判定している。
【０６６０】
具体的には、検出電極Ｅ１１に所定の周波数（例えば数ｋＨｚ〜数百ｋＨｚ程度）の交流矩形波Ｓｇ（タッチ検出駆動信号Ｖｃｏｍｔｓ、図５２参照）が印加される。図５１に示す電圧検出器ＤＥは、交流矩形波Ｓｇに応じた電流の変動を電圧の変動（波形Ｖ１３、Ｖ１４）に変換する。電圧検出器ＤＥは、例えば図４８に示すＣＯＦ１２に含まれる検出回路ＩＮＴ１−１、ＩＮＴ１−２、・・・である。
【０６６１】
上述のように、検出電極Ｅ１１は、スイッチＳＷ１１１及びスイッチＳＷ１１２で切り離すことが可能な構成となっている。図５２において、時刻Ｔ０１のタイミングで、交流矩形波Ｓｇは、電圧Ｖ１０に相当する電圧レベルに上昇する。このとき、スイッチＳＷ１１１はオンしており、スイッチＳＷ１１２はオフしている。このため、検出電極Ｅ１１の電圧も、電圧Ｖ１０に上昇する。
【０６６２】
次に時刻Ｔ１１のタイミングの前に、スイッチＳＷ１１１をオフとする。このとき、検出電極Ｅ１１はフローティング状態であるが、検出電極Ｅ１１の容量Ｃｘ１（図４９参照）、あるいは検出電極Ｅ１１の容量Ｃｘ１に被検出物の接触又は近接よる容量Ｃｘ２を加えた容量（Ｃｘ１＋Ｃｘ２、図５０参照）によって、検出電極Ｅ１１の電位はＶ１０が維持される。さらに、時刻Ｔ１１のタイミングの前にスイッチＳＷ１１３をオンさせ、所定の時間経過後にオフさせ、電圧検出器ＤＥをリセットさせる。このリセット動作により、電圧検出器ＤＥの出力電圧であるタッチ検出信号Ｖｄｅｔは、基準電位Ｖｒｅｆと略等しい電圧となる。
【０６６３】
続いて、時刻Ｔ１１のタイミングでスイッチＳＷ１１２をオンさせると、電圧検出器ＤＥの反転入力部が検出電極Ｅ１１の電圧Ｖ１０となる。その後、検出電極Ｅ１１の容量Ｃｘ１（またはＣｘ１＋Ｃｘ２）と電圧検出器ＤＥ内の容量Ｃ５の時定数に従って、電圧検出器ＤＥの反転入力部は、基準電位Ｖｒｅｆまで低下する。このとき、検出電極Ｅ１１の容量Ｃｘ１（またはＣｘ１＋Ｃｘ２）に蓄積されていた電荷が電圧検出器ＤＥ内の容量Ｃ５に移動するので、電圧検出器ＤＥの出力電圧であるタッチ検出信号Ｖｄｅｔ２が上昇する。
【０６６４】
電圧検出器ＤＥの出力電圧であるタッチ検出信号Ｖｄｅｔ２は、検出電極Ｅ１１に被検出物が近接していないときは、実線で示す波形Ｖ１３となり、Ｖｄｅｔ２＝Ｃｘ１×Ｖ１０／Ｃ５となる。
【０６６５】
電圧検出器ＤＥの出力電圧であるタッチ検出信号Ｖｄｅｔ２は、被検出物の影響による容量が付加されたときは、点線で示す波形Ｖ１４となり、Ｖｄｅｔ２＝（Ｃｘ１＋Ｃｘ２）×Ｖ１０／Ｃ５となる。
【０６６６】
その後、検出電極Ｅ１１の容量Ｃｘ１（またはＣｘ１＋Ｃｘ２）の電荷が容量Ｃ５に十分移動した後の時刻Ｔ３１のタイミングでスイッチＳＷ１１２をオフさせ、スイッチＳＷ１１１及びスイッチＳＷ１１３をオンさせることにより、検出電極Ｅ１１の電位を交流矩形波Ｓｇと同電位のローレベルにするとともに電圧検出器ＤＥをリセットさせる。なお、このとき、スイッチＳＷ１１１をオンさせるタイミングは、スイッチＳＷ１１２をオフさせた後、時刻Ｔ０２以前であればいずれのタイミングでも良い。また、電圧検出器ＤＥをリセットさせるタイミングは、スイッチＳＷ１１２をオフさせた後、時刻Ｔ１２以前であればいずれのタイミングとしても良い。
【０６６７】
以上の動作を所定の周波数（例えば数ｋＨｚ〜数百ｋＨｚ程度）で繰り返す。波形Ｖ１３と波形Ｖ１４との差分の絶対値｜ΔＶ｜に基づいて、被検出物の有無（タッチの有無）を検出することができる。なお、検出電極Ｅ１１の電位は、図５２に示すように、被検出物が近接していないときはＶ１１の波形となり、被検出物の影響による容量Ｃｘ２が付加されるときはＶ１２の波形となる。波形Ｖ１１と波形Ｖ１２とが、それぞれ所定の閾値電圧ＶＴＨまで下がる時間を測定することにより外部近接物体の有無（タッチの有無）を測定することも可能である。
【０６６８】
本実施形態において、パネルＰＮＬｈは、駆動電極ドライバ９ｈから供給されるタッチ検出駆動信号Ｖｃｏｍｔｓに従って、駆動電極ＣＯＭＬにそれぞれ電荷が供給され、自己静電容量方式によるタッチ検出を行い、駆動電極ＣＯＭＬは、タッチ検出信号Ｖｄｅｔ２を出力する。
【０６６９】
本実施形態では、駆動電極ＣＯＭＬが、検出部ＤＥＴ及びタッチ検出部ＴＤＥＴ（図３７参照）に対応する。
【０６７０】
第７の実施形態に係るタッチ検出機能付き表示装置の動作のフローチャートは、第６の実施形態に係るタッチ検出機能付き表示装置１ｇの動作のフローチャート（図４７参照）と同様であるので、図示及び説明を省略する。
【０６７１】
第７の実施形態に係る表示装置のパネルＰＮＬｈは、いわゆる横電界型の液晶表示装置に適用可能であり（図２０参照）、いわゆる縦電界型の液晶表示装置にも適用可能である。
【０６７２】
第７の実施形態に係るタッチ検出機能付き表示装置は、第３の実施形態に係る表示装置の特徴に加えて、下記の特徴を有する。なお、第７の実施形態に係るタッチ検出機能付き表示装置は、下記記載以外の特徴も有する。第７の実施形態に係るタッチ検出機能付き表示装置は、画像検出に加えて、タッチ検出を行うことができる。
また、表示装置は、少なくとも１つの信号線ＳＬに正極性又は負極性の信号を入力し、正極性又は負極性の信号が入力された少なくとも１つの信号線ＳＬに対応する少なくとも１つの駆動電極ＣＯＭＬで、検出信号を検出しても良い。
【０６７３】
（第８の実施形態）
図５３は、第８の実施形態に係るタッチ検出機能付き表示装置のモジュール構成を示す図である。
【０６７４】
パネルＰＮＬｉは、基板４ｉと、駆動電極ドライバ９ｇと、ＣＯＦ１２ｇと、を含む。基板４ｉは、第１基板５ｉと、第１基板５ｉのＺ方向側に配置され、第１基板５ｉと所定の間隙をもって対向する第２基板６ｉと、を含む。
【０６７５】
本実施形態に係るタッチ検出機能付き表示装置のパネルＰＮＬｉの構成は、第４の実施形態に係る表示装置のパネルＰＮＬｄ（図２２参照）と比較して、検出線ＲＬが第２基板６ｉに配置されている。検出線ＲＬは、画素Ｐｉｘの２行ごとに、Ｘ方向に沿って延在する。従って、検出線ＲＬの本数は、（Ｍ／２）本である。
【０６７６】
図５４は、第８の実施形態に係るタッチ検出機能付き表示装置の水平ドライバ、駆動電極ドライバ及びＣＯＦの構成を示す図である。図５４は、水平ドライバ８の内の、４列の画素Ｐｉｘを駆動する部分と、駆動電極ドライバ９ｇの内の、４列の画素Ｐｉｘを駆動する部分と、ＣＯＦ１２ｇの内の、４列の画素の検出信号を読み取る部分と、を示す図である。
【０６７７】
駆動電極ドライバ９ｇ、ＣＯＦ１２ｇ及び検出線ＲＬの構成は、第６の実施形態（図４３参照）と同様であるので、説明を省略する。
【０６７８】
第８の実施形態に係るタッチ検出機能付き表示装置は、第４の実施形態に係る表示装置の特徴に加えて、下記の特徴を有する。なお、第８の実施形態に係るタッチ検出機能付き表示装置は、下記記載以外の特徴も有する。第８の実施形態に係るタッチ検出機能付き表示装置は、画像検出に加えて、タッチ検出を行うことができる。
また、表示装置は、少なくとも１つの信号線ＳＬに正極性又は負極性の信号を入力し、正極性又は負極性の信号が入力された少なくとも１つの信号線ＳＬに対応する少なくとも１つの検出線ＲＬで、検出信号を検出しても良い。
【０６７９】
（第９の実施形態）
図５５は、第９の実施形態に係るタッチ検出機能付き表示装置の構成を示すブロック図である。
【０６８０】
本実施形態に係るタッチ検出機能付き表示装置１ｊの構成は、第６の実施形態に係るタッチ検出機能付き表示装置１ｇの構成と比較して、パネルＰＮＬｊが、画像を表示する表示部ＤＳＰと、被検出物ＯＢＪのタッチ検出面ＩＳへの接触又は近接を検出するタッチ検出部ＴＤＥＴと、を含む。そして、検出部ＤＥＴは、発光部ＢＬに設けられている。
【０６８１】
図５６は、第９の実施形態に係るタッチ検出機能付き表示装置のモジュール構成を示す図である。
【０６８２】
本実施形態に係るタッチ検出機能付き表示装置１ｊのパネルＰＮＬｊは、基板４ｊを有する。基板４ｊは、第１基板５ｊと、第２基板６ｊと、を有する。パネルＰＮＬｉの構成は、第６の実施形態に係る表示装置のパネルＰＮＬｇ（図３８参照）と比較して、駆動電極ＣＯＭＬがＣＯＦ１２ｇに接続されていない。
【０６８３】
本実施形態では、検出線ＲＬが、図５５のタッチ検出部ＴＤＥＴに対応する。
【０６８４】
本実施形態に係るタッチ検出機能付き表示装置１ｊの発光部ＢＬ及び検出部ＤＥＴの構成は、第５の実施形態に係る表示装置１ｆの発光部ＢＬ及び検出部ＤＥＴの構成（図２９から図３６まで参照）と同様であるので、図示及び説明を省略する。
【０６８５】
第９の実施形態に係るタッチ検出機能付き表示装置は、第５の実施形態に係る表示装置の特徴に加えて、下記の特徴を有する。第９の実施形態に係るタッチ検出機能付き表示装置は、画像検出に加えて、タッチ検出を行うことができる。
また、表示装置は、少なくとも１つの信号線ＳＬに正極性又は負極性の信号を入力し、正極性又は負極性の信号が入力された少なくとも１つの信号線ＳＬに対応する少なくとも１つの検出線ＲＬで、検出信号を検出しても良い。
【０６８６】
以上、本発明の好適な実施形態を説明したが、本発明はこのような実施形態に限定されるものではない。実施形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０６８７】
１，１ｆ  表示装置
１ｇ，１ｊ  タッチ検出機能付き表示装置
２  表示制御部
３  検出制御部
４，４ｂ，４ｃ，４ｇ，４ｉ  基板
７  垂直ドライバ
８  水平ドライバ
９，９ｇ，９ｈ  駆動電極ドライバ
１１  ＣＯＧ
１２，１２ｇ  ＣＯＦ
７１  タッチ検出制御部
ＢＬ  発光部
ＣＯＭＬ  駆動電極
ＣＯＭＡＭＰ，ＳＩＧＡＭＰ  アンプ
ＤＥＴ  検出部
ＤＳＰ  表示部
ＧＬ  走査線
ＨＳＴ  ホスト
ＬＣ  液晶
ＰＥ  画素電極
Ｐｉｘ  画素
ＰＮＬ，ＰＮＬａ，ＰＮＬｂ，ＰＮＬｃ，ＰＮＬｄ，ＰＮＬｅ，ＰＮＬｆ，ＰＮＬｇ，ＰＮＬｈ，ＰＮＬｉ，ＰＮＬｊ  パネル
ＲＬ  検出線
ＳＬ  信号線
ＴＤＡＭＰ  タッチ検出駆動信号出力アンプ
ＴＤＥＴ  タッチ検出部
【図１】
2018124535.tif 000003
【図２】
2018124535.tif 000004
【図３】
2018124535.tif 000005
【図４】
2018124535.tif 000006
【図５】
2018124535.tif 000007
【図６】
2018124535.tif 000008
【図７】
2018124535.tif 000009
【図８】
2018124535.tif 000010
【図９】
2018124535.tif 000011
【図１０】
2018124535.tif 000012
【図１１】
2018124535.tif 000013
【図１２】
2018124535.tif 000014
【図１３】
2018124535.tif 000015
【図１４】
2018124535.tif 000016
【図１５】
2018124535.tif 000017
【図１６】
2018124535.tif 000018
【図１７】
2018124535.tif 000019
【図１８】
2018124535.tif 000020
【図１９】
2018124535.tif 000021
【図２０】
2018124535.tif 000022
【図２１】
2018124535.tif 000023
【図２２】
2018124535.tif 000024
【図２３】
2018124535.tif 000025
【図２４】
2018124535.tif 000026
【図２５】
2018124535.tif 000027
【図２６】
2018124535.tif 000028
【図２７】
2018124535.tif 000029
【図２８】
2018124535.tif 000030
【図２９】
2018124535.tif 000031
【図３０】
2018124535.tif 000032
【図３１】
2018124535.tif 000033
【図３２】
2018124535.tif 000034
【図３３】
2018124535.tif 000035
【図３４】
2018124535.tif 000036
【図３５】
2018124535.tif 000037
【図３６】
2018124535.tif 000038
【図３７】
2018124535.tif 000039
【図３８】
2018124535.tif 000040
【図３９】
2018124535.tif 000041
【図４０】
2018124535.tif 000042
【図４１】
2018124535.tif 000043
【図４２】
2018124535.tif 000044
【図４３】
2018124535.tif 000045
【図４４】
2018124535.tif 000046
【図４５】
2018124535.tif 000047
【図４６】
2018124535.tif 000048
【図４７】
2018124535.tif 000049
【図４８】
2018124535.tif 000050
【図４９】
2018124535.tif 000051
【図５０】
2018124535.tif 000052
【図５１】
2018124535.tif 000053
【図５２】
2018124535.tif 000054
【図５３】
2018124535.tif 000055
【図５４】
2018124535.tif 000056
【図５５】
2018124535.tif 000057
【図５６】
2018124535.tif 000058